(57)【特許請求の範囲】
【請求項１】
ワイヤレス通信に関する方法であって、
共有無線周波数スペクトル帯域内の複数のサブ−チャネルを識別すること、
を備え、
前記複数のサブ−チャネルのうちのサブ−チャネルの第１のサブセットを決定することと、
楽観的ＣＣＡしきい値に少なくとも部分的に基づいて、前記複数のサブ−チャネル上で第１のクリア  チャネル  アセスメント（ＣＣＡ）を実行することと、
前記第１のＣＣＡに少なくとも部分的に基づいて、複数の潜在的サブ−チャネルを決定することと、前記複数の潜在的サブ−チャネルが、前記複数のサブ−チャネルの少なくとも第２のサブセットを備える、
再分配ＣＣＡしきい値に少なくとも部分的に基づいて、前記複数の潜在的サブ−チャネル上で第２のＣＣＡを実行することと、
前記第２のＣＣＡに少なくとも部分的に基づいて、複数のクリア  サブ−チャネルを決定することと、ここにおいて、キャリアが前記複数のクリア  サブ−チャネルを備える、
サブ−チャネルの前記第１のサブセットに関連付けられた帯域幅に少なくとも部分的に基づいて、前記複数のクリア  サブ−チャネルに従ってスケーリングされる前記キャリアのスケーラブルな帯域幅を決定することと、
前記帯域幅を使用する前記キャリアの前記スケーラブルな帯域幅を介して通信することと
を備えることによって特徴付けられる、方法。
【請求項２】
前記楽観的ＣＣＡしきい値が、前記複数のサブ−チャネルを介した送信に関する電力制約に少なくとも部分的に基づく、請求項１に記載の方法。
【請求項３】
前記再分配ＣＣＡしきい値が、前記複数のサブ−チャネルの前記少なくとも第２のサブセットを介した送信に関する電力制約に少なくとも部分的に基づく、請求項１に記載の方法。
【請求項４】
前記第２のＣＣＡが、前記複数の潜在的サブ−チャネルに関するＣＣＡカウントダウン  スロットを備え、およびここにおいて、前記複数のクリア  サブ−チャネルを介した通信は、前記ＣＣＡカウントダウン  スロットが超えられるまで遅延される、請求項１に記載の方法。
【請求項５】
前記第２のＣＣＡは、前記複数の潜在的サブ−チャネルにわたるエネルギーの合計を測定する、単一のジョイントＣＣＡである、請求項１に記載の方法。
【請求項６】
前記複数のサブ−チャネルの前記第１のサブセットのリソースは、１つの論理グループとしてアドレス指定される、請求項１に記載の方法。
【請求項７】
前記複数のサブ−チャネルの前記第１のサブセットは、第１のサブ−チャネルおよび少なくとも１つの第２のサブ−チャネルを備え、前記第１のサブ−チャネルが、前記少なくとも１つの第２のサブ−チャネルに隣接していない、請求項６に記載の方法。
【請求項８】
前記リソースが複数のリソースブロック（ＲＢ）を備える、請求項６に記載の方法。
【請求項９】
前記複数のＲＢが、少なくとも１つの拡張物理ダウンリンク制御チャネル（ｅＰＤＣＣＨ）を使用して割り当てられ、前記少なくとも１つのｅＰＤＣＣＨが、前記複数のサブ−チャネルの前記第１のサブセットにわたって複数のＲＢを割り当てる、請求項８に記載の方法。
【請求項１０】
前記複数のＲＢが、前記複数のサブ−チャネルの前記第１のサブセットにわたって連続している、請求項８に記載の方法。
【請求項１１】
前記複数のサブ−チャネルの前記第１のサブセットは、第１のサブ−チャネルおよび少なくとも１つの第２のサブ−チャネルを備え、前記第１のサブ−チャネルは、前記少なくとも１つの第２のサブ−チャネルに隣接していない、請求項１０に記載の方法。
【請求項１２】
ワイヤレス通信に関する装置であって、
共有無線周波数スペクトル帯域内の複数のサブ−チャネルを識別するための手段、
を備え、
前記複数のサブ−チャネルのうちのサブ−チャネルの第１のサブセットを決定するための手段と、
楽観的ＣＣＡしきい値に少なくとも部分的に基づいて、前記複数のサブ−チャネル上で第１のクリア  チャネル  アセスメント（ＣＣＡ）を実行するための手段と、
前記第１のＣＣＡに少なくとも部分的に基づいて、複数の潜在的サブ−チャネルを決定するための手段と、前記複数の潜在的サブ−チャネルが、前記複数のサブ−チャネルの少なくとも第２のサブセットを備える、
再分配ＣＣＡしきい値に少なくとも部分的に基づいて、前記複数の潜在的サブ−チャネル上で第２のＣＣＡを実行する手段と、
前記第２のＣＣＡに少なくとも部分的に基づいて、複数のクリア  サブ−チャネルを決定する手段と、ここにおいて、キャリアが前記複数のクリア  サブ−チャネルを備える、
サブ−チャネルの前記第１のサブセットに関連付けられた帯域幅に少なくとも部分的に基づいて、前記複数のクリア  サブ−チャネルに従ってスケーリングされる前記キャリアのスケーラブルな帯域幅を決定するための手段と、
前記帯域幅を使用する前記キャリアの前記スケーラブルな帯域幅を介して通信するための手段と
を備えることによって特徴付けられる、装置。
【請求項１３】
ワイヤレス通信に関するコンピュータ実行可能コードを記憶する非一時的コンピュータ可読媒体であって、前記コードは、
共有無線周波数スペクトル帯域内の複数のサブ−チャネルを識別すること、
を行うためにプロセッサによって実行可能であり、
前記複数のサブ−チャネルのうちのサブ−チャネルの第１のサブセットを決定することと、
楽観的ＣＣＡしきい値に少なくとも部分的に基づいて、前記複数のサブ−チャネル上で第１のクリア  チャネル  アセスメント（ＣＣＡ）を実行することと、
前記第１のＣＣＡに少なくとも部分的に基づいて、複数の潜在的サブ−チャネルを決定することと、前記複数の潜在的サブ−チャネルが、前記複数のサブ−チャネルの少なくとも第２のサブセットを備える、
再分配ＣＣＡしきい値に少なくとも部分的に基づいて、前記複数の潜在的サブ−チャネル上で第２のＣＣＡを実行することと、
前記第２のＣＣＡに少なくとも部分的に基づいて、複数のクリア  サブ−チャネルを決定することと、ここにおいて、キャリアが前記複数のクリア  サブ−チャネルを備える、
サブ−チャネルの前記第１のサブセットに関連付けられた帯域幅に少なくとも部分的に基づいて、前記複数のクリア  サブ−チャネルに従ってスケーリングされる前記キャリアのスケーラブルな帯域幅を決定することと、
前記帯域幅を使用する前記キャリアの前記スケーラブルな帯域幅を介して通信することと
を行うためにプロセッサによって実行可能であることによって特徴付けられる、非一時的コンピュータ可読媒体。
【発明の詳細な説明】
【技術分野】
【０００１】
相互参照
[0001]本特許出願は、各々が本出願の譲受人に譲渡された、２０１５年４月２４日に出願された、「Ｔｅｃｈｎｉｑｕｅｓ  ｆｏｒ  Ｓｃａｌｉｎｇ  Ｂａｎｄｗｉｄｔｈ  ｏｆ  ａｎ  Ｕｎｌｉｃｅｎｓｅｄ  Ｒａｄｉｏ  Ｆｒｅｑｕｅｎｃｙ  Ｓｐｅｃｔｒｕｍ  Ｂａｎｄ」と題する、Ｙｅｒｒａｍａｌｌｉらによる米国特許出願第１４／６９５，９９８号、および２０１４年７月１６日に出願された、「Ｔｅｃｈｎｉｑｕｅｓ  Ｆｏｒ  Ｓｃａｌｉｎｇ  Ｂａｎｄｗｉｄｔｈ  ｏｆ  ａｎ  Ｕｎｌｉｃｅｎｓｅｄ  Ｒａｄｉｏ  Ｆｒｅｑｕｅｎｃｙ  Ｓｐｅｃｔｒｕｍ  Ｂａｎｄ」と題する、Ｙｅｒｒａｍａｌｌｉらによる米国仮特許出願第６２／０２５，３５８号の優先権を主張する。
【０００２】
[0002]本開示は、ワイヤレス通信システムに関し、より詳細には、無認可無線周波数スペクトル帯域を少なくとも部分的に使用するワイヤレス通信に関する。
【背景技術】
【０００３】
[0003]ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。
【０００４】
[0004]例として、ワイヤレス多元接続通信システムは、各々が、場合によってはユーザ機器（ＵＥ）として知られる複数の通信デバイスに関する通信を同時にサポートする、いくつかの(a number of)基地局を含み得る。基地局は、（たとえば、基地局からＵＥへの送信のために）ダウンリンクチャネル、および（たとえば、ＵＥから基地局への送信のために）アップリンクチャネル上で、ＵＥと通信し得る。
【０００５】
[0005]いくつかの通信モードは、セルラーネットワークの異なる無線周波数スペクトル帯域（たとえば、認可無線周波数スペクトル帯域および／または無認可無線周波数スペクトル帯域）を介してのＵＥとの通信を可能にし得る。セルラーネットワークにおけるデータトラフィックの増加とともに、少なくとも一部のデータトラフィックの、無認可無線周波数スペクトル帯域へのオフローディングは、セルラー事業者に拡張データ送信容量に関する機会を提供し得る。無認可無線周波数スペクトル帯域へのアクセスを獲得し、無認可無線周波数スペクトル帯域を介して通信するより前に、送信装置は、いくつかの例では、無認可無線周波数スペクトル帯域へのアクセスを獲得するために、リッスンビフォアトーク（ＬＢＴ）プロトコルを実装し得る。ＬＢＴプロトコルは、無認可無線周波数スペクトル帯域のサブ−チャネルが利用可能であるか否かを決定するために、クリア  チャネル  アセスメント（ＣＣＡ）手順を実行することを含み得る。無認可無線周波数スペクトル帯域のサブ−チャネルが利用可能であると決定されるとき、送信装置は、無認可無線周波数スペクトル帯域の利用可能なサブ−チャネルを介して通信し得る。
【発明の概要】
【０００６】
[0006]本開示は、たとえば、キャリアの帯域幅をスケーリングするための１つまたは複数の技法に関する。無認可無線周波数スペクトル帯域の利用可能なサブ−チャネルが決定され得、利用可能なサブ−チャネルがキャリア内に含められ得る。利用可能なサブ−チャネルは、隣接サブ−チャネルまたは非隣接サブ−チャネルであり得る。キャリアの帯域幅は、どのサブ−チャネルがキャリア内に含められるかに従って決定され得る。このようにして、キャリアの帯域幅は、無認可無線周波数スペクトル帯域内の利用可能なサブ−チャネルに従ってスケーリングされ得る。
【０００７】
[0007]一例では、ワイヤレス通信に関する方法が説明される。この方法は、無認可無線周波数スペクトル帯域内の複数のサブ−チャネルを識別することと、無認可無線周波数スペクトル帯域を使用するキャリアを介して通信することと、キャリアが、複数のサブ−チャネルの少なくとも第１のサブセットを備え、第１のサブセットが、複数のサブ−チャネルのうちの少なくとも２つのサブ−チャネルを備える、を含み得る。
【０００８】
[0008]いくつかの例では、この方法は、楽観的(optimistic)ＣＣＡしきい値に少なくとも部分的に基づいて、複数のサブ−チャネル上で第１のクリア  チャネル  アセスメント（ＣＣＡ）を実行することと、第１のＣＣＡに少なくとも部分的に基づいて、複数の潜在的(potential)サブ−チャネルを決定することと、複数の潜在的サブ−チャネルが、複数のサブ−チャネルの少なくとも第２のサブセットを備える、を含み得る。いくつかの例では、この方法は、再分配ＣＣＡしきい値に少なくとも部分的に基づいて、複数の潜在的サブ−チャネル上で第２のＣＣＡを実行することと、第２のＣＣＡに少なくとも部分的に基づいて、複数のクリア  サブ−チャネルを決定することと、ここにおいて、キャリアが複数のクリア  サブ−チャネルを備える、を含み得る。この方法のいくつかの例では、楽観的ＣＣＡしきい値は、複数のサブ−チャネルを介した送信に関する電力制約に少なくとも部分的に基づく。この方法のいくつかの例では、再分配ＣＣＡしきい値は、複数のサブ−チャネルの第２のサブセットを介した送信に関する電力制約に少なくとも部分的に基づく。この方法のいくつかの例では、第２のＣＣＡは、複数の潜在的サブ−チャネルに関するＣＣＡカウントダウン  スロットを備え、ここにおいて、複数のクリア  サブ−チャネルを介した通信が、ＣＣＡカウントダウン  スロットが超えられるまで遅延される。この方法のいくつかの例では、第２のＣＣＡは、複数の潜在的サブ−チャネルにわたるエネルギーの合計を測定する、単一のジョイントＣＣＡである。
【０００９】
[0009]この方法のいくつかの例では、複数のサブ−チャネルの第１のサブセットのリソースは、１つの論理グループとしてアドレス指定される。この方法のいくつかの例では、複数のサブ−チャネルの第１のサブセットは、第１のサブ−チャネルと少なくとも１つの第２のサブ−チャネルとを備え、第１のサブ−チャネルは、少なくとも１つの第２のサブ−チャネルに隣接していない。この方法のいくつかの例では、リソースはリソースブロック（ＲＢ）を備える。この方法のいくつかの例では、ＲＢは、少なくとも１つの拡張物理ダウンリンク制御チャネル（ｅＰＤＣＣＨ）を使用して割り当てられ、少なくとも１つのｅＰＤＣＣＨは、複数のサブ−チャネルの第１のサブセットにわたってＲＢを割り当てる。この方法のいくつかの例では、ＲＢは、複数のサブ−チャネルの第１のサブセットにわたって連続している。この方法のいくつかの例では、複数のサブ−チャネルの第１のサブセットは、第１のサブ−チャネルと少なくとも１つの第２のサブ−チャネルとを備え、第１のサブ−チャネルは、少なくとも１つの第２のサブ−チャネルに隣接していない。
【００１０】
[0010]いくつかの例では、この方法は、物理アップリンク制御チャネル（ＰＵＣＣＨ）を決定すること、ＰＵＣＣＨが、複数のサブ−チャネルの第１のサブセットに関するチャネル品質インジケータ（ＣＱＩ）を備える、を含み得る。いくつかの例では、この方法は、少なくとも１つのｅＰＤＣＣＨを決定すること、少なくとも１つのｅＰＤＣＣＨが、複数のサブ−チャネルの第１のサブセットをアドレス指定する、を含み得る。この方法のいくつかの例では、少なくとも１つのｅＰＤＣＣＨは、少なくとも２つのトランスポートブロック（ＴＢ）を備える。この方法のいくつかの例では、少なくとも２つのＴＢのうちの各ＴＢは、複数のサブ−チャネルの第１のサブセットに広がる(span)。この方法のいくつかの例では、少なくとも２つのＴＢのうちの各ＴＢのサイズは、複数のサブ−チャネルの第１のサブセット内のサブ−チャネルの数に少なくとも部分的に基づく。この方法のいくつかの例では、少なくとも１つのｅＰＤＣＣＨのペイロードサイズは、キャリアの帯域幅に少なくとも部分的に基づく。この方法のいくつかの例では、変調およびコーディング方式（ＭＣＳ）は、複数のサブ−チャネルの第１のサブセットのうちの各サブ−チャネルについて同じである。この方法のいくつかの例では、ｅＰＤＣＣＨに関する肯定応答／否定応答（ＡＣＫ／ＮＡＣＫ）は、２ビットを備える。この方法のいくつかの例では、ＲＢ割振りに関するｅＰＤＣＣＨ内のビット数は、キャリアの帯域幅とＲＢグループ（ＲＢＧ）サイズとに少なくとも部分的に基づく。この方法のいくつかの例では、ＲＢＧサイズは、ＣＣＡに少なくとも部分的に基づいて決定される。
【００１１】
[0011]いくつかの例では、この方法は、複数のｅＰＤＣＣＨを決定すること、複数のｅＰＤＣＣＨが、複数のサブ−チャネルの第１のサブセットをアドレス指定する、を含み得る。この方法のいくつかの例では、複数のｅＰＤＣＣＨ内のｅＰＤＣＣＨの各々は、ＲＢのセグメントをアドレス指定するＰＤＣＣＨ識別情報（ＩＤ）を備える。この方法のいくつかの例では、ＲＢの第１のセグメントは、第１のＰＤＣＣＨ  ＩＤによってアドレス指定され、ＲＢの第２のセグメントは、第２のＰＤＣＣＨ  ＩＤによってアドレス指定される。この方法のいくつかの例では、複数のｅＰＤＣＣＨのうちの各ｅＰＤＣＣＨは、ダウンリンク制御情報（ＤＣＩ）を備え、ＤＣＩは、ＰＤＣＣＨ  ＩＤを備える。
【００１２】
[0012]この方法のいくつかの例では、複数のｅＰＤＣＣＨ内のｅＰＤＣＣＨの最大数は、キャリアの帯域幅に少なくとも部分的に基づく。この方法のいくつかの例では、複数のｅＰＤＣＣＨ内のｅＰＤＣＣＨの最大数は、サブ−チャネルの帯域幅で除算されたキャリアの帯域幅に少なくとも部分的に基づく。この方法のいくつかの例では、複数のｅＰＤＣＣＨ内のｅＰＤＣＣＨの最大数は、無線リソース制御（ＲＲＣ）信号によってシグナリングされる。この方法のいくつかの例では、複数のｅＰＤＣＣＨ内のｅＰＤＣＣＨの数は、ｅＰＤＣＣＨ負荷とセル負荷とに少なくとも部分的に基づいて調整される。この方法のいくつかの例では、複数のｅＰＤＣＣＨ内のｅＰＤＣＣＨの最大数は、媒体アクセス制御（ＭＡＣ）シグナリング、拡張システム情報ブロック（ｅＳＩＢ）、またはそれらの組合せのうちの少なくとも１つを使用して調整される。この方法のいくつかの例では、ＲＢのグループのサイズは、ｅＰＤＣＣＨ負荷とセル負荷とに少なくとも部分的に基づいて調整される。
【００１３】
[0013]この方法のいくつかの例では、複数のｅＰＤＣＣＨのうちの各ｅＰＤＣＣＨは、ハイブリッド自動再要求(a hybrid automatic repeat request)（ＨＡＲＱ）プロセスに対応するデータを備える。この方法のいくつかの例では、ＤＣＩのサイズは、キャリアの帯域幅とＲＢＧサイズとに少なくとも部分的に基づく。この方法のいくつかの例では、ＲＢＧサイズは、ＣＣＡに少なくとも部分的に基づく。この方法のいくつかの例では、複数のｅＰＤＣＣＨのうちの各ｅＰＤＣＣＨは、許可ＩＤとキャリアインジケータフィールド（ＣＩＦ）とを備える。この方法のいくつかの例では、複数のｅＰＤＣＣＨは、ＣＩＦの探索空間内に配置される。この方法のいくつかの例では、探索空間は、許可ＩＤとＣＩＦとに少なくとも部分的に基づく。この方法のいくつかの例では、複数のｅＰＤＣＣＨは、複数のセル無線ネットワーク一時識別子（Ｃ−ＲＮＴＩ）によってスクランブルされる(scrambled)。
【００１４】
[0014]この方法のいくつかの例では、アップリンクＡＣＫは、数ｅＰＤＣＣＨ許可(a numberｅＰＤＣＣＨ)と、複数のｅＰＤＣＣＨ内の各ｅＰＤＣＣＨ内のＴＢの数とに少なくとも部分的に基づく。この方法のいくつかの例では、アップリンクＡＣＫは、許可ＩＤとＣＩＦとに少なくとも部分的に基づいて多重化される。この方法のいくつかの例では、アップリンクＡＣＫは、ＴＢ  ＩＤと、許可ＩＤと、ＣＩＦとに少なくとも部分的に基づいて多重化される。
【００１５】
[0015]いくつかの例では、この方法は、キャリアマップを決定することと、キャリアマップが、キャリアと、複数のサブ−チャネルの第１のサブセットとを識別する、ユーザ機器（ＵＥ）にキャリアマップを通信することとを含み得る。この方法のいくつかの例では、キャリアマップは、ＲＲＣ信号によってＵＥに通信される。この方法のいくつかの例では、キャリアマップは、複数のサブ−チャネルの少なくとも１つの追加のサブセットを識別する。この方法のいくつかの例では、キャリアマップは、少なくとも１つのＵＥのマスクを備え、少なくとも１つのＵＥのマスクは、ＵＥがダウンリンク（ＤＬ）データについて監視するための、複数のサブ−チャネルのうちの少なくとも１つのサブ−チャネルを識別する。
【００１６】
[0016]いくつかの例では、この方法は、ＣＣＡの結果を決定することと、ＵＥにＣＣＡの結果を通信することとを含み得る。この方法のいくつかの例では、認可無線周波数スペクトル帯域を使用するキャリアを介して、ＣＣＡの結果をブロードキャストすることによって、ＣＣＡの結果がＵＥに通信される。この方法のいくつかの例では、無認可無線周波数スペクトル帯域を使用するキャリアを介して、ＣＣＡの結果をブロードキャストすることによって、ＣＣＡの結果がＵＥに通信される。この方法のいくつかの例では、ＣＣＡの結果は、修正された無線ネットワーク一時識別子（ＲＮＴＩ）を備えるＤＣＩ内でＵＥに通信される。この方法のいくつかの例では、ＣＣＡの結果は、チャネル使用ビーコン信号（ＣＵＢＳ：channel usage beacon signal）とともにＵＥに通信される。この方法のいくつかの例では、ＣＣＡの結果は、通信のために利用可能な複数のサブ−チャネルのうちの少なくとも１つのサブ−チャネルを識別する。
【００１７】
[0017]いくつかの例では、この方法は、少なくとも１つのＵＥのマスクとＣＣＡの結果とに少なくとも部分的に基づいて、複数のサブ−チャネルのうちの少なくとも１つの利用可能なサブ−チャネルを決定することを含み得る。この方法のいくつかの例では、少なくとも１つの利用可能なサブ−チャネルは、少なくとも１つのＵＥのマスクとＣＣＡの結果とを組み合わせることによって決定される。この方法のいくつかの例では、ＵＥのマスクによって識別される複数のサブ−チャネルのうちの少なくとも１つのサブ−チャネルは、動的に変動される。この方法のいくつかの例では、ＵＥのマスクの動的変動は、媒体アクセス制御（ＭＡＣ）シグナリングに少なくとも部分的に基づく。この方法のいくつかの例では、ＵＥのマスクの動的変動は、システムフレーム番号（ＳＦＮ）シグナリングに少なくとも部分的に基づく。
【００１８】
[0018]いくつかの例では、この方法は、キャリアを介して、クリア  チャネル  アセスメント免除送信（ＣＥＴ：Clear channel assessment Exempt Transmission）を通信することを含み得る。この方法のいくつかの例では、ＣＥＴは、複数のサブ−チャネルの第１のサブセットのうちの各サブ−チャネル上で反復される。この方法のいくつかの例では、ＣＥＴは、キャリアの帯域幅に広がる。この方法のいくつかの例では、ＣＥＴは、複数のサブ−チャネルの第１のサブセットのうちの各サブ−チャネル上で同時に反復される。この方法のいくつかの例では、ＣＥＴは、複数のサブ−チャネルの第１のサブセットのうちの各サブ−チャネル上で異なる時間に反復される。
【００１９】
[0019]いくつかの例では、この方法は、無認可無線周波数スペクトル帯域を使用する少なくとも１つの追加のキャリアを介して通信すること、少なくとも１つの追加のキャリアが、複数のサブ−チャネルの少なくとも第２のサブセットを備える、を含み得、ここにおいて、複数のサブ−チャネルの第１のサブセットと複数のサブ−チャネルの第２のサブセットとの各サブ−チャネルに関する送信電力が、無認可無線周波数スペクトル帯域に関する電力制約に少なくとも部分的に基づいて決定される。この方法のいくつかの例では、各サブ−チャネルに関する送信電力は、複数のサブ−チャネルの第１のサブセット内のサブ−チャネルの数と、複数のサブ−チャネルの第２のサブセット内のサブ−チャネルの数とに少なくとも部分的に基づく。
【００２０】
[0020]この方法のいくつかの例では、複数のサブ−チャネルの第１のサブセットの第１のサブ−チャネルは、第１の送信電力を割り振られ、複数のサブ−チャネルの第１のサブセットの少なくとも１つの第２のサブ−チャネルは、第２の送信電力を割り振られ、第１の送信電力は第２の送信電力とは異なる。この方法のいくつかの例では、第１の送信電力および第２の送信電力は、あらかじめ定義された値である。この方法のいくつかの例では、ＣＥＴは、あらかじめ定義された値を備える。この方法のいくつかの例では、第１の送信電力および第２の送信電力は、第１のサブ−チャネルおよび少なくとも１つの第２のサブ−チャネルに関する所望されたカバレージエリアに少なくとも部分的に基づく。この方法のいくつかの例では、第１の送信電力および第２の送信電力は、第１のサブ−チャネルおよび少なくとも１つの第２のサブ−チャネルに関する所望された容量に少なくとも部分的に基づく。この方法のいくつかの例では、第１の送信電力および第２の送信電力は、複数のサブ−チャネルの第１のサブセット内のサブ−チャネルの数に少なくとも部分的に基づく。
【００２１】
[0021]いくつかの例では、この方法は、第１のサブ−チャネル上で第１の基準信号を送信することと、少なくとも１つの第２のサブ−チャネル上で第２の基準信号を送信することと、ここにおいて、第１の基準信号に関する送信電力が、第２の基準信号に関する送信電力と同じである、を含み得る。この方法のいくつかの例では、第１の基準信号および第２の基準信号は、拡張共通基準信号（ｅＣＲＳ：extended Common Reference Signal）を備える。この方法のいくつかの例では、第１の基準信号および第２の基準信号は、チャネル状態情報基準信号（ＣＳＩ−ＲＳ：Channel State Information Reference Signal）を備える。この方法のいくつかの例では、第１の基準信号および第２の基準信号に関する送信電力は、固定値である。
【００２２】
[0022]いくつかの例では、この方法は、シーケンスを生成することを含み得る。この方法のいくつかの例では、いくつかのＲＢが、シーケンス生成において使用され、ＲＢの数が、キャリアの帯域幅に少なくとも部分的に基づく。この方法のいくつかの例では、シーケンスは、複数のサブ−チャネルの第１のサブセットのうちの各サブ−チャネル上で反復される。この方法のいくつかの例では、シーケンスが複数のサブ−チャネルのために生成され、この方法は、複数のサブ−チャネルの第１のサブセット内のサブ−チャネルに少なくとも部分的に基づいて、シーケンスをパンクチャすることを含み得る。この方法のいくつかの例では、複数のサブ−チャネルの第１のサブセット内のサブ−チャネルは、少なくとも部分的にＣＣＡの結果によって決定される。この方法のいくつかの例では、シーケンスは、復調基準信号（ＤＭ−ＲＳ）、拡張共通基準信号（ｅＣＲＳ）、チャネル使用ビーコン信号（ＣＵＢＳ）、またはチャネル状態情報基準信号（ＣＳＩ−ＲＳ）のうちの少なくとも１つを備える。
【００２３】
[0023]いくつかの例では、この方法は、複数のサブ−チャネルの第１のサブセットに対応する複数のフィルタのサブセットを選択することを含み得る。この方法のいくつかの例では、複数のフィルタの選択されたサブセットは、キャリアの帯域幅に広がる。この方法のいくつかの例では、複数のサブ−チャネルの第１のサブセットは、第１のサブ−チャネルと少なくとも１つの第２のサブ−チャネルとを備え、第１のサブ−チャネルは、少なくとも１つの第２のサブ−チャネルに隣接していない。この方法のいくつかの例では、複数のフィルタの選択されたサブセット内の少なくとも１つのフィルタは、２つのサブ−チャネル間の少なくとも１つのガード  バンド(guard band)に広がる。
【００２４】
[0024]別の例では、ワイヤレス通信に関する装置が説明される。この装置は、プロセッサと、プロセッサと電子通信しているメモリと、メモリに記憶された命令とを含み得る。この命令は、無認可無線周波数スペクトル帯域内の複数のサブ−チャネルを識別することと、無認可無線周波数スペクトル帯域を使用するキャリアを介して通信することと、キャリアが、複数のサブ−チャネルの少なくとも第１のサブセットを備え、第１のサブセットが、複数のサブ−チャネルのうちの少なくとも２つのサブ−チャネルを備える、を行うためにプロセッサによって実行可能であり得る。この装置のいくつかの例では、この命令はまた、上記で説明されたワイヤレス通信に関する方法の例の１つまたは複数の態様を実装するために、プロセッサによって実行可能であり得る。
【００２５】
[0025]また別の例では、ワイヤレス通信に関する装置が説明される。この装置は、無認可無線周波数スペクトル帯域内の複数のサブ−チャネルを識別するための手段と、無認可無線周波数スペクトル帯域を使用するキャリアを介して通信するための手段と、キャリアが、複数のサブ−チャネルの少なくとも第１のサブセットを備え、第１のサブセットが、複数のサブ−チャネルのうちの少なくとも２つのサブ−チャネルを備える、を含み得る。いくつかの例では、この装置は、上記で説明されたワイヤレス通信に関する方法の例の１つまたは複数の態様を実装するための手段をさらに含み得る。
【００２６】
[0026]また別の例では、ワイヤレス通信に関するコンピュータ実行可能コードを記憶する非一時的コンピュータ可読媒体が説明される。このコードは、無認可無線周波数スペクトル帯域内の複数のサブ−チャネルを識別することと、無認可無線周波数スペクトル帯域を使用するキャリアを介して通信することと、キャリアが、複数のサブ−チャネルの少なくとも第１のサブセットを備え、第１のサブセットが、複数のサブ−チャネルのうちの少なくとも２つのサブ−チャネルを備える、を行うためにプロセッサによって実行可能であり得る。この非一時的コンピュータ可読媒体のいくつかの例では、このコードはまた、上記で説明されたワイヤレス通信に関する方法の例の１つまたは複数の態様を実装するために、プロセッサによって実行可能であり得る。
【００２７】
[0027]上記では、以下の発明を実施するための形態がよりよく理解され得るように、本開示による例の特徴および技術的利点をかなり広く概説した。追加の特徴および利点が以下で説明される。開示される概念および具体例は、本開示の同じ目的を遂行するための他の構造を変更または設計するための基礎として容易に利用され得る。そのような等価な構成は、添付の特許請求の範囲から逸脱しない。関連する利点とともに、本明細書で開示される概念の特性、それらの編成と動作の方法の両方は、添付の図に関して検討されるとき、以下の説明からよりよく理解されよう。図の各々は、例示および説明のみのために与えられ、特許請求の範囲の限定の定義として与えられるものではない。
【００２８】
[0028]以下の図面を参照することによって、本発明の性質および利点のさらなる理解が得られ得る。添付の図において、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが本明細書において使用される場合、その説明は、第２の参照ラベルにかかわらず、同じ第１の参照ラベルを有する同様の構成要素のうちのいずれか１つに適用可能である。
【図面の簡単な説明】
【００２９】
【図１】[0029]本開示の様々な態様による、ワイヤレス通信システムのブロック図。
【図２】[0030]本開示の様々な態様による、無認可無線周波数スペクトル帯域を使用する異なるシナリオの下でＬＴＥ（登録商標）／ＬＴＥ−Ａが展開されるワイヤレス通信システムを示す図。
【図３Ａ】[0031]本開示の様々な態様による、無認可周波数スペクトル帯域のサブ−チャネルの例を示す図。
【図３Ｂ】[0032]本開示の様々な態様による、公称サブ−チャネル帯域幅に関する電力スペクトルマスクの一例を示す図。
【図４】[0033]本開示の様々な態様による、無認可無線周波数スペクトル帯域展開に関するカバレージエリアの例を示す図。
【図５】[0034]本開示の様々な態様による、無認可無線周波数スペクトル帯域におけるスケーラブルな帯域幅をもつキャリアに関するＲＢセグメントの例を示す図。
【図６】[0035]本開示の様々な態様による、ＣＣＡ免除送信（ＣＥＴ：CCA exempt transmission）ロケーションの一例を示すタイミング図。
【図７】[0036]本開示の様々な態様による、ＣＥＴロケーションの別の例を示すタイミング図。
【図８】[0037]本開示の様々な態様による、スケーラブル帯域幅キャリアとともに使用するためのＩＦＦＴおよびフィルタバンクのブロック図。
【図９】[0038]本開示の様々な態様による、ワイヤレス通信において使用するための装置のブロック図。
【図１０】[0039]本開示の様々な態様による、ワイヤレス通信において使用するための装置のブロック図。
【図１１】[0040]本開示の様々な態様による、ワイヤレス通信において使用するための装置のブロック図。
【図１２】[0041]本開示の様々な態様による、ワイヤレス通信において使用するための装置のブロック図。
【図１３】[0042]本開示の様々な態様による、ワイヤレス通信において使用するための装置のブロック図。
【図１４】[0043]本開示の様々な態様による、ワイヤレス通信において使用するための装置のブロック図。
【図１５】[0044]本開示の様々な態様による、ワイヤレス通信において使用するための装置のブロック図。
【図１６】[0045]本開示の様々な態様による、ワイヤレス通信において使用するための装置のブロック図。
【図１７】[0046]本開示の様々な態様による、ワイヤレス通信において使用するための装置のブロック図。
【図１８】[0047]本開示の様々な態様による、ワイヤレス通信において使用するための装置のブロック図。
【図１９】[0048]本開示の様々な態様による、ワイヤレス通信において使用するための装置のブロック図。
【図２０】[0049]本開示の様々な態様による、ワイヤレス通信において使用するための装置のブロック図。
【図２１】[0050]本開示の様々な態様による、ワイヤレス通信において使用するための装置のブロック図。
【図２２】[0051]本開示の様々な態様による、ワイヤレス通信において使用するための装置のブロック図。
【図２３】[0052]本開示の様々な態様による、ワイヤレス通信において使用するための基地局（たとえば、ｅＮＢの一部または全部を形成する基地局）のブロック図。
【図２４】[0053]本開示の様々な態様による、ワイヤレス通信において使用するためのＵＥのブロック図。
【図２５】[0054]本開示の様々な態様による、ワイヤレス通信に関する方法の一例を示すフローチャート。
【図２６】[0055]本開示の様々な態様による、ワイヤレス通信に関する方法の一例を示すフローチャート。
【図２７】[0056]本開示の様々な態様による、ワイヤレス通信に関する方法の一例を示すフローチャート。
【図２８】[0057]本開示の様々な態様による、ワイヤレス通信に関する方法の一例を示すフローチャート。
【図２９】[0058]本開示の様々な態様による、ワイヤレス通信に関する方法の一例を示すフローチャート。
【図３０】[0059]本開示の様々な態様による、ワイヤレス通信に関する方法の一例を示すフローチャート。
【図３１】[0060]本開示の様々な態様による、ワイヤレス通信に関する方法の一例を示すフローチャート。
【図３２】[0061]本開示の様々な態様による、ワイヤレス通信に関する方法の一例を示すフローチャート。
【図３３】[0062]本開示の様々な態様による、ワイヤレス通信に関する方法の一例を示すフローチャート。
【図３４】[0063]本開示の様々な態様による、ワイヤレス通信に関する方法の一例を示すフローチャート。
【図３５】[0064]本開示の様々な態様による、ワイヤレス通信に関する方法の一例を示すフローチャート。
【図３６】[0065]本開示の様々な態様による、ワイヤレス通信に関する方法の一例を示すフローチャート。
【図３７】[0066]本開示の様々な態様による、ワイヤレス通信に関する方法の一例を示すフローチャート。
【図３８】[0067]本開示の様々な態様による、ワイヤレス通信に関する方法の一例を示すフローチャート。
【発明を実施するための形態】
【００３０】
[0068]無認可無線周波数スペクトル帯域を介した通信のために使用される帯域幅をスケーリングするための技法が説明される。いくつかの例では、無認可無線周波数スペクトル帯域が、Ｗｉ−Ｆｉ（登録商標）使用などの公共の使用のために利用可能であるので、装置は、無認可無線周波数スペクトル帯域へのアクセスを求めて競合し得る。いくつかの例では、無認可無線周波数スペクトル帯域は、セルラー通信（たとえば、ロングタームエボリューション（ＬＴＥ）通信および／またはＬＴＥアドバンスト（ＬＴＥ−Ａ）通信）のために使用され得る。
【００３１】
[0069]認可無線周波数スペクトル帯域を使用するセルラーネットワークにおけるデータトラフィックの増加とともに、少なくとも一部のデータトラフィックの、無認可無線周波数スペクトル帯域へのオフローディングは、セルラー事業者（たとえば、パブリックランドモバイルネットワーク（ＰＬＭＮ）、および／またはＬＴＥ／ＬＴＥ−Ａネットワークなどのセルラーネットワークを定義する基地局の協調セットの事業者）に拡張データ送信容量に関する機会を提供し得る。無認可無線周波数スペクトル帯域へのアクセスを獲得し、無認可無線周波数スペクトル帯域を介して通信するより前に、送信装置は、いくつかの例では、無認可無線周波数スペクトル帯域へのアクセスを獲得するために、リッスンビフォアトーク（ＬＢＴ）手順を実行し得る。そのようなＬＢＴ手順は、無認可無線周波数スペクトル帯域のサブ−チャネルが利用可能であるか否かを決定するために、クリア  チャネル  アセスメント（ＣＣＡ）手順（または、拡張ＣＣＡ手順（ｅＣＣＡ））を実行することを含み得る。サブ−チャネルが利用可能であると決定されるとき、送信装置は、利用可能なサブ−チャネルを含むキャリアを介して通信し得る。いくつかの例では、無認可無線周波数スペクトル帯域の複数のサブ−チャネルが利用可能であると決定され得る。複数のサブ−チャネルが利用可能であるとき、送信装置は、無認可無線周波数スペクトル帯域の複数の利用可能なサブ−チャネルを含むキャリアを介して通信し得る。
【００３２】
[0070]本明細書で説明される技法は、ＣＤＭＡ、ＴＤＭＡ、ＦＤＭＡ、ＯＦＤＭＡ、ＳＣ−ＦＤＭＡ、および他のシステムなどの様々なワイヤレス通信システムに使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００規格と、ＩＳ−９５規格と、ＩＳ−８５６規格とをカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））とＣＤＭＡの他の変形態とを含む。ＴＤＭＡシステムは、モバイル通信用グローバルシステム（ＧＳＭ（登録商標））などの無線技術を実装し得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ（登録商標））、ＩＥＥＥ８０２．２０、Ｆｌａｓｈ−ＯＦＤＭ（商標）などの無線技術を実装し得る。ＵＴＲＡおよびＥ−ＵＴＲＡはユニバーサルモバイルテレコミュニケーションシステム（ＵＭＴＳ）の一部である。ＬＴＥおよびＬＴＥ−Ａは、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ（登録商標））と称する団体からの文書に記載されている。ＣＤＭＡ２０００およびＵＭＢは、「第３世代パートナーシッププロジェクト２」（３ＧＰＰ２）と称する団体からの文書に記載されている。本明細書で説明される技法は、上記のシステムおよび無線技術、ならびに他のシステムおよび無線技術に使用され得る。しかしながら、以下の説明では、例としてＬＴＥシステムについて説明し、以下の説明の大部分でＬＴＥ用語が使用されるが、本技法はＬＴＥ適用例以外に適用可能である。
【００３３】
[0071]以下の説明は例を提供するものであり、特許請求の範囲に記載される範囲、適用可能性、または例を限定するものではない。本開示の範囲から逸脱することなく、論じられる要素の機能および構成に変更が行われ得る。様々な例は、適宜に様々な手順または構成要素を省略、置換、または追加し得る。たとえば、説明される方法は、説明される順序とは異なる順序で実行され得、様々なステップが追加、省略、または組み合わせられ得る。また、いくつかの例に関して説明される特徴は、他の例では組み合わせられ得る。
【００３４】
[0072]図１は、本開示の様々な態様による、ワイヤレス通信システム１００のブロック図を示す。ワイヤレス通信システム１００は、複数の基地局１０５と、いくつかのユーザ機器（ＵＥ）１１５と、コアネットワーク１３０とを含み得る。基地局１０５のいくつかは、様々な例ではコアネットワーク１３０の一部または基地局１０５のうちのいくつかであり得る、基地局コントローラ（図示されず）の制御下でＵＥ１１５と通信し得る。基地局１０５のうちのいくつかは、バックホール１３２を通してコアネットワーク１３０と制御情報および／またはユーザデータを通信し得る。いくつかの例では、基地局１０５のうちのいくつかは、ワイヤードまたはワイヤレス通信リンクであり得るバックホールリンク１３４を介して互いに直接または間接的に通信し得る。ワイヤレス通信システム１００は、複数のキャリア（異なる周波数の波形信号）上での動作をサポートし得る。マルチキャリア送信機は、複数のキャリア上で同時に、変調された信号を送信することができる。たとえば、各通信リンク１２５は、様々な無線技術に従って変調されたマルチキャリア信号であり得る。各々の変調された信号は、異なるキャリア上で送られ得、制御情報（たとえば、基準信号、制御チャネルなど）、オーバーヘッド情報、データなどを搬送し得る。
【００３５】
[0073]基地局１０５は、１つまたは複数の基地局アンテナを介してＵＥ１１５とワイヤレス通信し得る。基地局１０５の各々は、それぞれのカバレージエリア１１０に通信カバレージを与え得る。いくつかの例では、基地局１０５は、アクセスポイント、基地局トランシーバ（ＢＴＳ）、無線基地局、無線トランシーバ、基本サービスセット（ＢＳＳ）、拡張サービスセット（ＥＳＳ）、ノードＢ、発展型ノードＢ（ｅＮＢ）、ホームノードＢ、ホームｅノードＢ、ワイヤレスローカルエリアネットワーク（ＷＬＡＮ）アクセスポイント、Ｗｉ−Ｆｉノード、または何らかの他の好適な用語で呼ばれることがある。基地局１０５に関するカバレージエリア１１０は、カバレージエリアの一部分のみを構成するセクタに分割され得る。ワイヤレス通信システム１００は、異なるタイプ（たとえば、マクロ基地局、マイクロ基地局、および／またはピコ基地局）の基地局１０５を含み得る。基地局１０５はまた、セルラーおよび／またはＷＬＡＮ無線アクセス技術などの異なる無線技術を利用し得る。基地局１０５は、同じまたは異なるアクセスネットワークまたは事業者展開（たとえば、本明細書では「事業者」と総称される）に関連付けられ得る。同じもしくは異なるタイプの基地局１０５のカバレージエリアを含み、同じもしくは異なる無線技術を利用し、および／または同じもしくは異なるアクセスネットワークに属する、異なる基地局１０５のカバレージエリアは重複し得る。
【００３６】
[0074]いくつかの例では、ワイヤレス通信システム１００は、ＬＴＥ／ＬＴＥ−Ａ通信システム（またはネットワーク）を含み得、そのＬＴＥ／ＬＴＥ−Ａ通信システムは、認可無線周波数スペクトル帯域（たとえば、無線周波数スペクトル帯域がＬＴＥ／ＬＴＥ−Ａ通信のためなどの使用のためにユーザに認可されているので、装置がそれのためにアクセスを求めて競合しない無線周波数スペクトル帯域）、および／または無認可無線周波数スペクトル帯域（たとえば、無線周波数スペクトル帯域がＷｉ−Ｆｉ使用などの公共の使用のために利用可能であるので、もしくは、無線周波数スペクトル帯域が競合ベースで２つ以上の事業者による使用のために利用可能であるので、装置がそれのためにアクセスを求めて競合する必要があり得る共有無線周波数スペクトル帯域）における、１つまたは複数の動作モードまたは展開をサポートし得る。他の例では、ワイヤレス通信システム１００は、ＬＴＥ／ＬＴＥ−Ａとは異なる１つまたは複数のアクセス技術を使用して、ワイヤレス通信をサポートし得る。ＬＴＥ／ＬＴＥ−Ａ通信システムでは、発展型ノードＢまたはｅＮＢという用語は、たとえば、基地局１０５の複数またはグループを表すために使用され得る。
【００３７】
[0075]ワイヤレス通信システム１００は、異なるタイプの基地局１０５が様々な地理的領域にカバレージを与える、異種ＬＴＥ／ＬＴＥ−Ａネットワークであるか、またはそれを含み得る。たとえば、各基地局１０５は、マクロセル、ピコセル、フェムトセル、および／または他のタイプのセルに通信カバレージを与え得る。ピコセル、フェムトセル、および／または他のタイプのセルなどのスモールセルは、低電力ノードまたはＬＰＮを含み得る。マクロセルは、たとえば、比較的大きい地理的エリア（たとえば、半径数キロメートル）をカバーし、ネットワークプロバイダのサービスに加入しているＵＥによる無制限アクセスを可能にし得る。ピコセルは、たとえば、比較的小さい地理的エリアをカバーし、ネットワークプロバイダのサービスに加入しているＵＥによる無制限アクセスを可能にし得る。また、フェムトセルは、たとえば、比較的小さい地理的エリア（たとえば、自宅）をカバーし、無制限アクセスに加えて、フェムトセルとの関連を有するＵＥ（たとえば、限定加入者グループ（ＣＳＧ）中のＵＥ、自宅内のユーザに関するＵＥなど）による制限付きアクセスも与え得る。マクロセルに関するｅＮＢは、マクロｅＮＢと呼ばれることがある。ピコセルに関するｅＮＢは、ピコｅＮＢと呼ばれることがある。また、フェムトセルに関するｅＮＢは、フェムトｅＮＢまたはホームｅＮＢと呼ばれることがある。ｅＮＢは、１つまたは複数の（たとえば、２つ、３つ、４つなどの）セルをサポートし得る。
【００３８】
[0076]コアネットワーク１３０は、バックホール１３２（たとえば、Ｓ１アプリケーションプロトコルなど）を介して基地局１０５と通信し得る。基地局１０５はまた、たとえば、バックホールリンク１３４（たとえば、Ｘ２アプリケーションプロトコルなど）を介しておよび／またはバックホール１３２を介して（たとえば、コアネットワーク１３０を通じて）、直接または間接的に互いに通信し得る。ワイヤレス通信システム１００は、同期動作または非同期動作をサポートし得る。同期動作の場合、ｅＮＢは同様のフレームタイミングおよび／またはゲーティングタイミングを有し得、異なるｅＮＢからの送信は時間的にほぼ整合され得る。非同期動作の場合、ｅＮＢは異なるフレームタイミングおよび／またはゲーティングタイミングを有し得、異なるｅＮＢからの送信は時間的に整合されないことがある。
【００３９】
[0077]ＵＥ１１５は、ワイヤレス通信システム１００全体にわたって分散されていることがある。ＵＥ１１５は、当業者によって、モバイルデバイス、移動局、加入者局、モバイルユニット、加入者ユニット、ワイヤレスユニット、リモートユニット、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、時計または眼鏡などのウェアラブルアイテム、ワイヤレスローカルループ（ＷＬＬ）局などであり得る。ＵＥ１１５は、マクロｅＮＢ、ピコｅＮＢ、フェムトｅＮＢ、リレーなどと通信することが可能であり得る。ＵＥ１１５はまた、セルラーもしくは他のワイヤレスワイドエリアネットワーク（ＷＷＡＮ）、またはＷＬＡＮなど、異なるタイプのアクセスネットワーク上で通信することも可能であり得る。ＵＥ１１５との通信のいくつかのモードでは、通信は、複数の通信リンク１２５（すなわち、キャリア）を介して行われ得、各通信リンク１２５は、ＵＥ１１５といくつかのセルのうちの１つ（たとえば、サービングセル、そのセルは、場合によっては同じまたは異なる基地局１０５によって動作され得る）との間のキャリアを使用する。
【００４０】
[0078]各キャリアは、認可無線周波数スペクトル帯域または無認可無線周波数スペクトル帯域を介して与えられ得る。ある通信モードで使用されるキャリアのセットは、すべて、（たとえば、ＵＥ１１５において）認可無線周波数スペクトル帯域を介して受信されるか、すべて、（たとえば、ＵＥ１１５において）無認可無線周波数スペクトル帯域を介して受信されるか、または（たとえば、ＵＥ１１５において）認可無線周波数スペクトル帯域と無認可無線周波数スペクトル帯域との組合せを介して受信され得る。
【００４１】
[0079]無認可無線周波数スペクトル帯域を介して与えられるキャリアは、無認可無線周波数スペクトル帯域の１つまたは複数のサブ−チャネルを含み得る。各サブ−チャネルは、無認可無線周波数スペクトル帯域の指定された帯域幅（たとえば、２０ＭＨｚ）に関連付けられ得る。キャリアは、キャリア内に含まれる無認可無線周波数スペクトル帯域のサブ−チャネルの数を調整することによって、帯域幅をスケーリングし得る。キャリア内に含まれるサブ−チャネルは、無認可無線周波数スペクトル帯域の隣接サブ−チャネル、無認可無線周波数スペクトル帯域の非隣接サブ−チャネル、または、無認可無線周波数スペクトル帯域の隣接サブ−チャネルと非隣接サブ−チャネルとの組合せであり得る。
【００４２】
[0080]ワイヤレス通信システム１００内に示された通信リンク１２５は、アップリンク（ＵＬ）通信（たとえば、ＵＥ１１５から基地局１０５への送信）、および／またはダウンリンク（ＤＬ）通信（たとえば、基地局１０５からＵＥ１１５への送信）を含み得る。ＵＬ通信または送信は、逆方向リンク通信または送信と呼ばれることもあり、ＤＬ通信または送信は、順方向リンク通信または送信と呼ばれることもある。ダウンリンク通信および／またはアップリンク通信は、認可無線周波数スペクトル帯域、無認可無線周波数スペクトル帯域、またはその両方を使用して行われ得る。
【００４３】
[0081]ワイヤレス通信システム１００のいくつかの例では、ＬＴＥ／ＬＴＥ−Ａは、無認可無線周波数スペクトル帯域を使用する異なるシナリオの下で展開され得る。展開シナリオは、認可無線周波数スペクトル帯域におけるＬＴＥ／ＬＴＥ−Ａダウンリンク通信が無認可無線周波数スペクトル帯域にオフロードされ得る補足ダウンリンクモード、ＬＴＥ／ＬＴＥ−Ａダウンリンク通信とＬＴＥ／ＬＴＥ−Ａアップリンク通信の両方が認可無線周波数スペクトル帯域から無認可無線周波数スペクトル帯域にオフロードされ得るキャリアアグリゲーション（ＣＡ）モード、ならびに／または基地局１０５とＵＥ１１５との間のＬＴＥ／ＬＴＥ−Ａダウンリンクおよびアップリンク通信が無認可無線周波数スペクトル帯域において行われ得るスタンドアロンモードを含み得る。基地局１０５ならびにＵＥ１１５は、いくつかの例では、これらまたは同様の動作モードのうちの１つまたは複数をサポートし得る。ＯＦＤＭＡ波形は、認可無線周波数スペクトル帯域および／または無認可無線周波数スペクトル帯域におけるＬＴＥ／ＬＴＥ−Ａダウンリンク通信のために通信リンク１２５において使用され得、一方、ＯＦＤＭＡ波形、ＳＣ−ＦＤＭＡ波形、および／またはリソースブロックインターリーブＦＤＭＡ波形は、認可無線周波数スペクトル帯域および／または無認可無線周波数スペクトル帯域におけるＬＴＥ／ＬＴＥ−Ａアップリンク通信のために通信リンク１２５において使用され得る。
【００４４】
[0082]図２は、本開示の様々な態様による、無認可無線周波数スペクトル帯域を使用する異なるシナリオの下でＬＴＥ／ＬＴＥ−Ａが展開されるワイヤレス通信システム２００を示す。より詳細には、図２は、無認可無線周波数スペクトル帯域を使用してＬＴＥ／ＬＴＥ−Ａが展開される、補足ダウンリンクモードと、キャリアアグリゲーション（ＣＡ）モードと、スタンドアロンモードとの例を示す。ワイヤレス通信システム２００は、図１に関して説明されたワイヤレス通信システム１００の部分の一例であり得る。その上、第１の基地局２０５および第２の基地局２０５−ａは、図１に関して説明された基地局１０５のうちの１つまたは複数の態様の例であり得、第１のＵＥ２１５、第２のＵＥ２１５−ａ、第３のＵＥ２１５−ｂ、および第４のＵＥ２１５−ｃは、図１に関して説明されたＵＥ１１５のうちの１つまたは複数の態様の例であり得る。
【００４５】
[0083]ワイヤレス通信システム２００における補足ダウンリンクモードの例では、第１の基地局２０５は、ダウンリンク２２０を使用して第１のＵＥ２１５にＯＦＤＭＡ波形を送信し得る。ダウンリンク２２０は、無認可無線周波数スペクトル帯域の１つまたは複数のサブ−チャネルに関連付けられ得、各サブ−チャネルは、無認可無線周波数スペクトル帯域の指定された帯域幅（たとえば、２０ＭＨｚ）に関連付けられ得る。第１の基地局２０５は、第１の双方向リンク２２５を使用して第１のＵＥ２１５にＯＦＤＭＡ波形を送信し得、第１の双方向リンク２２５を使用して第１のＵＥ２１５からＳＣ−ＦＤＭＡ波形を受信し得る。第１の双方向リンク２２５は、認可無線周波数スペクトル帯域の１つまたは周波数に関連付けられ得る。無認可無線周波数スペクトル帯域におけるダウンリンク２２０、および認可無線周波数スペクトル帯域における第１の双方向リンク２２５は、同時に動作し得る。ダウンリンク２２０は、第１の基地局２０５にダウンリンク容量のオフロードを提供し得る。いくつかの例では、ダウンリンク２２０は、（たとえば、１つのＵＥに宛てられる）ユニキャストサービスのために、または（たとえば、いくつかのＵＥに宛てられる）マルチキャストサービスのために使用され得る。このシナリオは、認可無線周波数スペクトルを使用し、トラフィックおよび／またはシグナリングの輻輳の一部を軽減する必要がある、任意のサービスプロバイダ（たとえば、モバイルネットワーク事業者（ＭＮＯ））に対して生じ得る。
【００４６】
[0084]ワイヤレス通信システム２００におけるキャリアアグリゲーション（ＣＡ）モードの一例では、第１の基地局２０５は、第２の双方向リンク２３０を使用して第２のＵＥ２１５−ａにＯＦＤＭＡ波形を送信し得、第２の双方向リンク２３０を使用して第２のＵＥ２１５−ａからＯＦＤＭＡ波形、ＳＣ−ＦＤＭＡ波形、および／またはリソースブロックインターリーブＦＤＭＡ波形を受信し得る。第２の双方向リンク２３０は、無認可無線周波数スペクトル帯域の１つまたは複数のサブ−チャネルに関連付けられ得、各サブ−チャネルは、無認可無線周波数スペクトル帯域の指定された帯域幅（たとえば、２０ＭＨｚ）に関連付けられ得る。第１の基地局２０５はまた、第３の双方向リンク２３５を使用して第２のＵＥ２１５−ａにＯＦＤＭＡ波形を送信し得、第３の双方向リンク２３５を使用して第２のＵＥ２１５−ａからＳＣ−ＦＤＭＡ波形を受信し得る。第３の双方向リンク２３５は、認可無線周波数スペクトル帯域の１つまたは複数の周波数に関連付けられ得る。第２の双方向リンク２３０は、第１の基地局２０５にダウンリンク容量およびアップリンク容量のオフロードを提供し得る。上記で説明された補足ダウンリンクのように、このシナリオは、認可無線周波数スペクトルを使用し、トラフィックおよび／またはシグナリングの輻輳の一部を軽減する必要がある、任意のサービスプロバイダ（たとえば、ＭＮＯ）に対して生じ得る。
【００４７】
[0085]ワイヤレス通信システム２００におけるキャリアアグリゲーション（ＣＡ）モードの別の例では、第１の基地局２０５は、第４の双方向リンク２４０を使用して第３のＵＥ２１５−ｂにＯＦＤＭＡ波形を送信し得、第４の双方向リンク２４０を使用して第３のＵＥ２１５−ｂからＯＦＤＭＡ波形、ＳＣ−ＦＤＭＡ波形、および／またはリソースブロックインターリーブ波形を受信し得る。第４の双方向リンク２４０は、無認可無線周波数スペクトル帯域の１つまたは複数のサブ−チャネルに関連付けられ得、各サブ−チャネルは、無認可無線周波数スペクトル帯域の指定された帯域幅（たとえば、２０ＭＨｚ）に関連付けられ得る。第１の基地局２０５はまた、第５の双方向リンク２４５を使用して第３のＵＥ２１５−ｂにＯＦＤＭＡ波形を送信し得、第５の双方向リンク２４５を使用して第３のＵＥ２１５−ｂからＳＣ−ＦＤＭＡ波形を受信し得る。第５の双方向リンク２４５は、認可無線周波数スペクトル帯域の１つまたは複数の周波数に関連付けられ得る。第４の双方向リンク２４０は、第１の基地局２０５にダウンリンク容量およびアップリンク容量のオフロードを提供し得る。この例および上記で提供された例は、説明のために提示され、容量オフロードのために認可無線周波数スペクトル帯域と無認可無線周波数スペクトル帯域とにおけるＬＴＥ／ＬＴＥ−Ａを組み合わせる他の同様の動作モードまたは展開シナリオが存在し得る。
【００４８】
[0086]上記で説明されたように、共有アクセス無線周波数スペクトルにおけるＬＴＥ／ＬＴＥ−Ａを使用することによって提供される容量オフロードから恩恵を受け得る１つのタイプのサービスプロバイダは、ＬＴＥ／ＬＴＥ−Ａ認可無線周波数スペクトル帯域へのアクセス権を有する従来のＭＮＯである。これらのサービスプロバイダについて、運用上の例としては、認可無線周波数スペクトル帯域上のＬＴＥ／ＬＴＥ−Ａ１次コンポーネントキャリア（ＰＣＣ）と、無認可無線周波数スペクトル帯域上の少なくとも１つの２次コンポーネントキャリア（ＳＣＣ）とを使用するブートストラップモード（たとえば、補足ダウンリンク、キャリアアグリゲーション）があり得る。
【００４９】
[0087]キャリアアグリゲーション（ＣＡ）モードでは、データおよび制御は、たとえば、（たとえば、第１の双方向リンク２２５と、第３の双方向リンク２３５と、第５の双方向リンク２４５とを介して）認可無線周波数スペクトルにおいて通信され得、データは、たとえば、（たとえば、第２の双方向リンク２３０と、第４の双方向リンク２４０とを介して）無認可無線周波数スペクトル帯域において通信され得る。無認可無線周波数スペクトルを使用するときにサポートされるキャリアアグリゲーション機構は、ハイブリッド周波数分割複信−時分割複信（ＦＤＤ−ＴＤＤ）キャリアアグリゲーション、またはキャリアにわたって異なる対称性を伴うＴＤＤ−ＴＤＤキャリアアグリゲーションの範疇に入り得る。
【００５０】
[0088]ワイヤレス通信システム２００におけるスタンドアロンモードの一例では、第２の基地局２０５−ａは、双方向リンク２５０を使用して第４のＵＥ２１５−ｃにＯＦＤＭＡ波形を送信し得、双方向リンク２５０を使用して第４のＵＥ２１５−ｃからＯＦＤＭＡ波形、ＳＣ−ＦＤＭＡ波形、および／またはリソースブロックインターリーブＦＤＭＡ波形を受信し得る。双方向リンク２５０は、無認可無線周波数スペクトル帯域の１つまたは複数のサブ−チャネルに関連付けられ得、各サブ−チャネルは、無認可無線周波数スペクトル帯域の指定された帯域幅（たとえば、２０ＭＨｚ）に関連付けられ得る。スタンドアロンモードは、スタジアム内アクセス（たとえば、ユニキャスト、マルチキャスト）など、非従来型ワイヤレスアクセスシナリオにおいて使用され得る。この動作モードに関するサービスプロバイダのタイプの一例は、認可無線周波数スペクトル帯域へのアクセスを有しないスタジアムオーナー、ケーブル会社、イベントホスト、ホテル、企業、または大会社であり得る。
【００５１】
[0089]いくつかの例では、図１および／または図２に関して説明された基地局１０５、２０５、および／または２０５−ａのうちの１つ、ならびに／あるいは図１および／または図２に関して説明されたＵＥ１１５、２１５、２１５−ａ、２１５−ｂ、および／または２１５−ｃのうちの１つなど、送信装置は、無認可無線周波数スペクトル帯域のサブ−チャネルへの（たとえば、無認可無線周波数スペクトル帯域の物理チャネルへの）アクセスを獲得するために、競合ベースのプロトコルを使用し得る。競合ベースのプロトコルは、欧州電気通信標準化機構（ＥＴＳＩ）（ＥＮ３０１  ８９３）において指定されているＬＢＴプロトコルに基づくＬＢＴプロトコルであり得る。ＬＢＴプロトコルは、いつ送信装置がクリア  チャネル  アセスメント（ＣＣＡ）手順などの競合手順を実行する必要があるかを示し得る。ＣＣＡ手順の結果は、無認可無線周波数スペクトル帯域のサブ−チャネルが利用可能であるか使用中であるかを送信デバイスに示し得る。サブ−チャネルが利用可能（たとえば、使用のために「クリア」）であることをＣＣＡ手順が示すとき、送信装置は、無認可無線周波数スペクトル帯域のサブ−チャネルを予約および／または使用し得る。サブ−チャネルが利用可能でないこと（たとえば、チャネルが別の装置によって使用中または予約済みであること）をＣＣＡ手順が示すとき、送信装置は、サブ−チャネルを使用することを妨げられ得る。
【００５２】
[0090]いくつかの例では、ＣＣＡ手順は、複数のサブ−チャネルが利用可能であることを示し得る。複数のサブ−チャネルが利用可能であるとき、送信装置は、無認可無線周波数スペクトル帯域の複数のサブ−チャネルを予約および／または使用し得る。複数のサブ−チャネルは、無認可無線周波数スペクトル帯域の隣接サブ−チャネルまたは非隣接サブ−チャネルであり得る。複数のサブ−チャネルは、キャリア内に含まれ得、キャリアの帯域幅は、キャリア内に含まれたサブ−チャネルによって決定され得る。このようにして、キャリアの帯域幅は、無認可無線周波数スペクトル帯域内の利用可能なサブ−チャネルに従ってスケーリングされ得る。
【００５３】
[0091]本明細書で説明されるように、スケーラブルな帯域幅をもつキャリアは、ＣＡモードと比較されるとき、いくつかの利益を提供し得る。スケーラブル帯域幅キャリアは、サブ−チャネル間のガード  バンドの低減のために増大された容量を有し得る。スケーラブル帯域幅キャリアは、ＰＣＣ  ＤＬおよびＵＬの制御オーバーヘッドを低下させ得る。スケーラブル帯域幅キャリアによって使用されるリソースは、利用可能なサブ−チャネルにわたって一緒にスケジュールされ得る。スケーラブル帯域幅キャリアは、無認可無線周波数スペクトルのより多数のサブ−チャネルにわたってデータを拡散させることによって、干渉に対する増大された耐性を有し得る。追加の利益もまた、本明細書で説明される。
【００５４】
[0092]無認可無線周波数スペクトル帯域は、ＥＴＳＩによって定義されるような５ＧＨｚ制限／限定アクセスネットワーク（ＲＬＡＮ：restricted/limited access network）帯域を含み得る。５ＧＨｚ  ＲＬＡＮ帯域は、２つのサブバンドを含み得る。一方のサブバンドは、５１５０ＭＨｚから５３５０ＭＨｚまでの周波数を含み得、第２のサブバンドは、５４７０ＭＨｚから５７２５ＭＨｚまでの周波数を含み得る。各サブバンドは、複数のサブ−チャネルを含み得る。サブ−チャネルは、単一の送信装置によって使用されるスペクトルの最小量であり得る。送信装置は、同時に１つまたは複数の隣接サブ−チャネルまたは非隣接サブ−チャネル内で動作（送信／受信）し得る。たとえば、８０２．１１ｎ送信装置は、４０ＭＨｚモードで動作し得、それは、同時に２つの隣接する２０ＭＨｚサブ−チャネル内で動作中であると見なされ得る。送信装置は、スループットの増大、放射の最適化、および／または受信能力の最適化を行うために、信号処理機能をもつ複数の送信／受信チェーンを結合する、スマートアンテナシステムを含み得る。スマートアンテナシステムの例としては、空間多重化、ビームフォーミング、巡回遅延ダイバーシティ、および多入力多出力（ＭＩＭＯ）がある。送信装置の無線周波数（ＲＦ）出力電力は、送信バースト中の平均実効等方放射電力（ＥＩＲＰ）であり得る。電力密度は、送信バースト中の平均ＥＩＲＰ密度であり得る。
【００５５】
[0093]公称サブ−チャネル帯域幅は、単一のサブ−チャネルに割り当てられた、ガード  バンドを含めた、周波数の最も広い帯域であり得る。公称サブ−チャネル帯域幅は、たとえば、５ＭＨｚ以上であり得る。占有サブ−チャネル帯域幅は、送信信号の電力の９９％を含む帯域幅であり得る。占有サブ−チャネル帯域幅は、たとえば、公称サブ−チャネル帯域幅の８０％と１００％との間であり得る。送信装置がスマートアンテナシステムを使用する場合、スマートアンテナシステムの各送信チェーンは、上記で説明されたような公称サブ−チャネル帯域幅と占有サブ−チャネル帯域幅とを有し得る。確立された通信中に、送信装置は、その占有サブ−チャネル帯域幅が、たとえば、その公称サブ−チャネル帯域幅の４０％に低減されるモードにおいて、一時的に動作し得る。いくつかの例では、送信装置は、４ＭＨｚの最小占有サブ−チャネル帯域幅を有し得る。総占有帯域幅は、隣接サブ−チャネルまたは非隣接サブ−チャネルにおける同時送信の場合、公称サブ−チャネル帯域幅の合計であり得る。総占有帯域幅は、時間および／またはペイロードとともに変化し得る。チャネルプランは、サブ−チャネルの中心周波数と、中心周波数に関する宣言された公称帯域幅とを示し得る。サブ−チャネルの中心周波数は、チャネルプランの一部としてメーカーによって宣言され得る。
【００５６】
[0094]図３Ａは、本開示の様々な態様による、無認可無線周波数スペクトル帯域３００のサブ−チャネルの例を示す。無認可無線周波数スペクトル帯域３００は、サブ−チャネル３０５−ａ〜３０５−ｎを含み得、ただし、ｎは２以上である。サブ−チャネル３０５−ａ〜３０５−ｎのうちの各サブ−チャネルは、無認可無線周波数スペクトル帯域３００の周波数の範囲（すなわち、帯域幅）を含み得る。サブ−チャネル３０５−ａ〜３０５−ｎのうちの各サブ−チャネルは、指定された公称帯域幅（たとえば、２０ＭＨｚ）を有し得る。
【００５７】
[0095]送信装置は、無認可無線周波数スペクトル帯域３００を介して通信するために、キャリアを使用し得る。キャリアは、サブ−チャネル３０５−ａ〜３０５−ｎのうちの１つまたは複数を含み得る。キャリアの総占有帯域幅は、サブ−チャネル３０５−ａ〜３０５−ｎのどのサブ−チャネルがキャリア内に含まれるかに従って決定され得る。１つの非隣接サブ−チャネル（たとえば、サブ−チャネル３０５−ａ）がキャリア内に含まれる場合、キャリアは、１サブ−チャネル帯域幅３１０を含み得る。１サブ−チャネル帯域幅３１０は、たとえば、２０ＭＨｚの公称帯域幅を有し得る。２つの隣接サブ−チャネル（たとえば、サブ−チャネル３０５−ａおよびサブ−チャネル３０５−ｂ）がキャリア内に含まれる場合、キャリアは、２サブ−チャネル帯域幅３１５を含み得る。２サブ−チャネル帯域幅３１５は、たとえば、４０ＭＨｚの公称帯域幅を有し得る。３つの隣接サブ−チャネル（たとえば、サブ−チャネル３０５−ｂ、サブ−チャネル３０５−ｃ、およびサブ−チャネル３０５−ｄ）がキャリア内に含まれる場合、キャリアは、３サブ−チャネル帯域幅３２０を含み得る。３サブ−チャネル帯域幅３２０は、たとえば、６０ＭＨｚの公称帯域幅を有し得る。４つの隣接サブ−チャネル（たとえば、サブ−チャネル３０５−ａ、サブ−チャネル３０５−ｂ、サブ−チャネル３０５−ｃ、およびサブ−チャネル３０５−ｄ）がキャリア内に含まれる場合、キャリアは、４サブ−チャネル帯域幅３２５を含み得る。４サブ−チャネル帯域幅３２５は、たとえば、８０ＭＨｚの公称帯域幅を有し得る。図３には示されていないが、キャリアは、無認可無線周波数スペクトル帯域３００の５個、６個、７個など、最大ｎ個のサブ−チャネル３０５に対応するサブ−チャネル帯域幅を含み得る。
【００５８】
[0096]キャリアは、無認可無線周波数スペクトル帯域３００の隣接および非隣接サブ−チャネル３０５の任意の組合せを含み得る。したがって、キャリアは、１サブ−チャネル帯域幅３１０、２サブ−チャネル帯域幅３１５、３サブ−チャネル帯域幅３２０、４サブ−チャネル帯域幅３２５、より大きいサブ−チャネル帯域幅（図示されず）、および／またはそれらの組合せのうちの１つまたは複数を含み得る。たとえば、キャリアが、サブ−チャネル３０５−ａと、サブ−チャネル３０５−ｅと、サブ−チャネル３０５−ｆとを含む場合、キャリアは、サブ−チャネル３０５−ａに関連付けられた１サブ−チャネル帯域幅３１０と、サブ−チャネル３０５−ｅおよび３０５−ｆに関連付けられた２サブ−チャネル帯域幅３１５とを含み得る。別の例として、キャリアが、サブ−チャネル３０５−ｂと、サブ−チャネル３０５−ｃと、サブ−チャネル３０５−ｄと、サブ−チャネル３０５−ｆと、サブ−チャネル３０５−ｈとを含む場合、キャリアは、サブ−チャネル３０５−ｂ〜３０５−ｄに対応する３サブ−チャネル帯域幅３２０と、それぞれサブ−チャネル３０５−ｆおよびサブ−チャネル３０５−ｈに対応する２つの１サブ−チャネル帯域幅３１０とを含み得る。
【００５９】
[0097]キャリアの総占有帯域幅は、キャリア内に含まれるサブ−チャネル３０５−ａ〜３０５−ｎのサブ−チャネルの数に対応し得る。たとえば、各サブ−チャネルが２０ＭＨｚの帯域幅を有し、キャリアが２つのサブ−チャネル（２つの１サブ−チャネル帯域幅３１０、または単一の２サブ−チャネル帯域幅３１５など、隣接、非隣接、またはそれらの組合せ）を含む場合、キャリアは、４０ＭＨｚの総占有帯域幅を有し得る。キャリアが４つのサブ−チャネル（１サブ−チャネル帯域幅３１０、および３サブ−チャネル帯域幅３２０など、隣接、非隣接、またはそれらの組合せ）を含む場合、キャリアは、８０ＭＨｚの総占有帯域幅を有し得る。
【００６０】
[0098]複数のサブ−チャネル３０５（２サブ−チャネル帯域幅３１５、３サブ−チャネル帯域幅３２０、および／または４サブ−チャネル帯域幅３２５など）を含むサブ−チャネル帯域幅は、従来のキャリアアグリゲーション構成と比較して、キャリアの容量を増大させ得る。従来のキャリアアグリゲーション構成では、無認可無線周波数スペクトル帯域の各サブ−チャネルは、独立したキャリアとして扱われ、ガード  バンド３３０によって分離され得る。ガード  バンド３３０は、通信のために使用されない２つのサブ−チャネル間の周波数の範囲を含み得る。ガード  バンド３３０は、２つのサブ−チャネル間の干渉を防止することを助け得る。無認可無線周波数スペクトル帯域３００の２つ以上のサブ−チャネル３０５を、より大きいサブ−チャネル帯域幅（２サブ−チャネル帯域幅３１５、３サブ−チャネル帯域幅３２０、および／または４サブ−チャネル帯域幅３２５など）に結合することによって、サブ−チャネル３０５間のガード  バンド３３０内の周波数は、通信のために利用可能であり得る。たとえば、２つの１サブ−チャネル帯域幅３１０は、少なくとも１つの追加のガード  バンド３３０を含み得、したがって、より少ない使用可能な周波数を有し得るので、２サブ−チャネル帯域幅３１５は、２つの１サブ−チャネル帯域幅３１０よりも大きい容量を有し得る。
【００６１】
[0099]キャリア内に含まれるサブ−チャネル３０５は、ＣＣＡ手順によって決定され得る。キャリア内に含まれるサブ−チャネル３０５は、ＣＣＡ手順によって利用可能であると決定され得る。隣接する利用可能なサブ−チャネル３０５は、より大きいサブ−チャネル帯域幅（２サブ−チャネル帯域幅３１５、３サブ−チャネル帯域幅３２０、および／または４サブ−チャネル帯域幅３２５など）に結合され得、非隣接の利用可能なサブ−チャネル３０５は、１サブ−チャネル帯域幅３１０として使用され得る。キャリアは、隣接する利用可能なサブ−チャネルと非隣接の利用可能なサブ−チャネルとの任意の組合せを使用し得る。このようにして、キャリアは、ＣＣＡ手順によって決定された利用可能なサブ−チャネルに従って、帯域幅をスケーリングし得る。
【００６２】
[0100]いくつかの例では、送信装置が、隣接サブ−チャネル内の同時送信を有するとき、これらの送信は、「Ｎ」×個々の公称サブ−チャネル帯域幅の公称サブ−チャネル帯域幅をもつ信号に対応する１つの電力エンベロープ（すなわち、スペクトルマスク）を満たし得、ただし、「Ｎ」は隣接サブ−チャネルの数である。たとえば、３サブ−チャネル帯域幅３２０の公称サブ−チャネル帯域幅は、３×１サブ−チャネル帯域幅３１０の公称サブ−チャネル帯域幅に対応し得る。送信装置が、非隣接サブ−チャネル内の同時送信を有するとき、これらの送信は、別個の電力エンベロープ（すなわち、スペクトルマスク）を満たし得、各々は、個々のサブ−チャネルの公称サブ−チャネル帯域幅をもつ信号に対応する。たとえば、３つの隣接サブ−チャネル上の３つの２０ＭＨｚ送信は、単一の６０ＭＨｚ送信と同等であり得、６０ＭＨｚサブ−チャネルの電力スペクトルマスクを満たし得る。一方、非隣接サブ−チャネル上の２つの２０ＭＨｚ送信は、各個々の２０ＭＨｚサブ−チャネルの電力スペクトルマスクを満たし得る。
【００６３】
[0101]いくつかの例では、送信装置が、無認可無線周波数スペクトルの複数の（隣接または非隣接の）初期サブ−チャネル上で同時に送信するとき、追加のＣＣＡ手順がそれらのサブ−チャネル上でいかなる信号も検出しない場合、送信装置は、追加のサブ−チャネルを追加し得る。追加のＣＣＡ手順が、初期サブ−チャネルをクリアしたＣＣＡ手順とは異なる時間において実行される場合、サブ−チャネル間の漏れ（たとえば、帯域内干渉）がしきい値を下回るとき、追加のサブ−チャネルは、ＣＣＡ手順をクリアし得る。したがって、いくつかの例では、ＣＣＡ手順は、他のサブ−チャネルからの信号の自己干渉消去なしで（または、その前に）実行され得る。
【００６４】
[0102]図３Ｂは、本開示の様々な態様による、公称サブ−チャネル帯域幅に関する電力スペクトルマスク３５０の一例を示す。隣接サブ−チャネル内の同時送信は、「Ｎ」×個々の公称サブ−チャネル帯域幅の公称サブ−チャネル帯域幅３５５をもつ１つの信号と見なされ得、ただし、「Ｎ」は、同時に使用される隣接サブ−チャネルの数である。公称サブ−チャネル帯域幅３５５は、０ｄＢの基準電力レベル３６０を有し得る。電力スペクトルマスク３５０の電力レベルは、第１の遷移帯域３６５において−２０ｄＢまで低下し得る。第１の遷移帯域３６５は、たとえば、ほぼ＋／−０．５５＊Ｎに対応する周波数におけるものであり得る。電力スペクトルマスク３５０の電力レベルは、第２の遷移帯域３７０において−４０ｄＢまで徐々に低減し得る。第２の遷移帯域３７０は、たとえば、ほぼ−０．５５＊Ｎと−１．５＊Ｎとの間の周波数と、ほぼ０．５５＊Ｎと１．５＊Ｎとの間の周波数とに対応する、周波数におけるものであり得る。電力スペクトルマスク３５０の電力レベルは、ほぼ＋／−９＊Ｎまでの周波数の範囲を通して、ほぼ−４０ｄＢにとどまり得、ただし、電力レベルは、第３の遷移帯域３７５において−４２ｄＢまで低下し得る。電力スペクトルマスク３５０の電力レベルは、ほぼ＋／−１０．８＊Ｎまでの別の周波数の範囲を通して、ほぼ−４２ｄＢにとどまり得、ただし、電力レベルは、第４の遷移帯域３８０において−４７ｄＢまで低下し得る。
【００６５】
[0103]複数の非隣接サブ−チャネル内の同時送信では、全体的な送信スペクトル電力マスクは、次のように構築され得る。最初に、図３Ｂに示されるようなマスクが、サブ−チャネルの各々に適用され得る。次いで、周波数点ごとに、サブ−チャネルに適用されたスペクトルマスクからの最高値が、その周波数における全体的なスペクトルマスク要件としてとられ得る。
【００６６】
[0104]送信電力は、電力制約によって限定され得る。電力制約は、標準化団体および／または政府の規制（たとえば、ＥＴＳＩ規制および／またはＦＣＣ規制）によって決定され得る。電力制約は、全体として、および、スマートアンテナシステムを含む、任意の可能な構成において、システムに適用され得る。無認可無線周波数スペクトル帯域のサブバンド内の複数の（隣接または非隣接）サブ−チャネルの場合、総ＲＦ出力電力は、サブバンドに関する総電力制約（ＴＰＣ）を超えないことがある。たとえば、５ＧＨｚ  ＲＬＡＮ無認可無線周波数スペクトル帯域の５１５０ＭＨｚ〜５３５０ＭＨｚサブバンドは、２３ｄＢｍのＴＰＣを有し得る。
【００６７】
[0105]認可無線周波数スペクトル帯域および無認可無線周波数スペクトル帯域は、異なる規制とプロトコルとを受けることがある。認可無線周波数スペクトル帯域では、送信電力限界は、キャリアごとに定義され得る。無認可無線周波数スペクトル帯域では、送信電力限界は、サブバンドごとに定義され得るが、送信電力は、所与のサブバンド内の送信のすべての間で共有され得る。無認可無線周波数スペクトル帯域の各サブバンドは、いくつかのキャリア／サブ−チャネルを含み得る。無認可無線周波数スペクトル帯域内の送信電力限界のために、無認可無線周波数スペクトル帯域のより多くのサブ−チャネル（すなわち、帯域幅）が利用されるにつれて、送信のカバレージエリアは減少し得る。表１は、無認可無線周波数スペクトル帯域に関する帯域幅と、電力ペナルティと、範囲ペナルティと、カバレージエリアとの間の関係の一例を示す。
【００６８】
【表１】
0006657172.tif 000002
【００６９】
[0106]Ｗｉ−Ｆｉは、無認可無線周波数スペクトル帯域を利用する技術の一例である。Ｗｉ−Ｆｉは、時分割多重（ＴＤＭ）システムであり得る。Ｗｉ−Ｆｉは、各チャネルアクセス機会において、単一の局（ＳＴＡ）をアドレス指定し得る。Ｗｉ−Ｆｉは、無認可無線周波数スペクトル帯域のサブバンドの総電力制約を補償するために、距離および／または経路損失に基づいて、パケットごとのＳＴＡ当たりの送信帯域幅を選択し得る。送信電力は、より近いＳＴＡに関するサブバンドの帯域幅全体にわたって拡散され得る。送信電力は、遠く離れたＳＴＡに送信するとき、１つの２０ＭＨｚチャネルに集中され得る。ビーコン、ならびに制御および管理フレームのサブセットは、２０ＭＨｚ帯域幅をもつ１次チャネル上で送信され得る。これは、ビーコン、ならびに制御および管理フレームが、Ｗｉ−Ｆｉカバレージエリア内のすべてのユーザに到達することを可能にし得る。マルチユーザＭＩＭＯを使用するＷｉ−Ｆｉ通信は、その送信においてすべてのユーザをアドレス指定するために、同じ帯域幅が使用されると仮定し得る。従来のＷｉ−Ｆｉ展開は、同じ無認可無線周波数スペクトル帯域内で複数のキャリアを使用しないことがある。
【００７０】
[0107]無認可無線周波数スペクトル帯域を介したＬＴＥ／ＬＴＥ−Ａ通信システムは、ＯＦＤＭＡシステムであり得る。複数のＵＥは、（ＴＤＭに加えて）同じサブフレーム内で周波数多重化され得る。送信に関する帯域幅は、無線フレームごとに固定され得る。送信のために選ばれた帯域幅は、無線フレーム内でアドレス指定可能であるＵＥのセットを決定し得る。したがって、無認可無線周波数スペクトル帯域を介したＬＴＥ／ＬＴＥ−Ａ通信では、考慮すべき事柄の中でも、カバレージエリアと、帯域幅と、フレームサイズと、遅延との間のトレードオフがあり得る。
【００７１】
[0108]図４は、本開示の様々な態様による、無認可無線周波数スペクトル帯域展開４００に関するカバレージエリアの例を示す。基地局４０５は、無認可無線周波数スペクトル帯域展開４００のほぼ中心にあり得る。送信のために使用される無認可無線周波数スペクトル帯域のサブ−チャネルの数に少なくとも部分的に基づいて、展開のカバレージエリアは変動し得る。たとえば、無認可無線周波数スペクトル帯域の１つのサブ−チャネルを使用する送信は、第１のカバレージエリア４１０を有し得る。１つのサブ−チャネルを使用する送信は、たとえば、２０ＭＨｚの帯域幅を有し得る。別の例示的な送信は、無認可無線周波数スペクトル帯域の２つのサブ−チャネルを使用し得、第２のカバレージエリア４１５を有し得る。２つのサブ−チャネルを使用する送信は、たとえば、４０ＭＨｚの帯域幅を有し得る。第３の例示的な送信は、無認可無線周波数スペクトル帯域の３つのサブ−チャネルを使用し、第３のカバレージエリア４２０を有し得る。３つのサブ−チャネルを使用する送信は、たとえば、８０ＭＨｚの帯域幅あり得る。
【００７２】
[0109]図４に示されるように、送信の帯域幅が増大するにつれて、カバレージエリアは減少し得る。この関係は、無認可無線周波数スペクトル帯域の送信電力限界によるものであり得る。無認可無線周波数スペクトル帯域のより大きい帯域幅が使用されるにつれて、総送信電力を送信電力限界内に保つために、使用されるサブ−チャネルの各々内の送信電力が減少され得る。
【００７３】
[0110]スケーラブル帯域幅送信は、ＬＴＥフレーム構造と同様のフレーム構造を使用し得る。スケーラブル帯域幅フレームは、２０ＭＨｚ  ＬＴＥフレームと時間的に同様であり得る。スケーラブル帯域幅フレームは、ノーマルサイクリックプレフィックス（ＣＰ）をもつ１４個のＯＦＤＭシンボルと、１ｍｓの持続時間とを有し得る。スケーラブル帯域幅フレーム内のリソースブロック（ＲＢ）の数は、物理的なキャリア帯域幅が増大される場合、帯域幅全体に広がるように増加され得る。たとえば、４０ＭＨｚの帯域幅をもつスケーラブル帯域幅送信は、２１０〜２１５個のＲＢを含み得る。これは、ＣＡ構成における２つの個々の２０ＭＨｚサブ−チャネルを使用する送信を介した５％容量増大を表し得る。別の例として、帯域幅の６０ＭＨｚを使用するスケーラブル帯域幅送信は、３２０個のＲＢを含み得る。これは、ＣＡ構成における３つの個々の２０ＭＨｚサブ−チャネルを使用する送信を介した６．６６％容量増大を表し得る。第３の例として、帯域幅の８０ＭＨｚを使用するスケーラブル帯域幅送信は、４３０〜４３５個のＲＢを含み得る。これは、ＣＡ構成における４つの個々の２０ＭＨｚサブ−チャネルを使用する送信を介した７．５％容量増大を表し得る。容量の追加の増大は、より大きい帯域幅送信とともに可能であり得る。
【００７４】
[0111]スケーラブル帯域幅送信のキャリア帯域幅の物理的増大は、大きい高速フーリエ変換（ＦＦＴ）サイズの使用につながり得る。たとえば、４０ＭＨｚの物理的帯域幅をもつスケーラブル帯域幅送信は、３０７２点ＦＦＴを使用し得、６０ＭＨｚの物理的帯域幅をもつスケーラブル帯域幅送信は、４０９６点ＦＦＴを使用し得、８０ＭＨｚの物理的帯域幅をもつスケーラブル帯域幅送信は、６１４４点ＦＦＴを使用し得る。スケーラブル帯域幅送信のキャリア帯域幅の論理的増大は、いくつかのＦＦＴの使用につながり得る。たとえば、各々が２０ＭＨｚの帯域幅をもつ、複数の非隣接サブ−チャネルを使用するスケーラブル帯域幅送信は、非隣接サブ−チャネルの各々に対応する複数の２０ＭＨｚ  ＦＦＴを使用し得る。
【００７５】
[0112]スケーラブル帯域幅送信は、無認可無線周波数スペクトル帯域のどのサブ−チャネルが送信のために使用され得るかを決定するために、ＣＣＡ手順を使用し得る。スケーラブル帯域幅送信のキャリアは、いくつかのサブ−チャネルからなり得る。各サブ−チャネルは、たとえば、２０ＭＨｚの帯域幅を有し得る。いくつかの例では、独立したＣＣＡ手順が、どのサブ−チャネルがスケーラブル帯域幅送信のために使用され得るかを決定するために、無認可無線周波数スペクトル帯域またはサブバンドの各サブ−チャネルを介して実行され得る。スケーラブル帯域幅送信のために使用されるサブ−チャネルは、ＣＣＡ手順によって、考慮すべき事柄の中でも、各サブ−チャネルについて検出されたエネルギー（すなわち、干渉状態）、トラフィック負荷の関数であり得る。各サブ−チャネルを介して実行された独立したＣＣＡ手順は、あらゆる無線フレームに対して異なる帯域幅送信を生じ得る。
【００７６】
[0113]フレームベースの機器（ＦＢＥ）では、無認可周波数スペクトル帯域またはサブバンドのすべてのサブ−チャネルにわたるＣＣＡ手順は、互いに同期され得る。言い換えれば、ＣＣＡ手順は、同時に各サブ−チャネル上で実行される。スケーラブル帯域幅送信は、ＣＣＡ手順の終わりに開始し得、ＣＣＡ手順をクリアするすべてのサブ−チャネルを含み得る。同期ＣＣＡ手順は、ｅＮＢの（および、展開にわたるｅＮＢの）サブ−チャネルが互いにブロックすることを防止し得る。
【００７７】
[0114]スケーラブル帯域幅送信に関するＣＣＡ手順は、無認可無線周波数スペクトル帯域またはサブバンドに関する送信電力限界を考慮し得る。いくつかの例では、無認可無線周波数スペクトル帯域またはサブバンドの各サブ−チャネルに関するＣＣＡしきい値は、サブバンドのＴＰＣと、ＣＣＡ手順をクリアし得るサブ−チャネルの数とに基づいて、調整され得る。たとえば、無認可無線周波数スペクトル帯域のサブバンドは、２３ｄＢｍのＴＰＣを有し得、サブバンドは、各々が２０ＭＨｚの帯域幅をもつ、４つのサブ−チャネルを含み得る。サブ−チャネルがクリアであるか否かを決定するために、ＣＣＡ手順によって使用されるＣＣＡしきい値（Ｔ）は、Ｔ＝−６０＋ＴＰＣ−Ｐとして計算され得、ただし、Ｐは、通信のために利用可能なサブ−チャネルの数によって決定された再分配送信電力（ｄＢｍ単位）である。ＣＣＡ手順は、サブ−チャネルが通信のために利用可能であるか否かを決定するために、サブ−チャネルの測定電力をＣＣＡしきい値Ｔと比較し得る。
【００７８】
[0115]たとえば、２０ＭＨｚの帯域幅をもつ１つのサブ−チャネルが、ＣＣＡ手順をクリアする場合、そのサブ−チャネル上の送信は、最大２３ｄＢｍの完全ＴＰＣを使用し得る。したがって、Ｐは２３ｄＢｍに等しくなり得、Ｔは−６０に等しくなり得る。このＣＣＡしきい値は、送信のために使用されている１つのサブ−チャネルに基づくので、これは悲観的ＣＣＡしきい値と呼ばれることがある。
【００７９】
[0116]４０ＭＨｚの総帯域幅をもつ２つのサブ−チャネルが、ＣＣＡ手順をクリアする場合、それらのサブ−チャネルの各々における送信は、最大２０ｄＢｍの送信電力を使用し得る。したがって、Ｐは２０ｄＢｍに等しくなり、Ｔは−５７に等しくなる。各サブ−チャネル上の２０ｄＢｍの送信電力は、２つのサブ−チャネルの４０ＭＨｚ帯域幅にわたる総送信電力を２３ｄＢｍのＴＰＣの下に保ち得る。
【００８０】
[0117]６０ＭＨｚの総帯域幅をもつ３つのサブ−チャネルが、ＣＣＡ手順をクリアする場合、それらのサブ−チャネルの各々における送信は、最大１８．２３ｄＢｍの送信電力を使用し得る。したがって、Ｐは１８．２３ｄＢｍに等しくなり、Ｔは−５５．２３に等しくなる。各サブ−チャネル上の１８．２３ｄＢｍの送信電力は、３つのサブ−チャネルの６０ＭＨｚ帯域幅にわたる総送信電力を２３ｄＢｍのＴＰＣの下に保ち得る。
【００８１】
[0118]８０ＭＨｚの総帯域幅をもつ４つのサブ−チャネルが、ＣＣＡ手順をクリアする場合、それらのサブ−チャネルの各々における送信は、最大１７ｄＢｍの送信電力を使用し得る。したがって、Ｐは１７ｄＢｍに等しくなり、Ｔは−５４に等しくなる。各サブ−チャネル上の１７ｄＢｍの送信電力は、４つのサブ−チャネルの８０ＭＨｚ帯域幅にわたる総送信電力を２３ｄＢｍのＴＰＣの下に保ち得る。このＣＣＡしきい値は、送信のために使用されているサブバンドのすべての４つのサブ−チャネルに基づくので、−５４のＣＣＡしきい値は、楽観的しきい値と呼ばれることがある。
【００８２】
[0119]いくつかの例では、第１のＣＣＡ手順は、楽観的ＣＣＡしきい値を使用して、無認可無線周波数スペクトル帯域またはサブバンドのサブ−チャネル上で実行され得る。楽観的ＣＣＡしきい値は、無認可無線周波数スペクトル帯域またはサブバンドのすべてのサブ−チャネルが送信のために使用されることになるという期待に基づき得る。楽観的ＣＣＡしきい値を使用して、いくつかのサブ−チャネルは、第１のＣＣＡ手順をクリアし得る。楽観的ＣＣＡしきい値を使用して、第１のＣＣＡ手順をクリアする、サブ−チャネルの数に基づいて、後続のＣＣＡしきい値が決定され得る。後続のＣＣＡしきい値は、第１のＣＣＡ手順をクリアしたサブ−チャネルの数に対応する再分配送信電力に基づき得る。次いで、後続のＣＣＡ手順が、後続のＣＣＡしきい値を使用して、無認可無線周波数スペクトル帯域またはサブバンドのサブ−チャネル上で実行され得る。いくつかの例では、後続のＣＣＡしきい値は、楽観的ＣＣＡしきい値よりも低くなり得、それは、異なるサブ−チャネルに後続のＣＣＡ手順をクリアさせ得る。いくつかの例では、後続のＣＣＡしきい値は、より少ないサブ−チャネルにわたって送信電力を再分配することによって引き起こされた、増大された送信電力のために、楽観的ＣＣＡしきい値よりも低くなり得る。
【００８３】
[0120]たとえば、第１のＣＣＡ手順は、無認可無線周波数スペクトル帯域のサブバンドの４つのサブ−チャネル上で実行され得る。第１のＣＣＡ手順は、［−５３，−５８，−５６，−９５］として、各サブ−チャネル上で電力を測定し得、ただし、各値は、それぞれのサブ−チャネルの測定電力に対応する。−５４の楽観的ＣＣＡしきい値を使用して、最後の３つのサブ−チャネルは、第１のＣＣＡ手順をクリアし得る。次いで、第２のＣＣＡしきい値が、３つのサブ−チャネルに関する再分配送信電力（たとえば、１８．２３ｄＢｍ）に基づいて決定され得る。第２のＣＣＡしきい値は、たとえば、−５５．２３であり得る。次いで、第２のＣＣＡ手順が、第２のＣＣＡしきい値を使用して、サブバンドの４つのサブ−チャネル上で実行され得る。最後の３つのサブ−チャネルはまた、第２のＣＣＡ手順をクリアし得、再分配送信電力における送信のために使用され得る。複数のＣＣＡしきい値および再分配送信電力は、スケーラブル帯域幅送信に関する送信電力と帯域幅とを最適化し得る。
【００８４】
[0121]別の例として、第１のＣＣＡ手順は、［−５３，−５５，−５６，−９５］として、サブバンドの４つのサブ−チャネル上で電力を測定し得、ただし、各値は、それぞれのサブ−チャネルの測定電力に対応する。−５４の楽観的ＣＣＡしきい値を使用して、最後の３つのサブ−チャネルは、第１のＣＣＡ手順をクリアし得る。次いで、第２のＣＣＡしきい値が、３つのサブ−チャネルに関する再分配送信電力（たとえば、１８．２３ｄＢｍ）に基づいて決定され得る。第２のＣＣＡしきい値は、たとえば、−５５．２３であり得る。次いで、第２のＣＣＡ手順が、第２のＣＣＡしきい値を使用して、サブバンドの４つのサブ−チャネル上で実行され得る。最後の２つのサブ−チャネルは、第２のＣＣＡ手順をクリアし得る。次いで、第３のＣＣＡしきい値が、２つのサブ−チャネルに関する再分配送信電力（たとえば、２０ｄＢｍ）に基づいて決定され得る。第３のＣＣＡしきい値は、たとえば、−５７であり得る。次いで、第３のＣＣＡ手順が、第３のＣＣＡしきい値を使用して、サブバンドの４つのサブ−チャネル上で実行され得る。第４のサブ−チャネルは、第３のＣＣＡ手順をクリアし得、再分配送信電力における送信のために使用され得る。複数のＣＣＡしきい値および再分配送信電力は、スケーラブル帯域幅送信に関する送信電力と帯域幅とを最適化し得る。
【００８５】
[0122]負荷ベースの機器（ＬＢＥ）では、利用可能なサブ−チャネルを決定するために、すべてのＣＣＡスロットに関する電力測定結果が使用され得る。ＬＢＥでは、サブ−チャネルごとの拡張ＣＣＡカウントダウンは、同期されないことがある。したがって、ＣＣＡカウントダウン持続時間と、ＣＣＡ手順をクリアすることが可能であるサブ−チャネルの数との間にトレードオフがあり得る。いくつかの例では、すべてのサブ−チャネルに関するＣＣＡカウントダウンに関するスロットの数は、最大数に設定され得る。最大数は、ＣＣＡ手順の統計量に従って決定され得る。次いで、スケーラブル帯域幅送信は、すべてのサブ−チャネルに関するスロットの最大数が超えられると、ＣＣＡ手順をクリアするすべてのサブ−チャネルを使用し得る。たとえば、送信装置は、第２のサブ−チャネルに関するＣＣＡ手順が完了される２スロット前に、第１のサブ−チャネルに関するＣＣＡ手順を完了し得る。次いで、送信装置は、第１のサブ−チャネル上で送信する前に２スロットだけ待機し得るので、第１のサブ−チャネルおよび第２のサブ−チャネル上の送信が同時に実行され得るようになる。２つのサブ−チャネルが隣接している場合、後続のＣＣＡ手順は、それらのサブ−チャネルのためにより少ないスロットを使用し得る。
【００８６】
[0123]スロットの最大数が超えられた後、すべてのサブ−チャネルが利用不可能なままである場合、ＣＣＡ手順は、次の無線フレーム境界において再開し得る。ＣＣＡカウンタは、次の無線フレームにおいてリセットされ得る。いくつかの例では、ＣＣＡ手順は、他のアクティブなサブ−チャネルからのＲＦ漏れを有していないことが知られているサブ−チャネル上で実行され得る。
【００８７】
[0124]いくつかの例では、ジョイントＣＣＡ手順は、無認可無線周波数スペクトル帯域またはサブバンドのすべてのサブ−チャネルを介して実行され得る。いくつかの例では、すべてのサブ−チャネルにわたって合計された、検出されたエネルギーが、ジョイントＣＣＡしきい値未満である場合、スケーラブル帯域幅送信が実行され得る。すべてのサブ−チャネルにわたって合計された、検出されたエネルギーが、ジョイントＣＣＡしきい値よりも大きい場合、スケーラブル帯域幅送信は実行されなくてよい。ジョイントＣＣＡしきい値は、−７３ｄＢｍ／ＭＨｚ＋２３−ＰTとして計算され得、ただし、ＰTは、送信装置の送信機のＥＩＲＰ（ｄＢｍ単位）である。たとえば、２０ＭＨｚ送信に関する２３ｄＢｍにおける送信機は、−６０ｄＢｍのジョイントＣＣＡしきい値を有し得る。一方、４０ＭＨｚ送信に関する２３ｄＢｍにおける送信機は、−５７ｄＢｍのジョイントＣＣＡしきい値を有し得る。すべてのサブ−チャネルにわたって検出されたエネルギーを合計するのではなく、いくつかの例では、ジョイントＣＣＡ手順が無認可無線周波数スペクトル帯域またはサブバンドのあらゆるサブ−チャネル上で成功する場合、スケーラブル帯域幅送信が実行され得る。ジョイントＣＣＡ手順は、スケーラブル帯域幅送信が、それにおいてジョイントＣＣＡ手順が実行されるサブ−チャネルに対応する固定帯域幅を有する結果になり得る。
【００８８】
[0125]ジョイントＣＣＡ手順は、単一のＦＦＴが無認可無線周波数スペクトル帯域またはサブバンドのすべてのサブ−チャネルの全帯域のために使用されることを可能にし得る。ジョイントＣＣＡ手順はまた、すべてのサブ−チャネルのスペクトルマスクを満たすためのより簡易なＲＦとフィルタ処理とを可能にし得る。ジョイントＣＣＡ手順はまた、サブ−チャネル間のガード  バンドが利用されることを可能にし得る。加えて、ジョイントＣＣＡ手順は、サブ−チャネルを使用するキャリアが、物理ダウンリンク共有チャネル（ＰＤＳＣＨ）および拡張物理ダウンリンク制御チャネル（ｅＰＤＣＣＨ）に関する固定の電力とヌメロロジーとを有することを可能にし得る。これは、他の利益の中でも、簡略化された処理と、より矛盾のないチャネル品質インジケータ（ＣＱＩ）測定値とにつながり得る。しかしながら、１つのサブ−チャネル上の強い干渉は、ジョイントＣＣＡ手順が準最適サブ−チャネル利用を生じる結果になり得る。
【００８９】
[0126]Ｗｉ−Ｆｉ技術を使用する無認可無線周波数スペクトル帯域における送信は、異なるＣＣＡ技法を利用し得る。たとえば、キャリア検知多元接続（ＣＳＭＡ）は、１次チャネル上で使用され得るが、ＣＣＡは、１次バックオフカウンタの満了前に２次チャネル上のポイント協調機能（ＰＣＦ）インターフェームスペース（ＰＩＦＳ：point coordination function (PCF) interfame space）持続時間のために使用され得る。２次チャネルのうちの１つがアイドルではない場合、ＵＥは、１次チャネル上で競合プロセスを再開し得る。Ｗｉ−Ｆｉ  ＣＣＡ手順は、チャネルがアイドルであるか否かを決定するために、すべての可能にされた帯域幅組合せをカバーし得る。Ｗｉ−Ｆｉは、動的帯域幅送信を使用し得るが、送信帯域幅は、ＣＣＡの結果の関数であり得、各送信は、周波数において連続し得る。加えて、Ｗｉ−Ｆｉ１次チャネルおよび２次チャネルは、異なるＣＣＡしきい値を使用し得る。
【００９０】
[0127]対照的に、無認可無線周波数スペクトル帯域におけるＬＴＥ送信では、補足ダウンリンク（ＳＤＬ）モードおよびＣＡモード内を含めて、キャリアのすべてのサブ−チャネルが同等であり得る。サブ−チャネルは、１次チャネルおよび２次チャネルに分類されないことがある。無認可無線周波数スペクトル帯域におけるＬＴＥ  ＳＤＬモードおよびＣＡモードは、１次チャネルを含み得るが、それは認可無線周波数スペクトル帯域内に配置される。無認可無線周波数スペクトル帯域におけるＬＴＥ  ＣＡモードでは、無認可無線周波数スペクトル帯域におけるキャリアがＰＣＣとして指定され得る。加えて、ＣＣＡしきい値は、各サブ−チャネルに割り振られた送信電力の関数であり得る。
【００９１】
[0128]固定／連続帯域幅送信を使用する技法は、スケーラブル帯域幅送信と同じくらい効率的に送信媒体を使用しないことがある。固定帯域幅送信は、すべてのサブ−チャネルが利用可能ではないとき、発生しないことがある。連続しているが可変の帯域幅を使用する送信は、内部サブ−チャネルが利用不可能である場合、利用可能な帯域幅をかなり過少利用することがある。たとえば、Ｗｉ−Ｆｉチャネライゼーションは、１次２０チャネルと、２次２０チャネルと、２次４０チャネルと、２次８０チャネルとを使用し得る。２次８０チャネル内の１つの２０ＭＨｚサブ−チャネルが利用可能ではない場合、２次８０チャネル全体が使用されないことがある。
【００９２】
[0129]帯域幅利用は、スケーラブルな帯域幅を用いて、不連続サブ−チャネルを含む送信を利用することによって、増大され得る。スケーラブル帯域幅送信に関するキャリアは、いくつかの隣接サブ−チャネルまたは非隣接サブ−チャネルからなり得る。各サブ−チャネルは、たとえば、２０ＭＨｚの帯域幅を有し得る。独立したＣＣＡ手順は、可変量の帯域幅を使用する送信を可能にするために、サブ−チャネルごとに実行され得る。スケーラブル帯域幅送信のために使用されるサブ−チャネルは、各サブ−チャネル上で検出されるエネルギーに少なくとも部分的に基づいて決定され得る。いくつかの例では、スケーラブル帯域幅送信のために使用されるサブ−チャネルはまた、負荷、チャネル状態情報（ＣＳＩ）、ネイバーリスト、および／または他の考慮すべき事柄に少なくとも部分的に基づいて決定され得る。いくつかの例では、スケーラブル帯域幅送信のために使用されるキャリアのリソースは、ジョイント制御され得る。たとえば、キャリアのすべてのサブ−チャネルにわたるリソースは、論理的にグループ化およびアドレス指定した得る。
【００９３】
[0130]キャリアアグリゲーション（ＣＡ）モードは、無認可無線周波数スペクトル帯域内の４つのキャリアを使用し得る。たとえば、ＣＡモードは、認可無線周波数スペクトル帯域内の２０ＭＨｚの帯域幅と、無認可無線周波数スペクトル帯域内の帯域幅の２００ＭＨｚとをもつ、アンカーキャリアを使用し得る。帯域幅の２００ＭＨｚは、ＵＮＩＩ−１サブバンド内の８０ＭＨｚと、ＵＮＩＩ−２Ａサブバンド内の８０ＭＨｚと、ＵＮＩＩ−２Ｂサブバンド内の２０ＭＨｚと、ＵＮＩＩ−３サブバンド内の２０ＭＨｚとを含み得る。このＣＡ構成は、ｅＮＢがカバレージを増大するためにいくつかの２０ＭＨｚサブバンド内で全電力を使用することを可能にし得、また、８０ＭＨｚサブバンド上の増大された容量を提供し得る。たとえば、６０名のユーザが、ｅＮＢに関連付けられ得る。６０名のユーザは、認可スペクトルを使用する２０名のユーザと、２つの８０ＭＨｚ無認可帯域幅を使用する２０名のユーザ（ＵＮＩＩ−１における１０名のユーザ、およびＵＮＩＩ−２Ａにおける１０名のユーザ）と、２つの２０ＭＨｚ無認可帯域幅を使用する２０名のユーザ（ＵＮＩＩ−２Ｂにおける１０名のユーザ、およびＵＮＩＩ−３における１０名のユーザ）とを含み得る。スケーラブルな帯域幅をもつキャリアは、無認可無線周波数スペクトル帯域のより効率的な使用を可能にし得る。
【００９４】
[0131]いくつかの例では、ＣＡモードは、１つまたは複数のｅＰＤＣＣＨを使用して、複数のキャリアにわたってダウンリンクをスケジュールし得る。いくつかの例では、ＣＡモードｅＰＤＣＣＨは、すべてのチャネルが常にクリアであると仮定し得る。各ｅＰＤＣＣＨペイロードは、５ビットのキャリアインジケータフィールド（ＣＩＦ）をもつ、６５〜７２ビットであり得る。マクロオールモストブランクサブフレーム（ＡＢＳ）は、ｅＰＤＣＣＨがアグリゲーションレベル２において送られることを引き起こし得る。マクロ非ＡＢＳは、ｅＰＤＣＣＨがアグリゲーションレベル４において送られることを引き起こし得る。ｅＰＤＣＣＨは、スケジューリングのために利用可能な８０個の制御チャネル要素（ＣＣＥ）を有し得、そのうちの８個が共通の探索空間のために使用され得る。ＵＥ固有の探索空間内でスケジュールされ得るｅＰＤＣＣＨの数は、変動し得る。たとえば、ＡＢＳは、３６個のｅＰＤＣＣＨをスケジュールし得、そのうちの３０個はＤＬであり得、６個はＵＬであり得る。非ＡＢＳは、１８個のｅＰＤＣＣＨをスケジュールし得、そのうちの１５個はＤＬであり得、３個はＵＬであり得る。非ＡＢＳでは、ＣＡモードは、最大１１個のキャリア（無認可無線周波数スペクトル帯域内の１つ、および認可無線周波数スペクトル帯域内の最大１０個）を使用し得、最大１５個のＤＬ許可が与えられ得る。非ＡＢＳに関するＣＡモードの制御容量は、限定され得る。ＡＢＳでは、各キャリアは、平均で３つの許可を与えられ得る（たとえば、３６／１１ＤＬ＋１ＵＬキャリア）。ＡＢＳに関するＣＡモードの制御容量は、非ＡＢＳに関するものよりも大きくなり得るが、容量は限定されない。無認可無線周波数スペクトル帯域内のＴＤＤキャリアでは、ＤＬ許可とＵＬ許可の両方が、ＤＬサブフレーム内の制御容量を共有し得る。したがって、制御容量はまた、ＴＤＤモードにおいても限定され得る。
【００９５】
[0132]いくつかの例では、ＣＡモードは、ＰＤＣＣＨとｅＰＤＣＣＨとの組合せを使用して、複数のキャリアにわたってダウンリンクをスケジュールし得る。ｅＰＤＤＣＨは、１５〜２０個のＲＢを含み得、そのことが制御チャネル容量を実質的に増大させ得る。しかしながら、認可無線周波数スペクトル帯域を使用し、無認可無線周波数スペクトル帯域を使用しないユーザにとって、相当量の容量が損失され得る。したがって、他の解決策が選好され得る。たとえば、ｅＰＤＣＣＨは、無認可無線周波数スペクトル帯域上の自己スケジューリングのために使用され得る。自己スケジューリングは、ＳＤＬモードとＣＡモードの両方においてスケーラブルであり得る。自己スケジューリングはまた、制御容量限界を有していないことがある。スケジューリングは、より高い帯域幅においてサービスされているとき、ＵＥが復号する必要がある許可の数を低減することと、ＣＣＡ手順の結果がクリアではないとき、ハイブリッド自動再要求（ＨＡＲＱ）プロセスバッファ内のデータに関するレイテンシを低減することとによって、さらに改善され得る。加えて、要求に応答するために制御チャネル容量を調整することは、クロスキャリアスケジューリングをさらに改善し得る。
【００９６】
[0133]いくつかの例では、ＣＡは、ＣＱＩフィードバックを使用し得る。アップリンクフィードバックは、コヒーレンス時間に依存し得る。たとえば、３ｋｍ／ｈで進行し、５．５ＧＨｚで送信する送信装置は、１５Ｈｚドップラーシフトを経験することがあり、それは、６６ｍｓコヒーレンス時間を生じ得る。いくつかの例では、あらゆるサブ−チャネルに関する、およびあらゆるＵＥに関する、少なくとも１つのチャネル状態情報（ＣＳＩ）報告は、２０ｍｓごとに作成され得る。
【００９７】
[0134]広帯域報告では、サブフレームごとに１つのＣＱＩ報告が、認可無線周波数スペクトル帯域を使用し、無認可無線周波数スペクトル帯域を使用しないＵＥのために作成され得る（たとえば、２０ＵＥ／２０サブフレーム）。無認可無線周波数スペクトル帯域の帯域幅の２０ＭＨｚを使用するＵＥ（たとえば、ＬＴＥ−Ｕ）では、２つの広帯域ＣＱＩ報告がサブフレームごとに作成され得る（たとえば、２０ＵＥ＊２／２０サブフレーム）。無認可無線周波数スペクトル帯域の帯域幅の８０ＭＨｚを使用するＵＥ（たとえば、無認可無線周波数スペクトル帯域におけるＬＴＥ）では、５つの広帯域ＣＱＩ報告がサブフレームごとに作成され得る（たとえば、２０ＵＥ＊５／２０サブフレーム）。平均して、サブフレームごとに８個の広帯域ＣＱＩ報告が作成され得、物理アップリンク制御チャネル（ＰＵＣＣＨ）フォーマット（たとえば、ＰＵＣＣＨフォーマット２ａ／２ｂ／３）の２つのＲＢを使用し得る。
【００９８】
[0135]ＵＥ選択サブバンド報告（たとえば、２０ＭＨｚ内の４つのサブバンド）では、サブフレームごとに５つのＣＱＩ報告が、認可無線周波数スペクトル帯域を使用し、無認可無線周波数スペクトル帯域を使用しないＵＥのために作成され得る（たとえば、２０ＵＥ＊ＵＥごとに５報告／２０サブフレーム）。無認可無線周波数スペクトル帯域の帯域幅の２０ＭＨｚを使用するＵＥ（たとえば、無認可レアディオ周波数スペクトル帯域におけるＬＴＥ）では、１０個のＵＥ選択サブバンドＣＱＩ報告がサブフレームごとに作成され得る（たとえば、２０ＵＥ＊ＵＥごとに１０報告／２０サブフレーム）。無認可無線周波数スペクトル帯域の帯域幅の８０ＭＨｚを使用するＵＥ（たとえば、ＬＴＥ−Ｕ）では、２５個のＵＥ選択サブバンドＣＱＩ報告がサブフレームごとに作成され得る（たとえば、２０ＵＥ＊ＵＥごとに２５報告／２０サブフレーム）。平均して、サブフレームごとに４０個のＵＥ選択サブバンドＣＱＩ報告が、ＵＬにおいて作成され得、ＰＵＣＣＨフォーマット（たとえば、ＰＵＣＣＨフォーマット２ａ／２ｂ／３）の８個のＲＢを使用し得る。
【００９９】
[0136]ＵＥに関するＣＱＩおよびＡＣＫ報告インスタンスが一致しない場合、追加のＲＢが肯定応答（ＡＣＫ）報告のために使用され得る。いくつかの例では、ＰＵＣＣＨフォーマットは、複数のキャリアおよび／またはキャリアの複数のサブ−チャネルに関するＣＱＩ報告を可能にし得る。
【０１００】
[0137]図５は、本開示の様々な態様による、無認可無線周波数スペクトル帯域５００におけるスケーラブルな帯域幅をもつキャリアに関するＲＢセグメントの例を示す。スケーラブルな帯域幅をもつキャリアの無認可リソースは、ジョイント制御され得る。キャリアは、いくつかのサブ−チャネル５０５−ａ〜５０５−ｈを含み得る。各サブ−チャネル５０５−ａ〜５０５−ｈは、たとえば、２０ＭＨｚの帯域幅を有し得る。いくつかの例では、キャリアによって使用されるサブ−チャネルは、２次セル（ＳＣｅｌｌ）追加の一部として無線リソース制御（ＲＲＣ）メッセージによって指定され得る。各サブ−チャネル５０５−ａ〜５０５−ｈは、スケーラブル帯域幅送信のために独立して使用され得、スケーラブル帯域幅送信のために使用されるサブ−チャネル５０５−ａ〜５０５−ｈは、ＣＣＡ手順の結果に基づき得る。
【０１０１】
[0138]キャリアのリソース（すなわち、ＲＢ）は、キャリア内に含まれるサブ−チャネルにわたって拡散され得る。キャリアの一例は、サブ−チャネル５０５−ａ〜５０５−ｄを含み得る。キャリアのリソースは、２つのセグメント、サブ−チャネル５０５−ａおよびサブ−チャネル５０５−ｂにわたって連続して拡散された第１のＲＢセグメント５１０−ａと、サブ−チャネル５０５−ｃおよびサブ−チャネル５０５−ｄにわたって連続して拡散された第２のＲＢセグメント５１０−ｂとにグループ化され得る。加えて、第１のＲＢセグメント５１０−ａは、第２のＲＢセグメント５１０−ｂに連続し得る。第１のＲＢセグメント５１０−ａは、ＲＢ１〜１００を含み得、第２のＲＢセグメント５１０−ｂは、ＲＢ１０１〜２００を含み得る。第１のＲＢセグメント５１０−ａおよび第２のＲＢセグメント５１０−ｂは、論理的にグループ化され、サブ−チャネル５０５−ａ〜５０５−ｄにわたってジョイント制御され得る。
【０１０２】
[0139]キャリアの別の例は、サブ−チャネル５０５−ｃと、サブ−チャネル５０５−ｄと、サブ−チャネル５０５−ｇと、サブ−チャネル５０５−ｈとを含み得る。キャリアのリソースは、２つのセグメント、サブ−チャネル５０５−ｃおよびサブ−チャネル５０５−ｄにわたって連続して拡散された第１のＲＢセグメント５１５−ａと、サブ−チャネル５０５−ｇおよびサブ−チャネル５０５−ｈにわたって連続して拡散された第２のＲＢセグメント５１５−ｂとにグループ化され得る。第１のＲＢセグメント５１５−ａは、ＲＢ１〜１００を含み得、第２のＲＢセグメント５１５−ｂは、ＲＢ１０１〜２００を含み得る。２つのＲＢセグメント５１５−ａおよび５１５−ｂは、論理的にグループ化され、サブ−チャネル５０５−ｃ、５０５−ｄ、５０５−ｇ、および５０５−ｈにわたってジョイント制御され得る。
【０１０３】
[0140]キャリアの第３の例は、サブ−チャネル５０５−ａと、サブ−チャネル５０５−ｂと、サブ−チャネル５０５−ｅと、サブ−チャネル５０５−ｆとを含み得る。キャリアのリソースは、２つのセグメント、サブ−チャネル５０５−ａおよびサブ−チャネル５０５−ｂにわたって連続して拡散された第１のＲＢセグメント５２０−ａと、サブ−チャネル５０５−ｅおよびサブ−チャネル５０５−ｆにわたって連続して拡散された第２のＲＢセグメント５２０−ｂとにグループ化され得る。第１のＲＢセグメント５２０−ａは、ＲＢ１〜１００を含み得、第２のＲＢセグメント５２０−ｂは、ＲＢ１０１〜２００を含み得る。２つのＲＢセグメント５２０−ａおよび５２０−ｂは、論理的にグループ化され、サブ−チャネル５０５−ａ、５０５−ｂ、５０５−ｅ、および５０５−ｆにわたってジョイント制御され得る。
【０１０４】
[0141]キャリアは、サブ−チャネル５０５−ａ〜５０５−ｈの任意の組合せ（隣接、非隣接、もしくはそれらの組合せ）、または、サブ−チャネル５０５−ａ〜５０５−ｈの前および／または後に拡張する追加のサブ−チャネル（図示されず）を含み得る。キャリア内に含まれるリソースの論理グルーピングおよびジョイント制御は、無認可無線周波数スペクトル帯域内のサブ−チャネルのロケーションに依存しないことがある。リソースは、連続、不連続、またはそれらの組合せであり得る。ＲＢの論理グルーピングおよびジョイント制御は、１つまたは複数のｅＰＤＣＣＨを使用するＲＢ割当てにおいて使用され得る。ＲＢの論理グルーピングおよびジョイント制御はまた、ＰＤＳＣＨ処理においても使用され得る。ＲＢの論理グルーピングおよびジョイント制御のために、ＵＥにおけるｅＰＤＣＣＨ／ＰＤＣＳＨ処理は、図５に示される３つのサブ−チャネル構成について等しくなり得る。
【０１０５】
[0142]いくつかの例では、スケーラブル帯域幅キャリア内に含まれる複数のサブ−チャネルは、キャリアごとに１つのｅＰＤＣＣＨを用いてジョイント制御され得る。ｅＰＤＣＣＨは、２つのトランスポートブロック（ＴＢ）を含み得る。各ＴＢは、キャリア内に含まれる複数のサブ−チャネルに広がることがあり、ＴＢサイズは、キャリア内に含まれるサブ−チャネルの数とともに線形的に増大し得る。したがって、ｅＰＤＣＣＨペイロードサイズは、キャリアの総帯域幅の関数であり得る。いくつかの例では、変調およびコーディング方式（ＭＣＳ）は、キャリア内に含まれる各サブ−チャネルについて同じであり得る。いくつかの例では、ｅＰＤＣＣＨに関する肯定応答／否定応答（ＡＣＫ／ＮＡＣＫ）は、キャリア内に含まれるサブ−チャネルの数にかかわらず、２ビットであり得る。ＲＢ割振りのために使用されるｅＰＤＣＣＨのビット数は、キャリアの総帯域幅とＲＢグループ（ＲＢＧ）サイズとに基づき得る。ＲＢＧサイズは、ＣＣＡ手順をクリアするサブ−チャネルと、ＵＥのマスクとに基づいて、動的に決定され得る。
【０１０６】
[0143]いくつかの例では、スケーラブル帯域幅キャリア内に含まれる複数のサブ−チャネルは、ＵＥごとのキャリアごとに複数のユニキャストｅＰＤＣＣＨを用いてジョイント制御され得る。複数のｅＰＤＣＣＨの各々は、ＰＤＣＣＨ識別情報（ＩＤ）を用いてインデックス付けされ得る。ＰＤＣＣＨ  ＩＤは、ダウンリンク制御情報（ＤＣＩ）のフィールドであり得る。いくつかの例では、複数のｅＰＤＣＣＨの各々は、キャリアの帯域幅全体をアドレス指定し得る。代替的にまたは追加として、複数のｅＰＤＣＣＨの各々は、帯域幅が大きすぎる場合、キャリアの帯域幅の一部分をアドレス指定するように事前構成され得る。たとえば、ＰＤＣＣＨ  ＩＤ０〜２は、ＲＢ１〜５００をアドレス指定し得、ＰＤＣＣＨ  ＩＤ３〜５は、ＲＢ５０１〜１０００をアドレス指定し得る、などとなる。キャリアに関するＲＢＧサイズは、静的にまたは半静的に設定され得る。ＲＢＧサイズは、複数のｅＰＤＣＣＨの各々のペイロードサイズを決定し得る。
【０１０７】
[0144]送信時間間隔（ＴＴＩ）ごとのＵＥごとのｅＰＤＣＣＨの数は、０からＮｕｍＰＤＣＣＨまで変動し得る。ＮｕｍＰＤＣＣＨは、キャリアの帯域幅の関数であり得、キャリア内に含まれるサブ−チャネルが変動するとき、無線フレームごとに変動し得る。ＮｕｍＰＤＣＣＨは、各ＵＥにシグナリングされるＲＲＣであり得る。たとえば、ＮｕｍＰＤＣＣＨは、集合｛１，２，．．．．，Ｍ＝（キャリアの帯域幅）／（サブ−チャネルの帯域幅）｝の値のうちの１つをとり得る。ＲＢＧサイズおよびＮｕｍＰＤＣＣＨ（ならびに、したがって、ＵＥに関するｅＰＤＣＣＨの最大数）は、変化するｅＰＤＣＣＨ負荷およびセル負荷要求に適応するために、媒体アクセス制御（ＭＡＣ）要素を使用することによって、迅速に変更され得る。複数のＨＡＲＱプロセスは、キャリアごとに維持され得る。ＨＡＲＱプロセスの数は、ＮｕｍＰＤＣＣＨに等しくなり得る。複数のｅＰＤＣＣＨの各々は、複数のＨＡＲＱプロセスに対応するデータを搬送し得る。
【０１０８】
[0145]スケーラブル帯域幅キャリアの複数のサブ−チャネルをジョイント制御することは、考慮すべき事柄の中でも、ｅＰＤＣＣＨの数と、ペイロードサイズと、キャリアごとのＴＢの数と、変動するＭＣＳとに関して、スケジューリングの柔軟性を改善し得る。ＤＣＩのサイズは、キャリアの総帯域幅とＲＢＧサイズとに基づいて、動的に決定され得る。スケーラブル帯域幅キャリアごとのｅＰＤＣＣＨの数は、キャリアの変化する帯域幅を考慮するように動的に調整され得る。ジョイント制御構成は、ＡＢＳサブフレームおよび非ＡＢＳサブフレームについて異なり得、そのことがさらなる柔軟性をもたらし得る。
【０１０９】
[0146]ジョイント制御に関する複数のｅＰＤＣＣＨの各々は、ｅＰＤＣＣＨスケジューリングの複雑さを管理することを助けるために、ＣＩＦに加えて、追加の許可ＩＤを含み得る。いくつかの例では、複数のｅＰＤＣＣＨは、ＣＩＦの同じ探索空間内に含まれ得る。代替的にまたは追加として、探索空間は、許可ＩＤおよびＣＩＦの関数であり得る。いくつかの例では、複数のｅＰＤＣＣＨは、複数のセル無線ネットワーク一時識別子（Ｃ−ＲＮＴＩ）によってスクランブルされ得る。複数のＣ−ＲＮＴＩは、無認可無線周波数スペクトル帯域を使用するキャリア専用であり得る。専用のＣ−ＲＮＴＩは、フォールスアラームを低減し得る。
【０１１０】
[0147]いくつかの例では、アップリンクＡＣＫのために使用されるビット数は、キャリアごとのｅＰＤＣＣＨ許可の数と、ｅＰＤＣＣＨ許可ごとのＴＢの数とに基づき得る。たとえば、１つのｅＰＤＣＣＨ許可が、キャリアの帯域幅全体のために使用され、許可内に２つのＴＢがある場合、アップリンクＡＣＫは、現在の報告を再使用し得る。複数のｅＰＤＣＣＨ許可が使用され、許可ごとに２つのＴＢがある場合、アップリンクＡＣＫは、許可ＩＤおよびＣＩＦに基づいて多重化され得る。いくつかの例では、ＣＡモードは、アップリンクＡＣＫを多重化するためにＣＩＦのみを使用し得る。アップリンクＡＣＫを多重化することは、現在の報告へのストレートな拡張であり得る。複数のｅＰＤＣＣＨ許可が使用され、許可ごとに２つよりも多いＴＢがある場合、アップリンクＡＣＫは、ＴＢ  ＩＤ、許可ＩＤ、およびＣＩＦに基づいて多重化され得る。いくつかの例では、ＨＡＲＱバンドリングが、負荷を低減するために再使用され得る。
【０１１１】
[0148]いくつかの例では、ＤＬサブ−チャネルの利用可能性は、ＤＬ送信検出を使用して決定され得る。利用可能なＤＬ帯域幅の発見および後続のヌメロロジーは、チャネル使用ビーコン信号（ＣＵＢＳ）の検出に基づき得る。ＵＥの近くの強力な干渉物は、ＣＵＢＳ検出の信頼性に影響を及ぼし得る。この信頼性は、各サブ−チャネル内のｅＮＢ送信の存在または不在を正しく決定することに依存し得る。
【０１１２】
[0149]いくつかの例では、キャリアマップは、無認可無線周波数スペクトル帯域内のＤＬ送信のロバストネスを増大させ得る。ｅＮＢは、ＵＥに、無認可無線周波数スペクトル帯域のすべてのスケーラブル帯域幅キャリアとそれらの占有されたサブ−チャネルとのマップをシグナリングし得る。ｅＮＢは、ＲＲＣメッセージ内でキャリアマップをシグナリングし得る。キャリアマップメッセージはまた、ＵＥのマスクを含み得る。ＵＥのマスクは、ＵＥがＤＬデータについて監視するべきである各キャリアのサブ−チャネルのセットを識別し得る。たとえば、ｅＮＢは、２つのスケーラブル帯域幅キャリアをＵＥにシグナリングし得る。第１のキャリアは、６０ＭＨｚの総帯域幅をもつサブ−チャネルを含み得、ただし、各サブ−チャネルは、２０ＭＨｚの帯域幅を有する。第２のキャリアは、１００ＭＨｚの総帯域幅をもつサブ−チャネルを含み得、ただし、各サブ−チャネルは、２０ＭＨｚの帯域幅を有する。したがって、キャリアマップは、［１  １  １  ０  ０  ０  ０  ０］に等しい第１のキャリアに関するマスクを含み得る（すなわち、第１のキャリアは、最初の３つの２０ＭＨｚサブ−チャネルを含む）。キャリアマップはまた、［０  ０  ０  １  １  １  １  １］に等しい第２のキャリアに関するマスクを含み得る（すなわち、第２のキャリアは、最後の５つの２０ＭＨｚサブ−チャネルを含む）。
【０１１３】
[0150]一例では、ｅＮＢは、４つのＵＥと通信し得る。ｅＮＢは、［０  １  ０  ０  ０  ０  ０  ０］に等しい第１のＵＥに関する第１のＵＥのマスクを送り得る（すなわち、第１のＵＥは、ＤＬデータについて第２の２０ＭＨｚサブ−チャネルを監視するべきである）。ｅＮＢは、［１  １  ０  ０  ０  １  １  １］に等しい第２のＵＥに関する第２のＵＥのマスクを送り得る（すなわち、第２のＵＥは、ＤＬデータについて１００ＭＨｚの総帯域幅をもつ５つのサブ−チャネルを監視するべきである）。ｅＮＢは、［１  １  １  ０  ０  ０  ０  ０］に等しい第３のＵＥに関する第３のＵＥのマスクを送り得る（すなわち、第３のＵＥは、ＤＬデータについて６０ＭＨｚの総帯域幅をもつ３つのサブ−チャネルを監視するべきである）。ｅＮＢは、［１  １  １  ０  １  １  １  １］に等しい第４のＵＥに関する第４のＵＥのマスクを送り得る（すなわち、第４のＵＥは、ＤＬデータについて１４０ＭＨｚの総帯域幅をもつ７つのサブ−チャネルを監視するべきである）。
【０１１４】
[0151]ｅＮＢはまた、ＵＥにＣＣＡの結果をブロードキャストし得る。ＣＣＡの結果は、認可無線周波数スペクトル帯域内のキャリア上、または無認可無線周波数スペクトル帯域内のキャリアの一部／全部上のいずれかでブロードキャストされ得る。無認可無線周波数スペクトル帯域内のキャリアの一部／全部上でブロードキャストすることは、クロスキャリアＣＵＢＳ確認を可能にし得る。たとえば、ＣＣＡの結果は、［１  １  ０  ０  １  ０  １  １］に等しくなり得る（すなわち、第１のサブ−チャネル、第２のサブ−チャネル、第５のサブ−チャネル、第７のサブ−チャネル、および第８のサブ−チャネルがクリアである）。いくつかの例では、ＣＣＡの結果は、修正されたＲＮＴＩとともにＤＣＩ内に含まれ得る。
【０１１５】
[0152]次いで、各ＵＥは、ＣＵＢＳ検出の結果を検証し得、また、ＵＥが無線フレームのために利用し得る利用可能な帯域幅を決定し得る。ＵＥは、ＵＥがＵＥから受信したＵＥのマスクを、ＵＥがｅＮＢから受信したＣＣＡの結果と組み合わせることによって、無線フレームに関する利用可能な帯域幅を決定し得る。ＵＥは、ＵＥのマスクおよびＣＣＡの結果においてＡＮＤ演算を実行することによって、ＵＥのマスクとＣＣＡの結果とを組み合わせ得る。たとえば、第１のＵＥのマスクとＣＣＡの結果との組合せは、［０  １  ０  ０  ０  ０  ０  ０］ＡＮＤ［１  １  ０  ０  １  ０  １  １］＝［０  １  ０  ０  ０  ０  ０  ０］であり得る（すなわち、第１のＵＥは、第１のキャリアの１つの２０ＭＨｚサブ−チャネルを利用し得る）。別の例では、第４のＵＥのマスクとＣＣＡの結果との組合せは、［１  １  １  ０  １  １  １  １］ＡＮＤ［１  １  ０  ０  １  ０  １  １］＝［１  １  ０  ０  １  ０  １  １］であり得る（すなわち、第４のＵＥは、４０ＭＨｚの総帯域幅をもつ第１のキャリアの２つのサブ−チャネルを利用し得、また、６０ＭＨｚの総帯域幅をもつ第２のキャリアの３つのサブ−チャネルを利用し得る）。ＵＥのマスクとＣＣＡの結果との組合せは、ＣＵＢＳ検出の確認をもたらし得る。
【０１１６】
[0153]いくつかの例では、ＵＥのマスクは、動的に変動され得る。ＵＥのマスクにおける変動は、システムフレーム番号（ＳＦＮ）、ＭＡＣシグナリング、または他の考慮すべき事柄に基づき得る。ＵＥのマスクを動的に変動させることは、ＵＥがＤＬデータについて監視するサブ−チャネルのセットにおける増大された変動を可能にし得る。
【０１１７】
[0154]図６は、本開示の様々な態様による、ＣＣＡ免除送信（ＣＥＴ）ロケーションの一例を示すタイミング図６００を示す。いくつかの例では、ＣＥＴは、無認可無線周波数スペクトル帯域を使用するスケーラブル帯域幅キャリア上で送信され得る。いくつかの例では、ＣＥＴロケーションは、キャリア内に含まれるすべてのサブ−チャネルについて同じであり得、ＣＥＴに関する送信電力は、各利用可能なサブ−チャネルのＣＥＴ間で均等に分配され得る。キャリア内に含まれるサブ−チャネルは、ＣＣＡ手順をクリアしたサブ−チャネルを含み得る。図６に示されるように、第１のサブ−チャネルは、第１のデータ送信６０５−ａと第２のデータ送信６０５−ｂとを含み得る。第１のＣＥＴ６１０−ａは、第１のサブ−チャネルの第１のデータ送信６０５−ａ後に配置され得る。第２のＣＥＴ６１０−ｂは、第１のサブ−チャネルの第２のデータ送信６０５−ｂ後に配置され得る。いくつかの例では、第１のサブ−チャネルの第１のデータ送信６０５−ａおよび第１のＣＥＴ６１０−ａは、８０ｍｓの持続時間を有し得る。第１のサブ−チャネルの第２のデータ送信６０５−ｂおよび第２のＣＥＴ６１０−ｂもまた、８０ｍｓの持続時間を有し得る。
【０１１８】
[0155]第２のサブ−チャネルは、第１のデータ送信６１５−ａと第２のデータ送信６１５−ｂとを含み得る。第１のＣＥＴ６２０−ａは、第２のサブ−チャネルの第１のデータ送信６１５−ａ後に配置され得る。第２のＣＥＴ６２０−ｂは、第２のサブ−チャネルの第２のデータ送信６１５−ｂ後に配置され得る。いくつかの例では、第２のサブ−チャネルの第１のデータ送信６１５−ａおよび第１のＣＥＴ６２０−ａは、８０ｍｓの持続時間を有し得る。第２のサブ−チャネルの第２のデータ送信６１５−ｂおよび第２のＣＥＴ６２０−ｂもまた、８０ｍｓの持続時間を有し得る。追加のデータ送信およびＣＥＴ（図示されず）は、図６に示されるデータ送信およびＣＥＴより前または後に発生し得る。
【０１１９】
[0156]図６に示されるように、データ送信およびＣＥＴは、各サブ−チャネル内で同時に発生する。サブ−チャネルを含む無認可無線周波数スペクトル帯域のサブバンドが、２３ｄＢｍのＴＰＣを有する場合、データ送信およびＣＥＴに関する送信電力は、送信サブ−チャネルにわたる総送信電力をＴＰＣよりも低く保つために、２０ｄＢｍであり得る。キャリアのサブ−チャネルごとに同時にＣＥＴを反復することによって、異なる帯域幅が可能なＵＥがサポートされ得る。異なるサブ−チャネルにわたるＣＥＴを組み合わせるために、仮定は必要ではないことがある。キャリアのサブ−チャネルごとに同時にＣＥＴを反復することはまた、（たとえば、拡張物理ブロードキャストチャネル（ｅＰＢＣＨ）の帯域幅とサブ−チャネルＩＤとを使用することによって）部分的に重複するネイバーｅＮＢの発見を可能にし得る。
【０１２０】
[0157]いくつかの例では、ＣＥＴは、ＣＣＡ手順をクリアしていないサブ−チャネルを含む、キャリアの可能な帯域幅全体にわたって同時に送信され得る。キャリアの可能な帯域幅全体に広がるＣＥＴは、より大きいペイロードを搬送し得、したがって、キャリア内に含まれるサブ−チャネルのみに広がるＣＥＴよりも短い持続時間を有し得る。
【０１２１】
[0158]図７は、本開示の様々な態様による、ＣＣＡ免除送信（ＣＥＴ）ロケーションの別の例を示すタイミング図７００を示す。図７に示されるように、ＣＥＴは、キャリア内に含まれるサブ−チャネルにわたって時間的に互い違いに配置され得る。いくつかの例では、第１のサブ−チャネルは、第１のデータ送信７０５−ａと、第２のデータ送信７０５−ｂと、第３のデータ送信７０５−ｃと、第４のデータ送信７０５−ｄとを含み得る。第１のＣＥＴ７１０−ａは、第１のサブ−チャネルの第１のデータ送信７０５−ａ後に配置され得る。第１のブランク間隔７２５−ａは、第１のサブ−チャネルの第２のデータ送信７０５−ｂ後に配置され得る。第１のブランク間隔７２５−ａは、送信が第１のサブ−チャネル上で発生しない時間の持続時間であり得る。第２のＣＥＴ７１０−ｂは、第１のサブ−チャネルの第３のデータ送信７０５−ｃ後に配置され得る。また、第２のブランク間隔７２５−ｂは、第１のサブ−チャネルの第４のデータ送信７０５−ｄ後に配置され得る。第２のブランク間隔７２５−ｂは、送信が第１のサブ−チャネル上で発生しない時間の持続時間であり得る。いくつかの例では、第１のサブ−チャネルの第１のデータ送信７０５−ａ、第１のＣＥＴ７１０−ａ、第２のデータ送信７０５−ｂ、および第１のブランク間隔７２５−ａは、８０ｍｓの持続時間を有し得る。第１のサブ−チャネルの第３のデータ送信７０５−ｃ、第２のＣＥＴ７１０−ｂ、第４のデータ送信７０５−ｄ、および第２のブランク間隔７２５−ｂもまた、８０ｍｓの持続時間を有し得る。
【０１２２】
[0159]第２のサブ−チャネルは、第１のデータ送信７１５−ａと、第２のデータ送信７１５−ｂと、第３のデータ送信７１５−ｃと、第４のデータ送信７１５−ｄとを含み得る。第１のＣＥＴ７２０−ａは、第２のサブ−チャネルの第１のデータ送信７１５−ａ後に配置され得る。第１のブランク間隔７３０−ａは、第２のサブ−チャネルの第２のデータ送信７１５−ｂ後に配置され得る。第１のブランク間隔７３０−ａは、送信が第２のサブ−チャネル上で発生しない時間の持続時間であり得る。第２のＣＥＴ７２０−ｂは、第２のサブ−チャネルの第３のデータ送信７１５−ｃ後に配置され得る。また、第２のブランク間隔７３０−ｂは、第２のサブ−チャネルの第４のデータ送信７１５−ｄ後に配置され得る。第２のブランク間隔７３０−ｂは、送信が第２のサブ−チャネル上で発生しない時間の持続時間であり得る。いくつかの例では、第２のサブ−チャネルの第１のデータ送信７１５−ａ、第１のＣＥＴ７２０−ａ、第２のデータ送信７１５−ｂ、および第１のブランク間隔７３０−ａは、８０ｍｓの持続時間を有し得る。第２のサブ−チャネルの第３のデータ送信７１５−ｃ、第２のＣＥＴ７２０−ｂ、第４のデータ送信７１５−ｄ、および第２のブランク間隔７３０−ｂもまた、８０ｍｓの持続時間を有し得る。追加のデータ送信、ＣＥＴ、およびブランク間隔（図示されず）は、図７に示されるデータ送信、ＣＥＴ、およびブランク間隔より前または後に発生し得る。
【０１２３】
[0160]図７に示されるように、ＣＥＴのロケーションは、キャリア内に含まれるサブ−チャネルにわたって互い違いに配置され得る。ＣＥＴのロケーションはまた、キャリア内に含まれる他のサブ−チャネルのブランク間隔とともに整合し得る。ＣＥＴのロケーションを互い違いに配置することと、ＣＥＴのロケーションをブランク間隔とともに整合させることとによって、ＣＥＴに関する送信電力は、ＴＰＣ（たとえば、２３ｄＢｍ）まで増大され得る。したがって、各ＣＥＴに関するカバレージエリアは、無認可周波数スペクトル帯域またはサブバンドの１つのサブ−チャネルのみを使用する送信に関するカバレージエリアと同等であり得る。ＣＥＴはまた、より頻繁に送信され得、そのことがセル発見における遅延を低減し得る。
【０１２４】
[0161]いくつかの例では、無認可無線周波数スペクトル帯域は、無認可無線周波数スペクトル帯域の異なるサブバンドを使用する、複数のスケーラブル帯域幅キャリアをサポートし得る。たとえば、ｅＮＢは、無認可無線周波数スペクトル帯域内の３つのキャリアをサポートし得る。第１のキャリアは、無認可無線周波数スペクトル帯域のＵＮＩＩ−１サブバンドを使用し得る。第１のキャリアは、ＵＮＩＩ−１サブバンドの１つのサブ−チャネルを含み得、２０ＭＨｚの帯域幅を有し得る。第１のキャリアは、ＵＮＩＩ−１サブバンドの送信電力制約までの送信電力において、ＵＮＩＩ−１の１つのサブ−チャネル上で送信し得る。第２のキャリアは、無認可無線周波数スペクトル帯域のＵＮＩＩ−２サブバンドを使用し得る。第２のキャリアは、ＵＮＩＩ−２サブバンドの２つのサブ−チャネルを含み得、４０ＭＨｚの帯域幅を有し得る。第２のキャリアは、ＵＮＩＩ−２サブバンドの２つのサブ−チャネル間で送信電力を再分配し得るので、２つのサブ−チャネルの総送信電力は、ＵＮＩＩ−２サブバンドの送信電力制約内であるようになる。第３のキャリアは、無認可無線周波数スペクトル帯域のＵＮＩＩ−３サブバンドを使用し得る。第３のキャリアは、ＵＮＩＩ−３サブバンドの４つのサブ−チャネルを含み得、８０ＭＨｚの帯域幅を有し得る。第３のキャリアは、ＵＮＩＩ−３サブバンドの４つのサブ−チャネル間で送信電力を再分配し得るので、４つのサブ−チャネルの総送信電力は、ＵＮＩＩ−３サブバンドの送信電力制約内であるようになる。第１のキャリアは、全送信電力において送信し得るので、第１のキャリアは、セルエッジまでのカバレージを提供し得る。第３のキャリアは、より大きい帯域幅を有するが、より低い送信電力を有するので、第３のキャリアは、ｅＮＢに近いユーザに増大された容量を提供し得る。
【０１２５】
[0162]いくつかの例では、送信電力は、固定のあらかじめ定義された電力割振りを使用して、サブ−チャネルの間で再分配され得る。いくつかの例では、総送信電力（すなわち、送信電力制約）は、無認可無線周波数スペクトル帯域またはサブバンド内のすべてのサブ−チャネルおよびすべてのキャリアの間で均等に分割され得る。他の例では、総送信電力は、固定のあらかじめ定義された電力割振りを使用して、サブ−チャネルの間で非対称に分割され得る。サブ−チャネルが送信のために使用されるとき、サブ−チャネルは、固定およびあらかじめ定義された送信電力において送信し得る。ＣＥＴは、どのように総送信電力がサブ−チャネルにわたって割り振られるべきであるかについての情報を含み得る。いくつかの例では、セルエッジに近いＵＥは、最高の割り振られた送信電力を有するサブ−チャネルおよび／またはキャリアを発見し、それに関連付け得る。
【０１２６】
[0163]たとえば、キャリアは、無認可無線周波数スペクトル帯域またはサブバンドの４つのサブ−チャネルを含み得る。キャリアは、８０ＭＨｚの総帯域幅と、４つのサブ−チャネルの間で割り振られ得る２３ｄＢｍ（２００ｍＷ）の総送信電力とを有し得る。非対称電力再分配では、１つのサブ−チャネルは、２０ｄＢｍ（１００ｍＷ）において送信し得、他の３つのサブ−チャネルは、１５．８ｄＢｍ（３３ｍＷ）において送信し得る。２０ｄＢｍにおいて送信するサブ−チャネルは、より大きいカバレージエリアを有し得るが、１５．８ｄＢｍにおいて送信するサブ−チャネルは、より近いユーザに増大された容量を提供し得る。したがって、いくつかの例では、非対称電力再分配を使用するとき、セルのエッジに近いＵＥがカバーされ得るが、セルのエッジに近いＵＥは、より低いコードレートを使用して通信し得る。いくつかの例では、固定の総送信電力では、より大きい帯域幅は、より小さい帯域幅と比較して、より大きい容量を提供し得る。信号対雑音比（ＳＮＲ）において、帯域幅と送信電力との間のトレードオフは、ほぼ線形であり得る。
【０１２７】
[0164]いくつかの例では、送信電力は、いくつのサブ−チャネルが送信のためにアクティブに使用されているかに基づいて、再分配され得る。したがって、セルカバレージエリアは、再分配された送信電力に基づいて、あらゆる無線フレームを動的に変更し得る。これは、「セルブリージング」と呼ばれることがある。ｅＮＢは、異なる距離におけるユーザを満足させるために、異なる無線フレーム内で、より低い帯域幅の送信とより高い帯域幅の送信と（および、したがって、より高い送信電力とより低い送信電力と）の間で意図的に切り替えるためのオプションを有し得る。
【０１２８】
[0165]いくつかの例では、基準信号は、サブ−チャネル上の他の送信のために割り振られた送信電力にかかわらず、固定送信電力において送信され得る。たとえば、拡張共通基準信号（ｅＣＲＳ）が、ＵＥとｅＮＢの両方に知られている固定送信電力を使用して、すべてのサブ−チャネル上で送信され得る。代替的にまたは追加として、チャネル状態情報基準信号（ＣＳＩ−ＲＳ）が、ＵＥとｅＮＢの両方に知られている固定送信電力を使用して、すべてのサブ−チャネル上で送信され得る。固定送信電力によるｅＣＲＳは、各ＵＥがｅＣＲＳに基づいて測定を実行するので、各セルに関する適切なカバレージを保証し得る。基準信号に関する固定送信電力はまた、ＣＱＩ測定に関するチャネル推定における一貫性を保証し、他のＵＥによる周波数間測定に関する単純な解決策を提供し得る。
【０１２９】
[0166]いくつかの例では、復調基準信号（ＤＭ−ＲＳ）送信電力は、ＰＤＳＣＨ電力および所望された送信電力に基づき得る。いくつかの例では、ＰＤＳＣＨおよびｅＰＤＣＣＨに関する送信電力は、ＵＥのセットが各無線フレーム内でアドレス指定されることに基づいて、増大され得る。ＰＤＳＣＨおよびｅＰＤＣＣＨに関する送信電力は、あらゆるサブフレームおよびサブ−チャネルに関する総送信電力制約を満たし得る。
【０１３０】
[0167]いくつかの例では、ＣＱＩは、雑音推定を含み得る。各サブ−チャネルが固定送信電力割振り（対称または非対称）を有するとき、雑音推定は、送信機における帯域幅が変動するとき、アクティブな干渉物のセットが変化しないことがあるので、矛盾がないものであり得る。サブ−チャネルが送信のためにアクティブに使用されていることに基づいて、各サブ−チャネルに関する送信電力が可変であるとき、各ＵＥによって見られるアクティブな干渉物のセットは、送信帯域幅の関数であり得る。いくつかの例では、ＵＥは、生のＣＱＩを報告し得、ｅＮＢは、送信帯域幅と各サブ−チャネルに割り振られた送信電力とに基づいて、ＣＱＩフィルタ処理を実行し得る。
【０１３１】
[0168]いくつかの例では、シーケンス生成は、スケーラブル帯域幅キャリアの帯域幅に部分的に基づき得る。シーケンス生成は、ＤＭ−ＲＳ、ｅＣＲＳ、ＣＵＢＳ、および／またはＣＳＩ−ＲＳに関するものであり得る。固定帯域幅をもつキャリアでは、シーケンス生成のために使用されるＲＢの数は、帯域幅とともに直接スケーリングされ得る。代替的に、固定帯域幅をもつキャリアでは、シーケンスは、あらゆるサブ−チャネルについて反復し得る。フレキシブル帯域幅キャリアでは、シーケンスは、あらゆるアクティブなサブ−チャネルについて反復し得る。あらゆるアクティブなサブ−チャネルについてシーケンスを反復することは、異なる帯域幅が可能なＵＥが共存することを可能にし得、また、受信機における簡単な干渉消去を可能にし得る。代替的に、フレキシブル帯域幅キャリアでは、シーケンスは、キャリアの現在の論理帯域幅に基づいて生成され得る。キャリアの現在の論理帯域幅に基づいてシーケンスを生成することは、所与のサブ−チャネル内のシーケンスを送信帯域幅に応じて変動させ得る。フレキシブル帯域幅キャリアに関する別の代替は、無認可無線周波数スペクトル帯域またはサブバンドのサブ−チャネルのすべてに関するシーケンスを生成することであり得る。次いで、シーケンスは、ＣＣＡ手順をクリアし、キャリア内に含まれるサブ−チャネルに基づいて、パンクチャされ得る。
【０１３２】
[0169]図８は、本開示の様々な態様による、スケーラブル帯域幅キャリアとともに使用するための逆高速フーリエ変換（ＩＦＦＴ）８０５およびフィルタバンク８１０のブロック図８００を示す。いくつかの例では、ＩＦＦＴ８０５は、複数のサブ−チャネルにわたって一緒に実行され得る。ジョイントＩＦＦＴ８０５は、キャリアの全帯域幅（すなわち、キャリア内に含まれ得るすべての潜在的サブ−チャネル）上で実行され得る。代替的に、ジョイントＩＦＦＴ８０５は、キャリア内に含まれるアクティブなサブ−チャネル上で実行され得る。ＩＦＦＴ８０５がアクティブなサブ−チャネル上で実行される場合、ＩＦＦＴは、アクティブなサブ−チャネルに対応する複数のＩＦＦＴに分割され得る。２つのアクティブなサブ−チャネルが隣接している場合、単一のジョイントＩＦＦＴが、２つのアクティブなサブ−チャネル上で実行され得る。
【０１３３】
[0170]ＩＦＦＴ８０５の出力は、フィルタバンク８１０に入力され得る。フィルタバンク８１０は、可能なスペクトルマスク組合せの各々に対応する複数のフィルタを含み得る。たとえば、２０ＭＨｚの帯域幅をもつ４つのサブ−チャネル（Ｓｕｂｃｈ０〜ＳｕｂＣｈ３）が各々フィルタバンクへの可能な入力である場合、フィルタバンクは、４つの２０ＭＨｚフィルタ８１５−ａ〜８１５−ｄと、３つの４０ＭＨｚフィルタ８２０−ａ〜８２０−ｃと、２つの６０ＭＨｚフィルタ８２５−ａおよび８２５−ｂと、１つの８０ＭＨｚフィルタ８３０とを含み得る。たとえば、アクティブなサブ−チャネルがＳｕｂＣｈ０、ＳｕｂＣｈ１、およびＳｕｂＣｈ３である場合、フィルタバンク８１０は、ＳｕｂＣｈ０とＳｕｂＣｈ１とをフィルタ処理するために４０ＭＨｚフィルタ８２０−ａを利用し、ＳｕｂＣｈ３をフィルタ処理するために２０ＭＨｚフィルタ８１５−ｄを利用し得る。別の例では、アクティブなサブ−チャネルがＳｕｂＣｈ１、ＳｕｂＣｈ２、およびＳｕｂＣｈ３である場合、フィルタバンク８１０は、すべての３つのサブ−チャネルをフィルタ処理するために、６０ＭＨｚフィルタ８２５−ｂを利用し得る。
【０１３４】
[0171]単一のフィルタ内で複数の隣接するアクティブなサブ−チャネルをフィルタ処理することによって、サブ−チャネル間のガード  バンドがリソースのために利用され得、そのことがリソースにおける５〜８％の増大をもたらし得る。加えて、複数の帯域幅が可能なＵＥは、サブ−チャネルとリソースとのインテリジェントなスケジューリングによってサポートされ得る。いくつかの例では、ＵＥのＲＦ能力は、処理／復調能力とは異なり得る。
【０１３５】
[0172]図９は、本開示の様々な態様による、ワイヤレス通信において使用するための装置９０５のブロック図９００を示す。いくつかの例では、装置９０５は、図１および／または図２に関して説明された基地局１０５、基地局２０５、基地局２０５−ａ、ＵＥ１１５、ＵＥ２１５、ＵＥ２１５−ａ、ＵＥ２１５−ｂ、および／またはＵＥ２１５−ｃのうちの１つまたは複数の態様の一例であり得る。いくつかの例では、装置９０５は、ＵＥ、ＬＴＥ／ＬＴＥ−Ａ  ｅＮＢ、および／またはＬＴＥ／ＬＴＥ−Ａ基地局の一部であるか、またはそれを含み得る。装置９０５は、プロセッサでもあり得る。いくつかの例では、装置９０５は、送信機または送信機装置と呼ばれることがある。装置９０５は、受信機モジュール９１０、帯域幅スケーリングモジュール９３０、および／または送信機モジュール９２０を含み得る。これらの構成要素の各々は互いに通信し得る。
【０１３６】
[0173]装置９０５の構成要素は、ハードウェアにおいて適用可能な機能の一部または全部を実行するために適応された１つまたは複数の特定用途向け集積回路（ＡＳＩＣ）を使用して、個々にまたは集合的に実装され得る。代替的に、機能は、１つまたは複数の集積回路上で、１つまたは複数の他の処理ユニット（またはコア）によって実行され得る。他の例では、当技術分野で知られている任意の方法でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中で具現化される命令によって実装され得る。
【０１３７】
[0174]いくつかの例では、受信機モジュール９１０は、認可無線周波数スペクトル帯域（たとえば、無線周波数スペクトル帯域がユーザ（たとえば、ＬＴＥ／ＬＴＥ−Ａユーザ）に認可されているので、装置がそれのためにアクセスを求めて競合しない無線周波数スペクトル帯域）、ならびに／または無認可無線周波数スペクトル帯域（たとえば、無線周波数スペクトル帯域が少なくとも部分的に無認可使用（たとえば、無認可無線周波数スペクトル帯域内のＷｉ−Ｆｉ使用および／もしくはＬＴＥ／ＬＴＥ−Ａ使用）のために利用可能であるので、装置がそれのためにアクセスを求めて競合する必要があり得る無線周波数スペクトル帯域）を介して送信を受信するように動作可能な少なくとも１つの無線周波数（ＲＦ）受信機など、少なくとも１つのＲＦ受信機を含み得る。いくつかの例では、認可無線周波数スペクトル帯域および／または無認可無線周波数スペクトル帯域は、たとえば、図１〜図８に関して説明されたように、ＬＴＥ／ＬＴＥ−Ａ通信のために使用され得る。受信機モジュール９１０は、図１および／または図２に関して説明されたワイヤレス通信システム１００および／または２００の１つまたは複数の通信リンクなど、ワイヤレス通信システムの１つまたは複数の通信リンクを介して、様々なタイプのデータおよび／または制御信号（すなわち、送信）を受信するために使用され得る。通信リンクは、認可無線周波数スペクトル帯域および／または無認可無線周波数スペクトル帯域を介して確立され得る。
【０１３８】
[0175]いくつかの例では、送信機モジュール９２０は、認可無線周波数スペクトル帯域および／または無認可無線周波数スペクトル帯域を介して送信するように動作可能な少なくとも１つのＲＦ送信機など、少なくとも１つのＲＦ送信機を含み得る。送信機モジュール９２０は、図１および／または図２に関して説明されたワイヤレス通信システム１００および／または２００の１つまたは複数の通信リンクなど、ワイヤレス通信システムの１つまたは複数の通信リンクを介して、様々なタイプのデータおよび／または制御信号（すなわち、送信）を送信するために使用され得る。通信リンクは、認可無線周波数スペクトル帯域および／または無認可無線周波数スペクトル帯域を介して確立され得る。
【０１３９】
[0176]いくつかの例では、帯域幅スケーリングモジュール９３０は、無認可無線周波数スペクトル帯域内の利用可能なサブ−チャネルを識別し、無認可無線周波数スペクトル帯域を介した通信に関するキャリア内に利用可能なサブ−チャネルを含めるために、使用され得る。このようにして、キャリアの帯域幅は、無認可無線周波数スペクトル帯域内の利用可能なサブ−チャネルに従ってスケーリングされ得る。
【０１４０】
[0177]図１０は、本開示の様々な態様による、ワイヤレス通信において使用するための装置１００５のブロック図１０００を示す。いくつかの例では、装置１００５は、図１および／もしくは図２に関して説明された基地局１０５、基地局２０５、基地局２０５−ａ、ＵＥ１１５、ＵＥ２１５、ＵＥ２１５−ａ、ＵＥ２１５−ｂ、および／もしくはＵＥ２１５−ｃのうちの１つもしくは複数の態様の一例、ならびに／または、図９に関して説明された装置９０５の態様の一例であり得る。いくつかの例では、装置１００５は、ＵＥ、ＬＴＥ／ＬＴＥ−Ａ  ｅＮＢ、および／またはＬＴＥ／ＬＴＥ−Ａ基地局の一部であるか、またはそれを含み得る。装置１００５は、プロセッサでもあり得る。いくつかの例では、装置１００５は、送信機または送信機装置と呼ばれることがある。装置１００５は、受信機モジュール１０１０、帯域幅スケーリングモジュール１０３０、および／または送信機モジュール１０２０を含み得る。これらの構成要素の各々は互いに通信し得る。
【０１４１】
[0178]装置１００５の構成要素は、ハードウェアにおいて適用可能な機能の一部または全部を実行するために適応された１つまたは複数のＡＳＩＣを使用して、個々にまたは集合的に実装され得る。代替的に、機能は、１つまたは複数の集積回路上で、１つまたは複数の他の処理ユニット（またはコア）によって実行され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中で具現化される命令によって実装され得る。
【０１４２】
[0179]いくつかの例では、受信機モジュール１０１０は、図９に関して説明された受信機モジュール９１０の１つまたは複数の態様の一例であり得る。いくつかの例では、受信機モジュール１０１０は、認可無線周波数スペクトル帯域（たとえば、無線周波数スペクトル帯域がユーザ（たとえば、ＬＴＥ／ＬＴＥ−Ａユーザ）に認可されているので、装置がそれのためにアクセスを求めて競合しない無線周波数スペクトル帯域）、ならびに／または無認可無線周波数スペクトル帯域（たとえば、無線周波数スペクトル帯域が少なくとも部分的に無認可使用（たとえば、無認可無線周波数スペクトル帯域内のＷｉ−Ｆｉ使用および／もしくはＬＴＥ／ＬＴＥ−Ａ使用）のために利用可能であるので、装置がそれのためにアクセスを求めて競合する必要があり得る無線周波数スペクトル帯域）を介して送信を受信するように動作可能な少なくとも１つのＲＦ受信機など、少なくとも１つのＲＦ受信機を含み得る。いくつかの例では、認可無線周波数スペクトル帯域および／または無認可無線周波数スペクトル帯域は、たとえば、図１〜図８に関して説明されたように、ＬＴＥ／ＬＴＥ−Ａ通信のために使用され得る。受信機モジュール１０１０は、場合によっては、認可無線周波数スペクトル帯域および無認可無線周波数スペクトル帯域に関する別個の受信機を含み得る。別個の受信機は、いくつかの例では、認可無線周波数スペクトル帯域を介して通信するための認可ＲＦスペクトル帯域ＬＴＥ／ＬＴＥ−Ａ受信機モジュール１０１２、および無認可無線周波数スペクトル帯域を介して通信するための無認可ＲＦスペクトル帯域ＬＴＥ／ＬＴＥ−Ａ受信機モジュール１０１４の形態をとり得る。受信機モジュール１０１０はまた、他の無線周波数スペクトル帯域を介して通信するための、および／または他の無線アクセス技術（たとえば、Ｗｉ−Ｆｉ）を介して通信するための受信機モジュールを含み得る。認可ＲＦスペクトル帯域ＬＴＥ／ＬＴＥ−Ａ受信機モジュール１０１２および／または無認可ＲＦスペクトル帯域ＬＴＥ／ＬＴＥ−Ａ受信機モジュール１０１４を含む受信機モジュール１０１０は、図１および／または図２に関して説明されたワイヤレス通信システム１００および／または２００の１つまたは複数の通信リンクなど、ワイヤレス通信システムの１つまたは複数の通信リンクを介して、様々なタイプのデータおよび／または制御信号（すなわち、送信）を受信するために使用され得る。通信リンクは、認可無線周波数スペクトル帯域および／または無認可無線周波数スペクトル帯域を介して確立され得る。
【０１４３】
[0180]いくつかの例では、送信機モジュール１０２０は、図９に関して説明された送信機モジュール９２０の１つまたは複数の態様の一例であり得る。いくつかの例では、送信機モジュール１０２０は、認可無線周波数スペクトル帯域および／または無認可無線周波数スペクトル帯域を介して送信するように動作可能な少なくとも１つのＲＦ送信機など、少なくとも１つのＲＦ送信機を含み得る。送信機モジュール１０２０は、場合によっては、認可無線周波数スペクトル帯域および無認可無線周波数スペクトル帯域に関する別個の送信機を含み得る。別個の送信機は、いくつかの例では、認可無線周波数スペクトル帯域を介して通信するための認可ＲＦスペクトル帯域ＬＴＥ／ＬＴＥ−Ａ送信機モジュール１０２２、および無認可無線周波数スペクトル帯域を介して通信するための無認可ＲＦスペクトル帯域ＬＴＥ／ＬＴＥ−Ａ送信機モジュール１０２４の形態をとり得る。認可ＲＦスペクトル帯域ＬＴＥ／ＬＴＥ−Ａ送信機モジュール１０２２および／または無認可ＲＦスペクトル帯域ＬＴＥ／ＬＴＥ−Ａ送信機モジュール１０２４を含む送信機モジュール１０２０は、図１および／または図２に関して説明されたワイヤレス通信システム１００および／または２００の１つまたは複数の通信リンクなど、ワイヤレス通信システムの１つまたは複数の通信リンクを介して、様々なタイプのデータおよび／または制御信号（すなわち、送信）を送信するために使用され得る。通信リンクは、認可無線周波数スペクトル帯域および／または無認可無線周波数スペクトル帯域を介して確立され得る。
【０１４４】
[0181]いくつかの例では、帯域幅スケーリングモジュール１０３０は、図９に関して説明された帯域幅スケーリングモジュール９３０の１つまたは複数の態様の一例であり得る。帯域幅スケーリングモジュール１０３０は、ＣＣＡモジュール１０３５、電力制約モジュール１０４０、および／またはしきい値調整モジュール１０４５を含み得る。ＣＣＡモジュール１０３５は、楽観的ＣＣＡしきい値に少なくとも部分的に基づいて、無認可無線周波数スペクトル帯域のサブ−チャネル上で第１のＣＣＡを実行し得る。楽観的ＣＣＡしきい値は、サブ−チャネルを介した送信に関する送信電力限界に基づく、電力制約モジュール１０４０からの電力制約に基づき得る。どのサブ−チャネルが第１のＣＣＡをクリアするかに基づいて、ＣＣＡモジュール１０３５は、複数の潜在的サブ−チャネルを決定し得る。次いで、しきい値調整モジュール１０４５は、潜在的サブ−チャネルの数と、電力制約モジュール１０４０からの電力制約とに基づいて、再分配ＣＣＡしきい値を生成し得る。電力制約モジュール１０４０からの電力制約は、潜在的サブ−チャネルを介した送信に関する送信電力限界に基づき得る。次いで、ＣＣＡモジュール１０３５は、再分配ＣＣＡしきい値に基づいて、潜在的サブ−チャネル上で第２のＣＣＡを実行し、どのサブ−チャネルが通信のためにクリアであるかを決定し得る。次いで、帯域幅スケーリングモジュール１０３０は、無認可無線周波数スペクトル帯域を介した通信に関するキャリア内にクリア  サブ−チャネルを含め得る。このようにして、キャリアの帯域幅は、無認可無線周波数スペクトル帯域内の利用可能なサブ−チャネルに従ってスケーリングされ得る。
【０１４５】
[0182]いくつかの例では、ＣＣＡモジュール１０３５によって実行される第２のＣＣＡは、潜在的サブ−チャネルに関するＣＣＡカウントダウン  スロットを含み得る。クリア  サブ−チャネルを介した通信は、ＣＣＡカウントダウン  スロットが超えられるまで遅延され得る。いくつかの例では、ＣＣＡモジュール１０３５によって実行される第２のＣＣＡは、複数の潜在的サブ−チャネルにわたるエネルギーの合計を測定する、単一のジョイントＣＣＡであり得る。
【０１４６】
[0183]図１１は、本開示の様々な態様による、ワイヤレス通信において使用するための装置１１０５のブロック図１１００を示す。いくつかの例では、装置１１０５は、図１および／もしくは図２に関して説明された基地局１０５、基地局２０５、基地局２０５−ａ、ＵＥ１１５、ＵＥ２１５、ＵＥ２１５−ａ、ＵＥ２１５−ｂ、および／もしくはＵＥ２１５−ｃのうちの１つもしくは複数の態様の一例、ならびに／または、図９に関して説明された装置９０５の態様の一例であり得る。いくつかの例では、装置１１０５は、ＵＥ、ＬＴＥ／ＬＴＥ−Ａ  ｅＮＢ、および／またはＬＴＥ／ＬＴＥ−Ａ基地局の一部であるか、またはそれを含み得る。装置１１０５は、プロセッサでもあり得る。いくつかの例では、装置１１０５は、送信機または送信機装置と呼ばれることがある。装置１１０５は、受信機モジュール１１１０、帯域幅スケーリングモジュール１１３０、および／または送信機モジュール１１２０を含み得る。これらの構成要素の各々は互いに通信し得る。
【０１４７】
[0184]装置１１０５の構成要素は、ハードウェアにおいて適用可能な機能の一部または全部を実行するために適応された１つまたは複数のＡＳＩＣを使用して、個々にまたは集合的に実装され得る。代替的に、機能は、１つまたは複数の集積回路上で、１つまたは複数の他の処理ユニット（またはコア）によって実行され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中で具現化される命令によって実装され得る。
【０１４８】
[0185]いくつかの例では、受信機モジュール１１１０は、図９に関して説明された受信機モジュール９１０の１つまたは複数の態様の一例であり得る。いくつかの例では、受信機モジュール１１１０は、認可無線周波数スペクトル帯域（たとえば、無線周波数スペクトル帯域がユーザ（たとえば、ＬＴＥ／ＬＴＥ−Ａユーザ）に認可されているので、装置がそれのためにアクセスを求めて競合しない無線周波数スペクトル帯域）、ならびに／または無認可無線周波数スペクトル帯域（たとえば、無線周波数スペクトル帯域が少なくとも部分的に無認可使用（たとえば、無認可無線周波数スペクトル帯域内のＷｉ−Ｆｉ使用および／もしくはＬＴＥ／ＬＴＥ−Ａ使用）のために利用可能であるので、装置がそれのためにアクセスを求めて競合する必要があり得る無線周波数スペクトル帯域）を介して送信を受信するように動作可能な少なくとも１つのＲＦ受信機など、少なくとも１つのＲＦ受信機を含み得る。いくつかの例では、認可無線周波数スペクトル帯域および／または無認可無線周波数スペクトル帯域は、たとえば、図１〜図８に関して説明されたように、ＬＴＥ／ＬＴＥ−Ａ通信のために使用され得る。受信機モジュール１１１０は、場合によっては、認可無線周波数スペクトル帯域および無認可無線周波数スペクトル帯域に関する別個の受信機を含み得る。別個の受信機は、いくつかの例では、認可無線周波数スペクトル帯域を介して通信するための認可ＲＦスペクトル帯域ＬＴＥ／ＬＴＥ−Ａ受信機モジュール１１１２、および無認可無線周波数スペクトル帯域を介して通信するための無認可ＲＦスペクトル帯域ＬＴＥ／ＬＴＥ−Ａ受信機モジュール１１１４の形態をとり得る。受信機モジュール１１１０はまた、他の無線周波数スペクトル帯域を介して通信するための、および／または他の無線アクセス技術（たとえば、Ｗｉ−Ｆｉ）を介して通信するための受信機モジュールを含み得る。認可ＲＦスペクトル帯域ＬＴＥ／ＬＴＥ−Ａ受信機モジュール１１１２および／または無認可ＲＦスペクトル帯域ＬＴＥ／ＬＴＥ−Ａ受信機モジュール１１１４を含む受信機モジュール１１１０は、図１および／または図２に関して説明されたワイヤレス通信システム１００および／または２００の１つまたは複数の通信リンクなど、ワイヤレス通信システムの１つまたは複数の通信リンクを介して、様々なタイプのデータおよび／または制御信号（すなわち、送信）を受信するために使用され得る。通信リンクは、認可無線周波数スペクトル帯域および／または無認可無線周波数スペクトル帯域を介して確立され得る。
【０１４９】
[0186]いくつかの例では、送信機モジュール１１２０は、図９に関して説明された送信機モジュール９２０の１つまたは複数の態様の一例であり得る。いくつかの例では、送信機モジュール１１２０は、認可無線周波数スペクトル帯域および／または無認可無線周波数スペクトル帯域を介して送信するように動作可能な少なくとも１つのＲＦ送信機など、少なくとも１つのＲＦ送信機を含み得る。送信機モジュール１１２０は、場合によっては、認可無線周波数スペクトル帯域および無認可無線周波数スペクトル帯域に関する別個の送信機を含み得る。別個の送信機は、いくつかの例では、認可無線周波数スペクトル帯域を介して通信するための認可ＲＦスペクトル帯域ＬＴＥ／ＬＴＥ−Ａ送信機モジュール１１２２、および無認可無線周波数スペクトル帯域を介して通信するための無認可ＲＦスペクトル帯域ＬＴＥ／ＬＴＥ−Ａ送信機モジュール１１２４の形態をとり得る。認可ＲＦスペクトル帯域ＬＴＥ／ＬＴＥ−Ａ送信機モジュール１１２２および／または無認可ＲＦスペクトル帯域ＬＴＥ／ＬＴＥ−Ａ送信機モジュール１１２４を含む送信機モジュール１１２０は、図１および／または図２に関して説明されたワイヤレス通信システム１００および／または２００の１つまたは複数の通信リンクなど、ワイヤレス通信システムの１つまたは複数の通信リンクを介して、様々なタイプのデータおよび／または制御信号（すなわち、送信）を送信するために使用され得る。通信リンクは、認可無線周波数スペクトル帯域および／または無認可無線周波数スペクトル帯域を介して確立され得る。
【０１５０】
[0187]いくつかの例では、帯域幅スケーリングモジュール１１３０は、図９に関して説明された帯域幅スケーリングモジュール９３０の１つまたは複数の態様の一例であり得る。帯域幅スケーリングモジュール１１３０は、リソースアドレス指定モジュール１１３５を含み得る。いくつかの例では、リソースアドレス指定モジュール１１３５は、利用可能なサブ−チャネルのリソースを１つの論理グループとしてアドレス指定し得る。リソースアドレス指定モジュール１１３５によってアドレス指定されるリソースは、隣接または非隣接であり得る。いくつかの例では、リソースはＲＢを含み得る。リソースアドレス指定モジュール１１３５は、少なくとも１つの拡張物理ダウンリンク制御チャネル（ｅＰＤＣＣＨ）を使用して、ＲＢを割り当て得る。少なくとも１つのｅＰＤＣＣＨは、複数のサブ−チャネルの第１のサブセットにわたってＲＢを割り当て得る。いくつかの例では、ＲＢは、隣接するサブ−チャネルにわたって連続し得る。
【０１５１】
[0188]図１２は、本開示の様々な態様による、ワイヤレス通信において使用するための装置１２０５のブロック図１２００を示す。いくつかの例では、装置１２０５は、図１および／もしくは図２に関して説明された基地局１０５、基地局２０５、基地局２０５−ａ、ＵＥ１１５、ＵＥ２１５、ＵＥ２１５−ａ、ＵＥ２１５−ｂ、および／もしくはＵＥ２１５−ｃのうちの１つもしくは複数の態様の一例、ならびに／または、図９に関して説明された装置９０５の態様の一例であり得る。いくつかの例では、装置１２０５は、ＵＥ、ＬＴＥ／ＬＴＥ−Ａ  ｅＮＢ、および／またはＬＴＥ／ＬＴＥ−Ａ基地局の一部であるか、またはそれを含み得る。装置１２０５は、プロセッサでもあり得る。いくつかの例では、装置１２０５は、送信機または送信機装置と呼ばれることがある。装置１２０５は、受信機モジュール１２１０、帯域幅スケーリングモジュール１２３０、および／または送信機モジュール１２２０を含み得る。これらの構成要素の各々は互いに通信し得る。
【０１５２】
[0189]装置１２０５の構成要素は、ハードウェアにおいて適用可能な機能の一部または全部を実行するために適応された１つまたは複数のＡＳＩＣを使用して、個々にまたは集合的に実装され得る。代替的に、機能は、１つまたは複数の集積回路上で、１つまたは複数の他の処理ユニット（またはコア）によって実行され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中で具現化される命令によって実装され得る。
【０１５３】
[0190]いくつかの例では、受信機モジュール１２１０は、図９に関して説明された受信機モジュール９１０の１つまたは複数の態様の一例であり得る。いくつかの例では、受信機モジュール１２１０は、認可無線周波数スペクトル帯域（たとえば、無線周波数スペクトル帯域がユーザ（たとえば、ＬＴＥ／ＬＴＥ−Ａユーザ）に認可されているので、装置がそれのためにアクセスを求めて競合しない無線周波数スペクトル帯域）、ならびに／または無認可無線周波数スペクトル帯域（たとえば、無線周波数スペクトル帯域が少なくとも部分的に無認可使用（たとえば、無認可無線周波数スペクトル帯域内のＷｉ−Ｆｉ使用および／もしくはＬＴＥ／ＬＴＥ−Ａ使用）のために利用可能であるので、装置がそれのためにアクセスを求めて競合する必要があり得る無線周波数スペクトル帯域）を介して送信を受信するように動作可能な少なくとも１つのＲＦ受信機など、少なくとも１つのＲＦ受信機を含み得る。いくつかの例では、認可無線周波数スペクトル帯域および／または無認可無線周波数スペクトル帯域は、たとえば、図１〜図８に関して説明されたように、ＬＴＥ／ＬＴＥ−Ａ通信のために使用され得る。受信機モジュール１２１０は、場合によっては、認可無線周波数スペクトル帯域および無認可無線周波数スペクトル帯域に関する別個の受信機を含み得る。別個の受信機は、いくつかの例では、認可無線周波数スペクトル帯域を介して通信するための認可ＲＦスペクトル帯域ＬＴＥ／ＬＴＥ−Ａ受信機モジュール１２１２、および無認可無線周波数スペクトル帯域を介して通信するための無認可ＲＦスペクトル帯域ＬＴＥ／ＬＴＥ−Ａ受信機モジュール１２１４の形態をとり得る。受信機モジュール１２１０はまた、他の無線周波数スペクトル帯域を介して通信するための、および／または他の無線アクセス技術（たとえば、Ｗｉ−Ｆｉ）を介して通信するための受信機モジュールを含み得る。認可ＲＦスペクトル帯域ＬＴＥ／ＬＴＥ−Ａ受信機モジュール１２１２および／または無認可ＲＦスペクトル帯域ＬＴＥ／ＬＴＥ−Ａ受信機モジュール１２１４を含む受信機モジュール１２１０は、図１および／または図２に関して説明されたワイヤレス通信システム１００および／または２００の１つまたは複数の通信リンクなど、ワイヤレス通信システムの１つまたは複数の通信リンクを介して、様々なタイプのデータおよび／または制御信号（すなわち、送信）を受信するために使用され得る。通信リンクは、認可無線周波数スペクトル帯域および／または無認可無線周波数スペクトル帯域を介して確立され得る。
【０１５４】
[0191]いくつかの例では、送信機モジュール１２２０は、図９に関して説明された送信機モジュール９２０の１つまたは複数の態様の一例であり得る。いくつかの例では、送信機モジュール１２２０は、認可無線周波数スペクトル帯域および／または無認可無線周波数スペクトル帯域を介して送信するように動作可能な少なくとも１つのＲＦ送信機など、少なくとも１つのＲＦ送信機を含み得る。送信機モジュール１２２０は、場合によっては、認可無線周波数スペクトル帯域および無認可無線周波数スペクトル帯域に関する別個の送信機を含み得る。別個の送信機は、いくつかの例では、認可無線周波数スペクトル帯域を介して通信するための認可ＲＦスペクトル帯域ＬＴＥ／ＬＴＥ−Ａ送信機モジュール１２２２、および無認可無線周波数スペクトル帯域を介して通信するための無認可ＲＦスペクトル帯域ＬＴＥ／ＬＴＥ−Ａ送信機モジュール１２２４の形態をとり得る。認可ＲＦスペクトル帯域ＬＴＥ／ＬＴＥ−Ａ送信機モジュール１２２２および／または無認可ＲＦスペクトル帯域ＬＴＥ／ＬＴＥ−Ａ送信機モジュール１２２４を含む送信機モジュール１２２０は、図１および／または図２に関して説明されたワイヤレス通信システム１００および／または２００の１つまたは複数の通信リンクなど、ワイヤレス通信システムの１つまたは複数の通信リンクを介して、様々なタイプのデータおよび／または制御信号（すなわち、送信）を送信するために使用され得る。通信リンクは、認可無線周波数スペクトル帯域および／または無認可無線周波数スペクトル帯域を介して確立され得る。
【０１５５】
[0192]いくつかの例では、帯域幅スケーリングモジュール１２３０は、図９に関して説明された帯域幅スケーリングモジュール９３０の１つまたは複数の態様の一例であり得る。帯域幅スケーリングモジュール１２３０は、ＰＵＣＣＨモジュール１２３５を含み得る。ＰＵＣＣＨモジュール１２３５は、物理アップリンク制御チャネル（ＰＵＣＣＨ）を決定し得る。ＰＵＣＣＨは、帯域幅スケーリングモジュール１２３０によって識別された利用可能なサブ−チャネルに関するチャネル品質インジケータ（ＣＱＩ）を含み得る。
【０１５６】
[0193]図１３は、本開示の様々な態様による、ワイヤレス通信において使用するための装置１３０５のブロック図１３００を示す。いくつかの例では、装置１３０５は、図１および／もしくは図２に関して説明された基地局１０５、基地局２０５、基地局２０５−ａ、ＵＥ１１５、ＵＥ２１５、ＵＥ２１５−ａ、ＵＥ２１５−ｂ、および／もしくはＵＥ２１５−ｃのうちの１つもしくは複数の態様の一例、ならびに／または、図９に関して説明された装置９０５の態様の一例であり得る。いくつかの例では、装置１３０５は、ＵＥ、ＬＴＥ／ＬＴＥ−Ａ  ｅＮＢ、および／またはＬＴＥ／ＬＴＥ−Ａ基地局の一部であるか、またはそれを含み得る。装置１３０５は、プロセッサでもあり得る。いくつかの例では、装置１３０５は、送信機または送信機装置と呼ばれることがある。装置１３０５は、受信機モジュール１３１０、帯域幅スケーリングモジュール１３３０、および／または送信機モジュール１３２０を含み得る。これらの構成要素の各々は互いに通信し得る。
【０１５７】
[0194]装置１３０５の構成要素は、ハードウェアにおいて適用可能な機能の一部または全部を実行するために適応された１つまたは複数のＡＳＩＣを使用して、個々にまたは集合的に実装され得る。代替的に、機能は、１つまたは複数の集積回路上で、１つまたは複数の他の処理ユニット（またはコア）によって実行され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中で具現化される命令によって実装され得る。
【０１５８】
[0195]いくつかの例では、受信機モジュール１３１０は、図９に関して説明された受信機モジュール９１０の１つまたは複数の態様の一例であり得る。いくつかの例では、受信機モジュール１３１０は、認可無線周波数スペクトル帯域（たとえば、無線周波数スペクトル帯域がユーザ（たとえば、ＬＴＥ／ＬＴＥ−Ａユーザ）に認可されているので、装置がそれのためにアクセスを求めて競合しない無線周波数スペクトル帯域）、ならびに／または無認可無線周波数スペクトル帯域（たとえば、無線周波数スペクトル帯域が少なくとも部分的に無認可使用（たとえば、無認可無線周波数スペクトル帯域内のＷｉ−Ｆｉ使用および／もしくはＬＴＥ／ＬＴＥ−Ａ使用）のために利用可能であるので、装置がそれのためにアクセスを求めて競合する必要があり得る無線周波数スペクトル帯域）を介して送信を受信するように動作可能な少なくとも１つのＲＦ受信機など、少なくとも１つのＲＦ受信機を含み得る。いくつかの例では、認可無線周波数スペクトル帯域および／または無認可無線周波数スペクトル帯域は、たとえば、図１〜図８に関して説明されたように、ＬＴＥ／ＬＴＥ−Ａ通信のために使用され得る。受信機モジュール１３１０は、場合によっては、認可無線周波数スペクトル帯域および無認可無線周波数スペクトル帯域に関する別個の受信機を含み得る。別個の受信機は、いくつかの例では、認可無線周波数スペクトル帯域を介して通信するための認可ＲＦスペクトル帯域ＬＴＥ／ＬＴＥ−Ａ受信機モジュール１３１２、および無認可無線周波数スペクトル帯域を介して通信するための無認可ＲＦスペクトル帯域ＬＴＥ／ＬＴＥ−Ａ受信機モジュール１３１４の形態をとり得る。受信機モジュール１３１０はまた、他の無線周波数スペクトル帯域を介して通信するための、および／または他の無線アクセス技術（たとえば、Ｗｉ−Ｆｉ）を介して通信するための受信機モジュールを含み得る。認可ＲＦスペクトル帯域ＬＴＥ／ＬＴＥ−Ａ受信機モジュール１３１２および／または無認可ＲＦスペクトル帯域ＬＴＥ／ＬＴＥ−Ａ受信機モジュール１３１４を含む受信機モジュール１３１０は、図１および／または図２に関して説明されたワイヤレス通信システム１００および／または２００の１つまたは複数の通信リンクなど、ワイヤレス通信システムの１つまたは複数の通信リンクを介して、様々なタイプのデータおよび／または制御信号（すなわち、送信）を受信するために使用され得る。通信リンクは、認可無線周波数スペクトル帯域および／または無認可無線周波数スペクトル帯域を介して確立され得る。
【０１５９】
[0196]いくつかの例では、送信機モジュール１３２０は、図９に関して説明された送信機モジュール９２０の１つまたは複数の態様の一例であり得る。いくつかの例では、送信機モジュール１３２０は、認可無線周波数スペクトル帯域および／または無認可無線周波数スペクトル帯域を介して送信するように動作可能な少なくとも１つのＲＦ送信機など、少なくとも１つのＲＦ送信機を含み得る。送信機モジュール１３２０は、場合によっては、認可無線周波数スペクトル帯域および無認可無線周波数スペクトル帯域に関する別個の送信機を含み得る。別個の送信機は、いくつかの例では、認可無線周波数スペクトル帯域を介して通信するための認可ＲＦスペクトル帯域ＬＴＥ／ＬＴＥ−Ａ送信機モジュール１３２２、および無認可無線周波数スペクトル帯域を介して通信するための無認可ＲＦスペクトル帯域ＬＴＥ／ＬＴＥ−Ａ送信機モジュール１３２４の形態をとり得る。認可ＲＦスペクトル帯域ＬＴＥ／ＬＴＥ−Ａ送信機モジュール１３２２および／または無認可ＲＦスペクトル帯域ＬＴＥ／ＬＴＥ−Ａ送信機モジュール１３２４を含む送信機モジュール１３２０は、図１および／または図２に関して説明されたワイヤレス通信システム１００および／または２００の１つまたは複数の通信リンクなど、ワイヤレス通信システムの１つまたは複数の通信リンクを介して、様々なタイプのデータおよび／または制御信号（すなわち、送信）を送信するために使用され得る。通信リンクは、認可無線周波数スペクトル帯域および／または無認可無線周波数スペクトル帯域を介して確立され得る。
【０１６０】
[0197]いくつかの例では、帯域幅スケーリングモジュール１３３０は、図９に関して説明された帯域幅スケーリングモジュール９３０の１つまたは複数の態様の一例であり得る。帯域幅スケーリングモジュール１３３０は、ＰＤＣＣＨモジュール１３３５を含み得る。いくつかの例では、ＰＤＣＣＨモジュール１３３５は、拡張物理ダウンリンク制御チャネル（ｅＰＤＣＣＨ）を決定し得る。ｅＰＤＣＣＨは、帯域幅スケーリングモジュール１３３０によって識別された利用可能なサブ−チャネルをアドレス指定し得る。いくつかの例では、ｅＰＤＣＣＨは、少なくとも２つのトランスポートブロック（ＴＢ）を含み得る。各ＴＢは、利用可能なサブ−チャネルに及び得る。少なくとも２つのＴＢのうちの各ＴＢのサイズは、複数のサブ−チャネルの第１のサブセット内のサブ−チャネルの数に少なくとも部分的に基づく。いくつかの例では、ＰＤＣＣＨモジュール１３３５は、キャリアの帯域幅に少なくとも部分的に基づいて、ｅＰＤＣＣＨのペイロードサイズを決定し得る。いくつかの例では、変調およびコーディング方式（ＭＣＳ）は、帯域幅スケーリングモジュール１３３０によって識別された利用可能なサブ−チャネルの各々について同じであり得る。いくつかの例では、ｅＰＤＣＣＨに関する肯定応答／否定応答（ＡＣＫ／ＮＡＣＫ）は、２ビットを含み得る。
【０１６１】
[0198]いくつかの例では、ＰＤＣＣＨモジュール１３３５は、複数の拡張物理ダウンリンク制御チャネル（ｅＰＤＣＣＨ）を決定し得る。複数のｅＰＤＣＣＨは、帯域幅スケーリングモジュール１３３０によって識別された利用可能なサブ−チャネルをアドレス指定し得る。いくつかの例では、ＰＤＣＣＨモジュール１３３５は、キャリアの帯域幅に少なくとも部分的に基づいて、ｅＰＤＣＣＨの最大数を決定し得る。いくつかの例では、ｅＰＤＣＣＨの最大数は、サブ−チャネルの帯域幅で除算されたキャリアの帯域幅に少なくとも部分的に基づき得る。いくつかの例では、ＰＤＣＣＨモジュール１３３５は、無線リソース制御（ＲＲＣ）信号に基づいて、ｅＰＤＣＣＨの最大数を決定し得る。いくつかの例では、ＰＤＣＣＨモジュール１３３５は、ｅＰＤＣＣＨ負荷とセル負荷とに少なくとも部分的に基づいて、ｅＰＤＣＣＨの数を調整し得る。いくつかの例では、ＰＤＣＣＨモジュール１３３５は、媒体アクセス制御（ＭＡＣ）シグナリング、拡張システム情報ブロック（ｅＳＩＢ）、またはそれらの組合せのうちの少なくとも１つを使用して、ｅＰＤＣＣＨの最大数を調整し得る。いくつかの例では、複数のｅＰＤＣＣＨの各々は、ハイブリッド自動再要求（ＨＡＲＱ）プロセスに対応するデータを含み得る。３７。いくつかの例では、複数のｅＰＤＣＣＨの各々は、許可識別情報（ＩＤ）とキャリアインジケータフィールド（ＣＩＦ）とを含み得る。いくつかの例では、複数のｅＰＤＣＣＨは、キャリアインジケータフィールド（ＣＩＦ）の探索空間内に配置され得る。いくつかの例では、探索空間は、許可識別情報（ＩＤ）とＣＩＦとに少なくとも部分的に基づき得る。いくつかの例では、ＰＤＣＣＨモジュール１３３５は、複数のセル無線ネットワーク一時識別子（Ｃ−ＲＮＴＩ）を使用して、複数のｅＰＤＣＣＨをスクランブルし得る。
【０１６２】
[0199]図１４は、本開示の様々な態様による、ワイヤレス通信において使用するための装置１４０５のブロック図１４００を示す。いくつかの例では、装置１４０５は、図１および／もしくは図２に関して説明された基地局１０５、基地局２０５、基地局２０５−ａ、ＵＥ１１５、ＵＥ２１５、ＵＥ２１５−ａ、ＵＥ２１５−ｂ、および／もしくはＵＥ２１５−ｃのうちの１つもしくは複数の態様の一例、ならびに／または、図９に関して説明された装置９０５の態様の一例であり得る。いくつかの例では、装置１４０５は、ＵＥ、ＬＴＥ／ＬＴＥ−Ａ  ｅＮＢ、および／またはＬＴＥ／ＬＴＥ−Ａ基地局の一部であるか、またはそれを含み得る。装置１４０５は、プロセッサでもあり得る。いくつかの例では、装置１４０５は、送信機または送信機装置と呼ばれることがある。装置１４０５は、受信機モジュール１４１０、帯域幅スケーリングモジュール１４３０、および／または送信機モジュール１４２０を含み得る。これらの構成要素の各々は互いに通信し得る。
【０１６３】
[0200]装置１４０５の構成要素は、ハードウェアにおいて適用可能な機能の一部または全部を実行するために適応された１つまたは複数のＡＳＩＣを使用して、個々にまたは集合的に実装され得る。代替的に、機能は、１つまたは複数の集積回路上で、１つまたは複数の他の処理ユニット（またはコア）によって実行され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中で具現化される命令によって実装され得る。
【０１６４】
[0201]いくつかの例では、受信機モジュール１４１０は、図９に関して説明された受信機モジュール９１０の１つまたは複数の態様の一例であり得る。いくつかの例では、受信機モジュール１４１０は、認可無線周波数スペクトル帯域（たとえば、無線周波数スペクトル帯域がユーザ（たとえば、ＬＴＥ／ＬＴＥ−Ａユーザ）に認可されているので、装置がそれのためにアクセスを求めて競合しない無線周波数スペクトル帯域）、ならびに／または無認可無線周波数スペクトル帯域（たとえば、無線周波数スペクトル帯域が少なくとも部分的に無認可使用（たとえば、無認可無線周波数スペクトル帯域内のＷｉ−Ｆｉ使用および／もしくはＬＴＥ／ＬＴＥ−Ａ使用）のために利用可能であるので、装置がそれのためにアクセスを求めて競合する必要があり得る無線周波数スペクトル帯域）を介して送信を受信するように動作可能な少なくとも１つのＲＦ受信機など、少なくとも１つのＲＦ受信機を含み得る。いくつかの例では、認可無線周波数スペクトル帯域および／または無認可無線周波数スペクトル帯域は、たとえば、図１〜図８に関して説明されたように、ＬＴＥ／ＬＴＥ−Ａ通信のために使用され得る。受信機モジュール１４１０は、場合によっては、認可無線周波数スペクトル帯域および無認可無線周波数スペクトル帯域に関する別個の受信機を含み得る。別個の受信機は、いくつかの例では、認可無線周波数スペクトル帯域を介して通信するための認可ＲＦスペクトル帯域ＬＴＥ／ＬＴＥ−Ａ受信機モジュール１４１２、および無認可無線周波数スペクトル帯域を介して通信するための無認可ＲＦスペクトル帯域ＬＴＥ／ＬＴＥ−Ａ受信機モジュール１４１４の形態をとり得る。受信機モジュール１４１０はまた、他の無線周波数スペクトル帯域を介して通信するための、および／または他の無線アクセス技術（たとえば、Ｗｉ−Ｆｉ）を介して通信するための受信機モジュールを含み得る。認可ＲＦスペクトル帯域ＬＴＥ／ＬＴＥ−Ａ受信機モジュール１４１２および／または無認可ＲＦスペクトル帯域ＬＴＥ／ＬＴＥ−Ａ受信機モジュール１４１４を含む受信機モジュール１４１０は、図１および／または図２に関して説明されたワイヤレス通信システム１００および／または２００の１つまたは複数の通信リンクなど、ワイヤレス通信システムの１つまたは複数の通信リンクを介して、様々なタイプのデータおよび／または制御信号（すなわち、送信）を受信するために使用され得る。通信リンクは、認可無線周波数スペクトル帯域および／または無認可無線周波数スペクトル帯域を介して確立され得る。
【０１６５】
[0202]いくつかの例では、送信機モジュール１４２０は、図９に関して説明された送信機モジュール９２０の１つまたは複数の態様の一例であり得る。いくつかの例では、送信機モジュール１４２０は、認可無線周波数スペクトル帯域および／または無認可無線周波数スペクトル帯域を介して送信するように動作可能な少なくとも１つのＲＦ送信機など、少なくとも１つのＲＦ送信機を含み得る。送信機モジュール１４２０は、場合によっては、認可無線周波数スペクトル帯域および無認可無線周波数スペクトル帯域に関する別個の送信機を含み得る。別個の送信機は、いくつかの例では、認可無線周波数スペクトル帯域を介して通信するための認可ＲＦスペクトル帯域ＬＴＥ／ＬＴＥ−Ａ送信機モジュール１４２２、および無認可無線周波数スペクトル帯域を介して通信するための無認可ＲＦスペクトル帯域ＬＴＥ／ＬＴＥ−Ａ送信機モジュール１４２４の形態をとり得る。認可ＲＦスペクトル帯域ＬＴＥ／ＬＴＥ−Ａ送信機モジュール１４２２および／または無認可ＲＦスペクトル帯域ＬＴＥ／ＬＴＥ−Ａ送信機モジュール１４２４を含む送信機モジュール１４２０は、図１および／または図２に関して説明されたワイヤレス通信システム１００および／または２００の１つまたは複数の通信リンクなど、ワイヤレス通信システムの１つまたは複数の通信リンクを介して、様々なタイプのデータおよび／または制御信号（すなわち、送信）を送信するために使用され得る。通信リンクは、認可無線周波数スペクトル帯域および／または無認可無線周波数スペクトル帯域を介して確立され得る。
【０１６６】
[0203]いくつかの例では、帯域幅スケーリングモジュール１４３０は、図９に関して説明された帯域幅スケーリングモジュール９３０、および／または図１３に関して説明された帯域幅スケーリングモジュール１３３０の１つまたは複数の態様の一例であり得る。帯域幅スケーリングモジュール１４３０は、ＰＤＣＣＨモジュール１４３５を含み得る。いくつかの例では、ＰＤＣＣＨモジュール１４３５は、図１３に関して説明されたＰＤＣＣＨモジュール１３３５の１つまたは複数の態様の一例であり得る。ＰＤＣＣＨモジュール１４３５は、リソースブロックモジュール１４４０を含み得る。いくつかの例では、リソースブロックモジュール１４４０は、キャリアの帯域幅とＲＢグループ（ＲＢＧ）サイズとに少なくとも部分的に基づいて、ＲＢに関するｅＰＤＣＣＨのビット数を割り振り得る。リソースブロックモジュール１４４０は、クリア  チャネル  アセスメント（ＣＣＡ）に少なくとも部分的に基づいて、ＲＢＧサイズを決定し得る。
【０１６７】
[0204]いくつかの例では、リソースブロックモジュール１４４０は、ＰＤＣＣＨモジュール１４３５によって決定された複数のｅＰＤＣＣＨのうちの各ｅＰＤＣＣＨ内のリソースブロック（ＲＢ）のセグメントをアドレス指定する、ＰＤＣＣＨ識別情報（ＩＤ）を含み得る。いくつかの例では、ＲＢの第１のセグメントは、第１のＰＤＣＣＨ  ＩＤによってアドレス指定され得、ＲＢの第２のセグメントは、第２のＰＤＣＣＨ  ＩＤによってアドレス指定され得る。いくつかの例では、複数のｅＰＤＣＣＨのうちの各ｅＰＤＣＣＨは、ダウンリンク制御情報（ＤＣＩ）を含み得、ＤＣＩは、ＰＤＣＣＨ  ＩＤを含み得る。いくつかの例では、リソースブロックモジュール１４４０は、ｅＰＤＣＣＨ負荷とセル負荷とに少なくとも部分的に基づいて、ＲＢのグループのサイズを調整し得る。いくつかの例では、ＤＣＩのサイズは、キャリアの帯域幅とＲＢＧサイズとに少なくとも部分的に基づき得る。いくつかの例では、ＲＢＧサイズは、クリア  チャネル  アセスメント（ＣＣＡ）に少なくとも部分的に基づき得る。
【０１６８】
[0205]図１５は、本開示の様々な態様による、ワイヤレス通信において使用するための装置１５０５のブロック図１５００を示す。いくつかの例では、装置１５０５は、図１および／もしくは図２に関して説明された基地局１０５、基地局２０５、基地局２０５−ａ、ＵＥ１１５、ＵＥ２１５、ＵＥ２１５−ａ、ＵＥ２１５−ｂ、および／もしくはＵＥ２１５−ｃのうちの１つもしくは複数の態様の一例、ならびに／または、図９に関して説明された装置９０５の態様の一例であり得る。いくつかの例では、装置１５０５は、ＵＥ、ＬＴＥ／ＬＴＥ−Ａ  ｅＮＢ、および／またはＬＴＥ／ＬＴＥ−Ａ基地局の一部であるか、またはそれを含み得る。装置１５０５は、プロセッサでもあり得る。いくつかの例では、装置１５０５は、送信機または送信機装置と呼ばれることがある。装置１５０５は、受信機モジュール１５１０、帯域幅スケーリングモジュール１５３０、および／または送信機モジュール１５２０を含み得る。これらの構成要素の各々は互いに通信し得る。
【０１６９】
[0206]装置１５０５の構成要素は、ハードウェアにおいて適用可能な機能の一部または全部を実行するために適応された１つまたは複数のＡＳＩＣを使用して、個々にまたは集合的に実装され得る。代替的に、機能は、１つまたは複数の集積回路上で、１つまたは複数の他の処理ユニット（またはコア）によって実行され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中で具現化される命令によって実装され得る。
【０１７０】
[0207]いくつかの例では、受信機モジュール１５１０は、図９に関して説明された受信機モジュール９１０の１つまたは複数の態様の一例であり得る。いくつかの例では、受信機モジュール１５１０は、認可無線周波数スペクトル帯域（たとえば、無線周波数スペクトル帯域がユーザ（たとえば、ＬＴＥ／ＬＴＥ−Ａユーザ）に認可されているので、装置がそれのためにアクセスを求めて競合しない無線周波数スペクトル帯域）、ならびに／または無認可無線周波数スペクトル帯域（たとえば、無線周波数スペクトル帯域が少なくとも部分的に無認可使用（たとえば、無認可無線周波数スペクトル帯域内のＷｉ−Ｆｉ使用および／もしくはＬＴＥ／ＬＴＥ−Ａ使用）のために利用可能であるので、装置がそれのためにアクセスを求めて競合する必要があり得る無線周波数スペクトル帯域）を介して送信を受信するように動作可能な少なくとも１つの無線周波数（ＲＦ）受信機など、少なくとも１つのＲＦ受信機を含み得る。いくつかの例では、認可無線周波数スペクトル帯域および／または無認可無線周波数スペクトル帯域は、たとえば、図１〜図８に関して説明されたように、ＬＴＥ／ＬＴＥ−Ａ通信のために使用され得る。受信機モジュール１５１０は、場合によっては、認可無線周波数スペクトル帯域および無認可無線周波数スペクトル帯域に関する別個の受信機を含み得る。別個の受信機は、いくつかの例では、認可無線周波数スペクトル帯域を介して通信するための認可ＲＦスペクトル帯域ＬＴＥ／ＬＴＥ−Ａ受信機モジュール１５１２、および無認可無線周波数スペクトル帯域を介して通信するための無認可ＲＦスペクトル帯域ＬＴＥ／ＬＴＥ−Ａ受信機モジュール１５１４の形態をとり得る。受信機モジュール１５１０はまた、他の無線周波数スペクトル帯域を介して通信するための、および／または他の無線アクセス技術（たとえば、Ｗｉ−Ｆｉ）を介して通信するための受信機モジュールを含み得る。認可ＲＦスペクトル帯域ＬＴＥ／ＬＴＥ−Ａ受信機モジュール１５１２および／または無認可ＲＦスペクトル帯域ＬＴＥ／ＬＴＥ−Ａ受信機モジュール１５１４を含む受信機モジュール１５１０は、図１および／または図２に関して説明されたワイヤレス通信システム１００および／または２００の１つまたは複数の通信リンクなど、ワイヤレス通信システムの１つまたは複数の通信リンクを介して、様々なタイプのデータおよび／または制御信号（すなわち、送信）を受信するために使用され得る。通信リンクは、認可無線周波数スペクトル帯域および／または無認可無線周波数スペクトル帯域を介して確立され得る。
【０１７１】
[0208]いくつかの例では、送信機モジュール１５２０は、図９に関して説明された送信機モジュール９２０の１つまたは複数の態様の一例であり得る。いくつかの例では、送信機モジュール１５２０は、認可無線周波数スペクトル帯域および／または無認可無線周波数スペクトル帯域を介して送信するように動作可能な少なくとも１つのＲＦ送信機など、少なくとも１つのＲＦ送信機を含み得る。送信機モジュール１５２０は、場合によっては、認可無線周波数スペクトル帯域および無認可無線周波数スペクトル帯域に関する別個の送信機を含み得る。別個の送信機は、いくつかの例では、認可無線周波数スペクトル帯域を介して通信するための認可ＲＦスペクトル帯域ＬＴＥ／ＬＴＥ−Ａ送信機モジュール１５２２、および無認可無線周波数スペクトル帯域を介して通信するための無認可ＲＦスペクトル帯域ＬＴＥ／ＬＴＥ−Ａ送信機モジュール１５２４の形態をとり得る。認可ＲＦスペクトル帯域ＬＴＥ／ＬＴＥ−Ａ送信機モジュール１５２２および／または無認可ＲＦスペクトル帯域ＬＴＥ／ＬＴＥ−Ａ送信機モジュール１５２４を含む送信機モジュール１５２０は、図１および／または図２に関して説明されたワイヤレス通信システム１００および／または２００の１つまたは複数の通信リンクなど、ワイヤレス通信システムの１つまたは複数の通信リンクを介して、様々なタイプのデータおよび／または制御信号（すなわち、送信）を送信するために使用され得る。通信リンクは、認可無線周波数スペクトル帯域および／または無認可無線周波数スペクトル帯域を介して確立され得る。
【０１７２】
[0209]いくつかの例では、帯域幅スケーリングモジュール１５３０は、図９に関して説明された帯域幅スケーリングモジュール９３０、および／または図１３に関して説明された帯域幅スケーリングモジュール１３３０の１つまたは複数の態様の一例であり得る。帯域幅スケーリングモジュール１５３０は、ＰＤＣＣＨモジュール１５３５を含み得る。いくつかの例では、ＰＤＣＣＨモジュール１５３５は、図１３に関して説明されたＰＤＣＣＨモジュール１３３５の１つまたは複数の態様の一例であり得る。ＰＤＣＣＨモジュール１５３５は、アップリンクＡＣＫモジュール１５４０を含み得る。いくつかの例では、アップリンクＡＣＫモジュール１５４０は、数ｅＰＤＣＣＨ許可と、複数のｅＰＤＣＣＨの各々内のトランスポートブロック（ＴＢ）の数とに少なくとも部分的に基づいて、アップリンクＡＣＫを決定し得る。いくつかの例では、アップリンクＡＣＫモジュール１５４０は、許可識別情報（ＩＤ）とキャリアインジケータフィールド（ＣＩＦ）とに少なくとも部分的に基づいて、アップリンクＡＣＫを多重化し得る。いくつかの例では、アップリンクＡＣＫモジュール１５４０は、ＴＢ識別情報（ＩＤ）と、許可識別情報（ＩＤ）と、キャリアインジケータフィールド（ＣＩＦ）とに少なくとも部分的に基づいて、アップリンクＡＣＫを多重化し得る。
【０１７３】
[0210]図１６は、本開示の様々な態様による、ワイヤレス通信において使用するための装置１６０５のブロック図１６００を示す。いくつかの例では、装置１６０５は、図１および／もしくは図２に関して説明された基地局１０５、基地局２０５、基地局２０５−ａ、ＵＥ１１５、ＵＥ２１５、ＵＥ２１５−ａ、ＵＥ２１５−ｂ、および／もしくはＵＥ２１５−ｃのうちの１つもしくは複数の態様の一例、ならびに／または、図９に関して説明された装置９０５の態様の一例であり得る。いくつかの例では、装置１６０５は、ＵＥ、ＬＴＥ／ＬＴＥ−Ａ  ｅＮＢ、および／またはＬＴＥ／ＬＴＥ−Ａ基地局の一部であるか、またはそれを含み得る。装置１６０５は、プロセッサでもあり得る。いくつかの例では、装置１６０５は、送信機または送信機装置と呼ばれることがある。装置１６０５は、受信機モジュール１６１０、帯域幅スケーリングモジュール１６３０、および／または送信機モジュール１６２０を含み得る。これらの構成要素の各々は互いに通信し得る。
【０１７４】
[0211]装置１６０５の構成要素は、ハードウェアにおいて適用可能な機能の一部または全部を実行するために適応された１つまたは複数のＡＳＩＣを使用して、個々にまたは集合的に実装され得る。代替的に、機能は、１つまたは複数の集積回路上で、１つまたは複数の他の処理ユニット（またはコア）によって実行され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中で具現化される命令によって実装され得る。
【０１７５】
[0212]いくつかの例では、受信機モジュール１６１０は、図９に関して説明された受信機モジュール９１０の１つまたは複数の態様の一例であり得る。いくつかの例では、受信機モジュール１６１０は、認可無線周波数スペクトル帯域（たとえば、無線周波数スペクトル帯域がユーザ（たとえば、ＬＴＥ／ＬＴＥ−Ａユーザ）に認可されているので、装置がそれのためにアクセスを求めて競合しない無線周波数スペクトル帯域）、ならびに／または無認可無線周波数スペクトル帯域（たとえば、無線周波数スペクトル帯域が少なくとも部分的に無認可使用（たとえば、無認可無線周波数スペクトル帯域内のＷｉ−Ｆｉ使用および／もしくはＬＴＥ／ＬＴＥ−Ａ使用）のために利用可能であるので、装置がそれのためにアクセスを求めて競合する必要があり得る無線周波数スペクトル帯域）を介して送信を受信するように動作可能な少なくとも１つの無線周波数（ＲＦ）受信機など、少なくとも１つのＲＦ受信機を含み得る。いくつかの例では、認可無線周波数スペクトル帯域および／または無認可無線周波数スペクトル帯域は、たとえば、図１〜図８に関して説明されたように、ＬＴＥ／ＬＴＥ−Ａ通信のために使用され得る。受信機モジュール１６１０は、場合によっては、認可無線周波数スペクトル帯域および無認可無線周波数スペクトル帯域に関する別個の受信機を含み得る。別個の受信機は、いくつかの例では、認可無線周波数スペクトル帯域を介して通信するための認可ＲＦスペクトル帯域ＬＴＥ／ＬＴＥ−Ａ受信機モジュール１６１２、および無認可無線周波数スペクトル帯域を介して通信するための無認可ＲＦスペクトル帯域ＬＴＥ／ＬＴＥ−Ａ受信機モジュール１６１４の形態をとり得る。受信機モジュール１６１０はまた、他の無線周波数スペクトル帯域を介して通信するための、および／または他の無線アクセス技術（たとえば、Ｗｉ−Ｆｉ）を介して通信するための受信機モジュールを含み得る。認可ＲＦスペクトル帯域ＬＴＥ／ＬＴＥ−Ａ受信機モジュール１６１２および／または無認可ＲＦスペクトル帯域ＬＴＥ／ＬＴＥ−Ａ受信機モジュール１６１４を含む受信機モジュール１６１０は、図１および／または図２に関して説明されたワイヤレス通信システム１００および／または２００の１つまたは複数の通信リンクなど、ワイヤレス通信システムの１つまたは複数の通信リンクを介して、様々なタイプのデータおよび／または制御信号（すなわち、送信）を受信するために使用され得る。通信リンクは、認可無線周波数スペクトル帯域および／または無認可無線周波数スペクトル帯域を介して確立され得る。
【０１７６】
[0213]いくつかの例では、送信機モジュール１６２０は、図９に関して説明された送信機モジュール９２０の１つまたは複数の態様の一例であり得る。いくつかの例では、送信機モジュール１６２０は、認可無線周波数スペクトル帯域および／または無認可無線周波数スペクトル帯域を介して送信するように動作可能な少なくとも１つのＲＦ送信機など、少なくとも１つのＲＦ送信機を含み得る。送信機モジュール１６２０は、場合によっては、認可無線周波数スペクトル帯域および無認可無線周波数スペクトル帯域に関する別個の送信機を含み得る。別個の送信機は、いくつかの例では、認可無線周波数スペクトル帯域を介して通信するための認可ＲＦスペクトル帯域ＬＴＥ／ＬＴＥ−Ａ送信機モジュール１６２２、および無認可無線周波数スペクトル帯域を介して通信するための無認可ＲＦスペクトル帯域ＬＴＥ／ＬＴＥ−Ａ送信機モジュール１６２４の形態をとり得る。認可ＲＦスペクトル帯域ＬＴＥ／ＬＴＥ−Ａ送信機モジュール１６２２および／または無認可ＲＦスペクトル帯域ＬＴＥ／ＬＴＥ−Ａ送信機モジュール１６２４を含む送信機モジュール１６２０は、図１および／または図２に関して説明されたワイヤレス通信システム１００および／または２００の１つまたは複数の通信リンクなど、ワイヤレス通信システムの１つまたは複数の通信リンクを介して、様々なタイプのデータおよび／または制御信号（すなわち、送信）を送信するために使用され得る。通信リンクは、認可無線周波数スペクトル帯域および／または無認可無線周波数スペクトル帯域を介して確立され得る。
【０１７７】
[0214]いくつかの例では、帯域幅スケーリングモジュール１６３０は、図９に関して説明された帯域幅スケーリングモジュール９３０の１つまたは複数の態様の一例であり得る。帯域幅スケーリングモジュール１６３０は、キャリアマップモジュール１６３５を含み得る。いくつかの例では、キャリアマップモジュール１６３５は、キャリアマップを決定し得る。キャリアマップは、キャリアと、キャリア内に含まれるサブ−チャネルとを識別し得る。キャリアマップモジュール１６３５はまた、ＵＥにキャリアマップを通信し得る。キャリアマップモジュール１６３５は、無線リソース制御（ＲＲＣ）信号を使用して、ＵＥにキャリアマップを通信し得る。いくつかの例では、キャリアマップは、複数のキャリアとそれらのそれぞれのサブ−チャネルとを識別し得る。
【０１７８】
[0215]図１７は、本開示の様々な態様による、ワイヤレス通信において使用するための装置１７０５のブロック図１７００を示す。いくつかの例では、装置１７０５は、図１および／もしくは図２に関して説明された基地局１０５、基地局２０５、基地局２０５−ａ、ＵＥ１１５、ＵＥ２１５、ＵＥ２１５−ａ、ＵＥ２１５−ｂ、および／もしくはＵＥ２１５−ｃのうちの１つもしくは複数の態様の一例、ならびに／または、図９に関して説明された装置９０５の態様の一例であり得る。いくつかの例では、装置１７０５は、ＵＥ、ＬＴＥ／ＬＴＥ−Ａ  ｅＮＢ、および／またはＬＴＥ／ＬＴＥ−Ａ基地局の一部であるか、またはそれを含み得る。装置１７０５は、プロセッサでもあり得る。いくつかの例では、装置１７０５は、送信機または送信機装置と呼ばれることがある。装置１７０５は、受信機モジュール１７１０、帯域幅スケーリングモジュール１７３０、および／または送信機モジュール１７２０を含み得る。これらの構成要素の各々は互いに通信し得る。
【０１７９】
[0216]装置１７０５の構成要素は、ハードウェアにおいて適用可能な機能の一部または全部を実行するために適応された１つまたは複数のＡＳＩＣを使用して、個々にまたは集合的に実装され得る。代替的に、機能は、１つまたは複数の集積回路上で、１つまたは複数の他の処理ユニット（またはコア）によって実行され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中で具現化される命令によって実装され得る。
【０１８０】
[0217]いくつかの例では、受信機モジュール１７１０は、図９に関して説明された受信機モジュール９１０の１つまたは複数の態様の一例であり得る。いくつかの例では、受信機モジュール１７１０は、認可無線周波数スペクトル帯域（たとえば、無線周波数スペクトル帯域がユーザ（たとえば、ＬＴＥ／ＬＴＥ−Ａユーザ）に認可されているので、装置がそれのためにアクセスを求めて競合しない無線周波数スペクトル帯域）、ならびに／または無認可無線周波数スペクトル帯域（たとえば、無線周波数スペクトル帯域が少なくとも部分的に無認可使用（たとえば、無認可無線周波数スペクトル帯域内のＷｉ−Ｆｉ使用および／もしくはＬＴＥ／ＬＴＥ−Ａ使用）のために利用可能であるので、装置がそれのためにアクセスを求めて競合する必要があり得る無線周波数スペクトル帯域）を介して送信を受信するように動作可能な少なくとも１つのＲＦ受信機など、少なくとも１つのＲＦ受信機を含み得る。いくつかの例では、認可無線周波数スペクトル帯域および／または無認可無線周波数スペクトル帯域は、たとえば、図１〜図８に関して説明されたように、ＬＴＥ／ＬＴＥ−Ａ通信のために使用され得る。受信機モジュール１７１０は、場合によっては、認可無線周波数スペクトル帯域および無認可無線周波数スペクトル帯域に関する別個の受信機を含み得る。別個の受信機は、いくつかの例では、認可無線周波数スペクトル帯域を介して通信するための認可ＲＦスペクトル帯域ＬＴＥ／ＬＴＥ−Ａ受信機モジュール１７１２、および無認可無線周波数スペクトル帯域を介して通信するための無認可ＲＦスペクトル帯域ＬＴＥ／ＬＴＥ−Ａ受信機モジュール１７１４の形態をとり得る。受信機モジュール１７１０はまた、他の無線周波数スペクトル帯域を介して通信するための、および／または他の無線アクセス技術（たとえば、Ｗｉ−Ｆｉ）を介して通信するための受信機モジュールを含み得る。認可ＲＦスペクトル帯域ＬＴＥ／ＬＴＥ−Ａ受信機モジュール１７１２および／または無認可ＲＦスペクトル帯域ＬＴＥ／ＬＴＥ−Ａ受信機モジュール１７１４を含む受信機モジュール１７１０は、図１および／または図２に関して説明されたワイヤレス通信システム１００および／または２００の１つまたは複数の通信リンクなど、ワイヤレス通信システムの１つまたは複数の通信リンクを介して、様々なタイプのデータおよび／または制御信号（すなわち、送信）を受信するために使用され得る。通信リンクは、認可無線周波数スペクトル帯域および／または無認可無線周波数スペクトル帯域を介して確立され得る。
【０１８１】
[0218]いくつかの例では、送信機モジュール１７２０は、図９に関して説明された送信機モジュール９２０の１つまたは複数の態様の一例であり得る。いくつかの例では、送信機モジュール１７２０は、認可無線周波数スペクトル帯域および／または無認可無線周波数スペクトル帯域を介して送信するように動作可能な少なくとも１つのＲＦ送信機など、少なくとも１つのＲＦ送信機を含み得る。送信機モジュール１７２０は、場合によっては、認可無線周波数スペクトル帯域および無認可無線周波数スペクトル帯域に関する別個の送信機を含み得る。別個の送信機は、いくつかの例では、認可無線周波数スペクトル帯域を介して通信するための認可ＲＦスペクトル帯域ＬＴＥ／ＬＴＥ−Ａ送信機モジュール１７２２、および無認可無線周波数スペクトル帯域を介して通信するための無認可ＲＦスペクトル帯域ＬＴＥ／ＬＴＥ−Ａ送信機モジュール１７２４の形態をとり得る。認可ＲＦスペクトル帯域ＬＴＥ／ＬＴＥ−Ａ送信機モジュール１７２２および／または無認可ＲＦスペクトル帯域ＬＴＥ／ＬＴＥ−Ａ送信機モジュール１７２４を含む送信機モジュール１７２０は、図１および／または図２に関して説明されたワイヤレス通信システム１００および／または２００の１つまたは複数の通信リンクなど、ワイヤレス通信システムの１つまたは複数の通信リンクを介して、様々なタイプのデータおよび／または制御信号（すなわち、送信）を送信するために使用され得る。通信リンクは、認可無線周波数スペクトル帯域および／または無認可無線周波数スペクトル帯域を介して確立され得る。
【０１８２】
[0219]いくつかの例では、帯域幅スケーリングモジュール１７３０は、図９に関して説明された帯域幅スケーリングモジュール９３０、および／または図１６に関して説明された帯域幅スケーリングモジュール１６３０の１つまたは複数の態様の一例であり得る。帯域幅スケーリングモジュール１７３０は、キャリアマップモジュール１７３５を含み得る。いくつかの例では、キャリアマップモジュール１７３５は、図１６に関して説明されたキャリアマップモジュール１６３５の１つまたは複数の態様の一例であり得る。キャリアマップモジュール１７３５は、ＵＥのマスクモジュール１７４０および／またはＣＣＡの結果モジュール１７４５を含み得る。いくつかの例では、ＵＥのマスクモジュール１７４０は、少なくとも１つのＵＥのマスクを決定し、ＵＥに少なくとも１つのＵＥのマスクを通信し得る。少なくとも１つのＵＥのマスクは、ＵＥがダウンリンク（ＤＬ）データについて監視するべきである少なくとも１つのサブ−チャネルを識別し得る。いくつかの例では、ＣＣＡの結果モジュール１７４５は、クリア  チャネル  アセスメント（ＣＣＡ）結果を決定し、ＵＥにＣＣＡの結果を通信し得る。いくつかの例では、ＣＣＡの結果は、認可または無認可無線周波数スペクトル帯域を使用するキャリアを介して、ＣＣＡの結果をブロードキャストすることによって、ＵＥに通信され得る。いくつかの例では、ＣＣＡの結果は、修正されたＲＮＴＩを含むＤＣＩ内でＵＥに通信され得る。いくつかの例では、ＣＣＡの結果は、チャネル使用ビーコン信号（ＣＵＢＳ）とともにＵＥに通信され得る。
【０１８３】
[0220]いくつかの例では、ＣＣＡの結果は、通信のために利用可能である少なくとも１つのサブ−チャネルを識別し得る。いくつかの例では、利用可能なサブ−チャネルは、少なくとも１つのＵＥのマスクとＣＣＡの結果とに少なくとも部分的に基づいて決定され得る。いくつかの例では、利用可能なサブ−チャネルは、少なくとも１つのＵＥのマスクとＣＣＡの結果とを組み合わせることによって決定され得る。
【０１８４】
[0221]いくつかの例では、ＵＥのマスクモジュールは、どのサブ−チャネルがＵＥのマスクによって識別されるかを動的に変動させ得る。いくつかの例では、ＵＥのマスクの動的変動は、媒体アクセス制御（ＭＡＣ）シグナリングに少なくとも部分的に基づき得る。いくつかの例では、ＵＥのマスクの動的変動は、システムフレーム番号（ＳＦＮ）シグナリングに少なくとも部分的に基づき得る。
【０１８５】
[0222]図１８は、本開示の様々な態様による、ワイヤレス通信において使用するための装置１８０５のブロック図１８００を示す。いくつかの例では、装置１８０５は、図１および／もしくは図２に関して説明された基地局１０５、基地局２０５、基地局２０５−ａ、ＵＥ１１５、ＵＥ２１５、ＵＥ２１５−ａ、ＵＥ２１５−ｂ、および／もしくはＵＥ２１５−ｃのうちの１つもしくは複数の態様の一例、ならびに／または、図９に関して説明された装置９０５の態様の一例であり得る。いくつかの例では、装置１８０５は、ＵＥ、ＬＴＥ／ＬＴＥ−Ａ  ｅＮＢ、および／またはＬＴＥ／ＬＴＥ−Ａ基地局の一部であるか、またはそれを含み得る。装置１８０５は、プロセッサでもあり得る。いくつかの例では、装置１８０５は、送信機または送信機装置と呼ばれることがある。装置１８０５は、受信機モジュール１８１０、帯域幅スケーリングモジュール１８３０、および／または送信機モジュール１８２０を含み得る。これらの構成要素の各々は互いに通信し得る。
【０１８６】
[0223]装置１８０５の構成要素は、ハードウェアにおいて適用可能な機能の一部または全部を実行するために適応された１つまたは複数のＡＳＩＣを使用して、個々にまたは集合的に実装され得る。代替的に、機能は、１つまたは複数の集積回路上で、１つまたは複数の他の処理ユニット（またはコア）によって実行され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中で具現化される命令によって実装され得る。
【０１８７】
[0224]いくつかの例では、受信機モジュール１８１０は、図９に関して説明された受信機モジュール９１０の１つまたは複数の態様の一例であり得る。いくつかの例では、受信機モジュール１８１０は、認可無線周波数スペクトル帯域（たとえば、無線周波数スペクトル帯域がユーザ（たとえば、ＬＴＥ／ＬＴＥ−Ａユーザ）に認可されているので、装置がそれのためにアクセスを求めて競合しない無線周波数スペクトル帯域）、ならびに／または無認可無線周波数スペクトル帯域（たとえば、無線周波数スペクトル帯域が少なくとも部分的に無認可使用（たとえば、無認可無線周波数スペクトル帯域内のＷｉ−Ｆｉ使用および／もしくはＬＴＥ／ＬＴＥ−Ａ使用）のために利用可能であるので、装置がそれのためにアクセスを求めて競合する必要があり得る無線周波数スペクトル帯域）を介して送信を受信するように動作可能な少なくとも１つのＲＦ受信機など、少なくとも１つのＲＦ受信機を含み得る。いくつかの例では、認可無線周波数スペクトル帯域および／または無認可無線周波数スペクトル帯域は、たとえば、図１〜図８に関して説明されたように、ＬＴＥ／ＬＴＥ−Ａ通信のために使用され得る。受信機モジュール１８１０は、場合によっては、認可無線周波数スペクトル帯域および無認可無線周波数スペクトル帯域に関する別個の受信機を含み得る。別個の受信機は、いくつかの例では、認可無線周波数スペクトル帯域を介して通信するための認可ＲＦスペクトル帯域ＬＴＥ／ＬＴＥ−Ａ受信機モジュール１８１２、および無認可無線周波数スペクトル帯域を介して通信するための無認可ＲＦスペクトル帯域ＬＴＥ／ＬＴＥ−Ａ受信機モジュール１８１４の形態をとり得る。受信機モジュール１８１０はまた、他の無線周波数スペクトル帯域を介して通信するための、および／または他の無線アクセス技術（たとえば、Ｗｉ−Ｆｉ）を介して通信するための受信機モジュールを含み得る。認可ＲＦスペクトル帯域ＬＴＥ／ＬＴＥ−Ａ受信機モジュール１８１２および／または無認可ＲＦスペクトル帯域ＬＴＥ／ＬＴＥ−Ａ受信機モジュール１８１４を含む受信機モジュール１８１０は、図１および／または図２に関して説明されたワイヤレス通信システム１００および／または２００の１つまたは複数の通信リンクなど、ワイヤレス通信システムの１つまたは複数の通信リンクを介して、様々なタイプのデータおよび／または制御信号（すなわち、送信）を受信するために使用され得る。通信リンクは、認可無線周波数スペクトル帯域および／または無認可無線周波数スペクトル帯域を介して確立され得る。
【０１８８】
[0225]いくつかの例では、送信機モジュール１８２０は、図９に関して説明された送信機モジュール９２０の１つまたは複数の態様の一例であり得る。いくつかの例では、送信機モジュール１８２０は、認可無線周波数スペクトル帯域および／または無認可無線周波数スペクトル帯域を介して送信するように動作可能な少なくとも１つのＲＦ送信機など、少なくとも１つのＲＦ送信機を含み得る。送信機モジュール１８２０は、場合によっては、認可無線周波数スペクトル帯域および無認可無線周波数スペクトル帯域に関する別個の送信機を含み得る。別個の送信機は、いくつかの例では、認可無線周波数スペクトル帯域を介して通信するための認可ＲＦスペクトル帯域ＬＴＥ／ＬＴＥ−Ａ送信機モジュール１８２２、および無認可無線周波数スペクトル帯域を介して通信するための無認可ＲＦスペクトル帯域ＬＴＥ／ＬＴＥ−Ａ送信機モジュール１８２４の形態をとり得る。認可ＲＦスペクトル帯域ＬＴＥ／ＬＴＥ−Ａ送信機モジュール１８２２および／または無認可ＲＦスペクトル帯域ＬＴＥ／ＬＴＥ−Ａ送信機モジュール１８２４を含む送信機モジュール１８２０は、図１および／または図２に関して説明されたワイヤレス通信システム１００および／または２００の１つまたは複数の通信リンクなど、ワイヤレス通信システムの１つまたは複数の通信リンクを介して、様々なタイプのデータおよび／または制御信号（すなわち、送信）を送信するために使用され得る。通信リンクは、認可無線周波数スペクトル帯域および／または無認可無線周波数スペクトル帯域を介して確立され得る。
【０１８９】
[0226]いくつかの例では、帯域幅スケーリングモジュール１８３０は、図９に関して説明された帯域幅スケーリングモジュール９３０の１つまたは複数の態様の一例であり得る。帯域幅スケーリングモジュール１８３０は、ＣＥＴモジュール１８３５を含み得る。いくつかの例では、ＣＥＴモジュール１８３５は、キャリアを介してＣＥＴを通信し得る。いくつかの例では、ＣＥＴモジュール１８３５は、帯域幅スケーリングモジュール１８３０によって識別された各利用可能なサブ−チャネル上でＣＥＴを反復し得る。いくつかの例では、ＣＥＴは、キャリアの帯域幅に及び得る。いくつかの例では、ＣＥＴモジュール１８３５は、帯域幅スケーリングモジュール１８３０によって識別された各利用可能なサブ−チャネル上で、同時にＣＥＴを反復し得る。いくつかの例では、ＣＥＴモジュール１８３５は、帯域幅スケーリングモジュール１８３０によって識別された各利用可能なサブ−チャネル上で、異なる時間にＣＥＴを反復し得る。
【０１９０】
[0227]図１９は、本開示の様々な態様による、ワイヤレス通信において使用するための装置１９０５のブロック図１９００を示す。いくつかの例では、装置１９０５は、図１および／もしくは図２に関して説明された基地局１０５、基地局２０５、基地局２０５−ａ、ＵＥ１１５、ＵＥ２１５、ＵＥ２１５−ａ、ＵＥ２１５−ｂ、および／もしくはＵＥ２１５−ｃのうちの１つもしくは複数の態様の一例、ならびに／または、図９に関して説明された装置９０５の態様の一例であり得る。いくつかの例では、装置１９０５は、ＵＥ、ＬＴＥ／ＬＴＥ−Ａ  ｅＮＢ、および／またはＬＴＥ／ＬＴＥ−Ａ基地局の一部であるか、またはそれを含み得る。装置１９０５は、プロセッサでもあり得る。いくつかの例では、装置１９０５は、送信機または送信機装置と呼ばれることがある。装置１９０５は、受信機モジュール１９１０、帯域幅スケーリングモジュール１９３０、および／または送信機モジュール１９２０を含み得る。これらの構成要素の各々は互いに通信し得る。
【０１９１】
[0228]装置１９０５の構成要素は、ハードウェアにおいて適用可能な機能の一部または全部を実行するために適応された１つまたは複数のＡＳＩＣを使用して、個々にまたは集合的に実装され得る。代替的に、機能は、１つまたは複数の集積回路上で、１つまたは複数の他の処理ユニット（またはコア）によって実行され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中で具現化される命令によって実装され得る。
【０１９２】
[0229]いくつかの例では、受信機モジュール１９１０は、図９に関して説明された受信機モジュール９１０の１つまたは複数の態様の一例であり得る。いくつかの例では、受信機モジュール１９１０は、認可無線周波数スペクトル帯域（たとえば、無線周波数スペクトル帯域がユーザ（たとえば、ＬＴＥ／ＬＴＥ−Ａユーザ）に認可されているので、装置がそれのためにアクセスを求めて競合しない無線周波数スペクトル帯域）、ならびに／または無認可無線周波数スペクトル帯域（たとえば、無線周波数スペクトル帯域が少なくとも部分的に無認可使用（たとえば、無認可無線周波数スペクトル帯域内のＷｉ−Ｆｉ使用および／もしくはＬＴＥ／ＬＴＥ−Ａ使用）のために利用可能であるので、装置がそれのためにアクセスを求めて競合する必要があり得る無線周波数スペクトル帯域）を介して送信を受信するように動作可能な少なくとも１つのＲＦ受信機など、少なくとも１つのＲＦ受信機を含み得る。いくつかの例では、認可無線周波数スペクトル帯域および／または無認可無線周波数スペクトル帯域は、たとえば、図１〜図８に関して説明されたように、ＬＴＥ／ＬＴＥ−Ａ通信のために使用され得る。受信機モジュール１９１０は、場合によっては、認可無線周波数スペクトル帯域および無認可無線周波数スペクトル帯域に関する別個の受信機を含み得る。別個の受信機は、いくつかの例では、認可無線周波数スペクトル帯域を介して通信するための認可ＲＦスペクトル帯域ＬＴＥ／ＬＴＥ−Ａ受信機モジュール１９１２、および無認可無線周波数スペクトル帯域を介して通信するための無認可ＲＦスペクトル帯域ＬＴＥ／ＬＴＥ−Ａ受信機モジュール１９１４の形態をとり得る。受信機モジュール１９１０はまた、他の無線周波数スペクトル帯域を介して通信するための、および／または他の無線アクセス技術（たとえば、Ｗｉ−Ｆｉ）を介して通信するための受信機モジュールを含み得る。認可ＲＦスペクトル帯域ＬＴＥ／ＬＴＥ−Ａ受信機モジュール１９１２および／または無認可ＲＦスペクトル帯域ＬＴＥ／ＬＴＥ−Ａ受信機モジュール１９１４を含む受信機モジュール１９１０は、図１および／または図２に関して説明されたワイヤレス通信システム１００および／または２００の１つまたは複数の通信リンクなど、ワイヤレス通信システムの１つまたは複数の通信リンクを介して、様々なタイプのデータおよび／または制御信号（すなわち、送信）を受信するために使用され得る。通信リンクは、認可無線周波数スペクトル帯域および／または無認可無線周波数スペクトル帯域を介して確立され得る。
【０１９３】
[0230]いくつかの例では、送信機モジュール１９２０は、図９に関して説明された送信機モジュール９２０の１つまたは複数の態様の一例であり得る。いくつかの例では、送信機モジュール１９２０は、認可無線周波数スペクトル帯域および／または無認可無線周波数スペクトル帯域を介して送信するように動作可能な少なくとも１つのＲＦ送信機など、少なくとも１つのＲＦ送信機を含み得る。送信機モジュール１９２０は、場合によっては、認可無線周波数スペクトル帯域および無認可無線周波数スペクトル帯域に関する別個の送信機を含み得る。別個の送信機は、いくつかの例では、認可無線周波数スペクトル帯域を介して通信するための認可ＲＦスペクトル帯域ＬＴＥ／ＬＴＥ−Ａ送信機モジュール１９２２、および無認可無線周波数スペクトル帯域を介して通信するための無認可ＲＦスペクトル帯域ＬＴＥ／ＬＴＥ−Ａ送信機モジュール１９２４の形態をとり得る。認可ＲＦスペクトル帯域ＬＴＥ／ＬＴＥ−Ａ送信機モジュール１９２２および／または無認可ＲＦスペクトル帯域ＬＴＥ／ＬＴＥ−Ａ送信機モジュール１９２４を含む送信機モジュール１９２０は、図１および／または図２に関して説明されたワイヤレス通信システム１００および／または２００の１つまたは複数の通信リンクなど、ワイヤレス通信システムの１つまたは複数の通信リンクを介して、様々なタイプのデータおよび／または制御信号（すなわち、送信）を送信するために使用され得る。通信リンクは、認可無線周波数スペクトル帯域および／または無認可無線周波数スペクトル帯域を介して確立され得る。
【０１９４】
[0231]いくつかの例では、帯域幅スケーリングモジュール１９３０は、図９に関して説明された帯域幅スケーリングモジュール９３０の１つまたは複数の態様の一例であり得る。帯域幅スケーリングモジュール１９３０は、送信電力モジュール１９３５を含み得る。いくつかの例では、帯域幅スケーリングモジュール１９３０は、無認可無線周波数スペクトル帯域を介して通信するための追加のキャリア内に含めるための、追加の利用可能なサブ−チャネルを識別し得る。いくつかの例では、送信電力モジュール１９３５は、第１のキャリア内に含まれた利用可能なサブ−チャネルの各々と、追加のキャリア内に含まれた利用可能なサブ−チャネルの各々とのために使用するための送信電力を決定し得る。各サブ−チャネルに関する送信電力は、無認可無線周波数スペクトル帯域に関する電力制約に少なくとも部分的に基づき得る。いくつかの例では、各サブ−チャネルに関する送信電力は、第１のキャリア内に含まれた利用可能なサブ−チャネルの数と、追加のキャリア内に含まれた利用可能なサブ−チャネルの数とに少なくとも部分的に基づき得る。
【０１９５】
[0232]いくつかの例では、送信電力モジュール１９３５は、利用可能なサブ−チャネルの第１のサブ−チャネルに第１の送信電力を、利用可能なサブ−チャネルの少なくとも１つの第２のサブ−チャネルに第２の送信電力を割り振り得る。いくつかの例では、第１の送信電力および第２の送信電力は、異なり得る。いくつかの例では、第１の送信電力および第２の送信電力は、あらかじめ定義された値であり得る。いくつかの例では、クリア  チャネル  アセスメント免除送信（ＣＥＴ）は、あらかじめ定義された値を含み得る。いくつかの例では、第１の送信電力および第２の送信電力は、第１のサブ−チャネルおよび少なくとも１つの第２のサブ−チャネルに関する所望されたカバレージエリアに少なくとも部分的に基づき得る。いくつかの例では、第１の送信電力および第２の送信電力は、第１のサブ−チャネルおよび少なくとも１つの第２のサブ−チャネルに関する所望された容量に少なくとも部分的に基づき得る。いくつかの例では、第１の送信電力および第２の送信電力は、帯域幅スケーリングモジュール１９３０によって識別された利用可能なサブ−チャネルの数に少なくとも部分的に基づき得る。
【０１９６】
[0233]図２０は、本開示の様々な態様による、ワイヤレス通信において使用するための装置２００５のブロック図２０００を示す。いくつかの例では、装置２００５は、図１および／もしくは図２に関して説明された基地局１０５、基地局２０５、基地局２０５−ａ、ＵＥ１１５、ＵＥ２１５、ＵＥ２１５−ａ、ＵＥ２１５−ｂ、および／もしくはＵＥ２１５−ｃのうちの１つもしくは複数の態様の一例、ならびに／または、図９に関して説明された装置９０５の態様の一例であり得る。いくつかの例では、装置２００５は、ＵＥ、ＬＴＥ／ＬＴＥ−Ａ  ｅＮＢ、および／またはＬＴＥ／ＬＴＥ−Ａ基地局の一部であるか、またはそれを含み得る。装置２００５は、プロセッサでもあり得る。いくつかの例では、装置２００５は、送信機または送信機装置と呼ばれることがある。装置２００５は、受信機モジュール２０１０、帯域幅スケーリングモジュール２０３０、および／または送信機モジュール２０２０を含み得る。これらの構成要素の各々は互いに通信し得る。
【０１９７】
[0234]装置２００５の構成要素は、ハードウェアにおいて適用可能な機能の一部または全部を実行するために適応された１つまたは複数のＡＳＩＣを使用して、個々にまたは集合的に実装され得る。代替的に、機能は、１つまたは複数の集積回路上で、１つまたは複数の他の処理ユニット（またはコア）によって実行され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中で具現化される命令によって実装され得る。
【０１９８】
[0235]いくつかの例では、受信機モジュール２０１０は、図９に関して説明された受信機モジュール９１０の１つまたは複数の態様の一例であり得る。いくつかの例では、受信機モジュール２０１０は、認可無線周波数スペクトル帯域（たとえば、無線周波数スペクトル帯域がユーザ（たとえば、ＬＴＥ／ＬＴＥ−Ａユーザ）に認可されているので、装置がそれのためにアクセスを求めて競合しない無線周波数スペクトル帯域）、ならびに／または無認可無線周波数スペクトル帯域（たとえば、無線周波数スペクトル帯域が少なくとも部分的に無認可使用（たとえば、無認可無線周波数スペクトル帯域内のＷｉ−Ｆｉ使用および／もしくはＬＴＥ／ＬＴＥ−Ａ使用）のために利用可能であるので、装置がそれのためにアクセスを求めて競合する必要があり得る無線周波数スペクトル帯域）を介して送信を受信するように動作可能な少なくとも１つのＲＦ受信機など、少なくとも１つのＲＦ受信機を含み得る。いくつかの例では、認可無線周波数スペクトル帯域および／または無認可無線周波数スペクトル帯域は、たとえば、図１〜図８に関して説明されたように、ＬＴＥ／ＬＴＥ−Ａ通信のために使用され得る。受信機モジュール２０１０は、場合によっては、認可無線周波数スペクトル帯域および無認可無線周波数スペクトル帯域に関する別個の受信機を含み得る。別個の受信機は、いくつかの例では、認可無線周波数スペクトル帯域を介して通信するための認可ＲＦスペクトル帯域ＬＴＥ／ＬＴＥ−Ａ受信機モジュール２０１２、および無認可無線周波数スペクトル帯域を介して通信するための無認可ＲＦスペクトル帯域ＬＴＥ／ＬＴＥ−Ａ受信機モジュール２０１４の形態をとり得る。受信機モジュール２０１０はまた、他の無線周波数スペクトル帯域を介して通信するための、および／または他の無線アクセス技術（たとえば、Ｗｉ−Ｆｉ）を介して通信するための受信機モジュールを含み得る。認可ＲＦスペクトル帯域ＬＴＥ／ＬＴＥ−Ａ受信機モジュール２０１２および／または無認可ＲＦスペクトル帯域ＬＴＥ／ＬＴＥ−Ａ受信機モジュール２０１４を含む受信機モジュール２０１０は、図１および／または図２に関して説明されたワイヤレス通信システム１００および／または２００の１つまたは複数の通信リンクなど、ワイヤレス通信システムの１つまたは複数の通信リンクを介して、様々なタイプのデータおよび／または制御信号（すなわち、送信）を受信するために使用され得る。通信リンクは、認可無線周波数スペクトル帯域および／または無認可無線周波数スペクトル帯域を介して確立され得る。
【０１９９】
[0236]いくつかの例では、送信機モジュール２０２０は、図９に関して説明された送信機モジュール９２０の１つまたは複数の態様の一例であり得る。いくつかの例では、送信機モジュール２０２０は、認可無線周波数スペクトル帯域および／または無認可無線周波数スペクトル帯域を介して送信するように動作可能な少なくとも１つのＲＦ送信機など、少なくとも１つのＲＦ送信機を含み得る。送信機モジュール２０２０は、場合によっては、認可無線周波数スペクトル帯域および無認可無線周波数スペクトル帯域に関する別個の送信機を含み得る。別個の送信機は、いくつかの例では、認可無線周波数スペクトル帯域を介して通信するための認可ＲＦスペクトル帯域ＬＴＥ／ＬＴＥ−Ａ送信機モジュール２０２２、および無認可無線周波数スペクトル帯域を介して通信するための無認可ＲＦスペクトル帯域ＬＴＥ／ＬＴＥ−Ａ送信機モジュール２０２４の形態をとり得る。認可ＲＦスペクトル帯域ＬＴＥ／ＬＴＥ−Ａ送信機モジュール２０２２および／または無認可ＲＦスペクトル帯域ＬＴＥ／ＬＴＥ−Ａ送信機モジュール２０２４を含む送信機モジュール２０２０は、図１および／または図２に関して説明されたワイヤレス通信システム１００および／または２００の１つまたは複数の通信リンクなど、ワイヤレス通信システムの１つまたは複数の通信リンクを介して、様々なタイプのデータおよび／または制御信号（すなわち、送信）を送信するために使用され得る。通信リンクは、認可無線周波数スペクトル帯域および／または無認可無線周波数スペクトル帯域を介して確立され得る。
【０２００】
[0237]いくつかの例では、帯域幅スケーリングモジュール２０３０は、図９に関して説明された帯域幅スケーリングモジュール９３０、および／または図１９に関して説明された帯域幅スケーリングモジュール１９３０の１つまたは複数の態様の一例であり得る。帯域幅スケーリングモジュール２０３０は、送信電力モジュール２０３５を含み得る。いくつかの例では、送信電力モジュール２０３５は、図１９に関して説明された送信電力モジュール１９３５の１つまたは複数の態様の一例であり得る。送信電力モジュール２０３５は、基準信号モジュール２０４０を含み得る。いくつかの例では、基準信号モジュール２０４０は、利用可能なサブ−チャネルのうちの第１のサブ−チャネル上で第１の基準信号を送信し、利用可能なサブ−チャネルのうちの少なくとも１つの第２のサブ−チャネル上で第２の基準信号を送信し得る。いくつかの例では、基準信号モジュール２０４０は、同じ送信電力において、第１の基準信号と第２の基準信号とを送信し得る。いくつかの例では、第１の基準信号および第２の基準信号は、拡張共通基準信号（ｅＣＲＳ）であり得る。いくつかの例では、第１の基準信号および第２の基準信号は、チャネル状態情報基準信号（ＣＳＩ−ＲＳ）であり得る。いくつかの例では、第１の基準信号および第２の基準信号に関する送信電力は、固定値であり得る。
【０２０１】
[0238]図２１は、本開示の様々な態様による、ワイヤレス通信において使用するための装置２１０５のブロック図２１００を示す。いくつかの例では、装置２１０５は、図１および／もしくは図２に関して説明された基地局１０５、基地局２０５、基地局２０５−ａ、ＵＥ１１５、ＵＥ２１５、ＵＥ２１５−ａ、ＵＥ２１５−ｂ、および／もしくはＵＥ２１５−ｃのうちの１つもしくは複数の態様の一例、ならびに／または、図９に関して説明された装置９０５の態様の一例であり得る。いくつかの例では、装置２１０５は、ＵＥ、ＬＴＥ／ＬＴＥ−Ａ  ｅＮＢ、および／またはＬＴＥ／ＬＴＥ−Ａ基地局の一部であるか、またはそれを含み得る。装置２１０５は、プロセッサでもあり得る。いくつかの例では、装置２１０５は、送信機または送信機装置と呼ばれることがある。装置２１０５は、受信機モジュール２１１０、帯域幅スケーリングモジュール２１３０、および／または送信機モジュール２１２０を含み得る。これらの構成要素の各々は互いに通信し得る。
【０２０２】
[0239]装置２１０５の構成要素は、ハードウェアにおいて適用可能な機能の一部または全部を実行するために適応された１つまたは複数のＡＳＩＣを使用して、個々にまたは集合的に実装され得る。代替的に、機能は、１つまたは複数の集積回路上で、１つまたは複数の他の処理ユニット（またはコア）によって実行され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中で具現化される命令によって実装され得る。
【０２０３】
[0240]いくつかの例では、受信機モジュール２１１０は、図９に関して説明された受信機モジュール９１０の１つまたは複数の態様の一例であり得る。いくつかの例では、受信機モジュール２１１０は、認可無線周波数スペクトル帯域（たとえば、無線周波数スペクトル帯域がユーザ（たとえば、ＬＴＥ／ＬＴＥ−Ａユーザ）に認可されているので、装置がそれのためにアクセスを求めて競合しない無線周波数スペクトル帯域）、ならびに／または無認可無線周波数スペクトル帯域（たとえば、無線周波数スペクトル帯域が少なくとも部分的に無認可使用（たとえば、無認可無線周波数スペクトル帯域内のＷｉ−Ｆｉ使用および／もしくはＬＴＥ／ＬＴＥ−Ａ使用）のために利用可能であるので、装置がそれのためにアクセスを求めて競合する必要があり得る無線周波数スペクトル帯域）を介して送信を受信するように動作可能な少なくとも１つのＲＦ受信機など、少なくとも１つのＲＦ受信機を含み得る。いくつかの例では、認可無線周波数スペクトル帯域および／または無認可無線周波数スペクトル帯域は、たとえば、図１〜図８に関して説明されたように、ＬＴＥ／ＬＴＥ−Ａ通信のために使用され得る。受信機モジュール２１１０は、場合によっては、認可無線周波数スペクトル帯域および無認可無線周波数スペクトル帯域に関する別個の受信機を含み得る。別個の受信機は、いくつかの例では、認可無線周波数スペクトル帯域を介して通信するための認可ＲＦスペクトル帯域ＬＴＥ／ＬＴＥ−Ａ受信機モジュール２１１２、および無認可無線周波数スペクトル帯域を介して通信するための無認可ＲＦスペクトル帯域ＬＴＥ／ＬＴＥ−Ａ受信機モジュール２１１４の形態をとり得る。受信機モジュール２１１０はまた、他の無線周波数スペクトル帯域を介して通信するための、および／または他の無線アクセス技術（たとえば、Ｗｉ−Ｆｉ）を介して通信するための受信機モジュールを含み得る。認可ＲＦスペクトル帯域ＬＴＥ／ＬＴＥ−Ａ受信機モジュール２１１２および／または無認可ＲＦスペクトル帯域ＬＴＥ／ＬＴＥ−Ａ受信機モジュール２１１４を含む受信機モジュール２１１０は、図１および／または図２に関して説明されたワイヤレス通信システム１００および／または２００の１つまたは複数の通信リンクなど、ワイヤレス通信システムの１つまたは複数の通信リンクを介して、様々なタイプのデータおよび／または制御信号（すなわち、送信）を受信するために使用され得る。通信リンクは、認可無線周波数スペクトル帯域および／または無認可無線周波数スペクトル帯域を介して確立され得る。
【０２０４】
[0241]いくつかの例では、送信機モジュール２１２０は、図９に関して説明された送信機モジュール９２０の１つまたは複数の態様の一例であり得る。いくつかの例では、送信機モジュール２１２０は、認可無線周波数スペクトル帯域および／または無認可無線周波数スペクトル帯域を介して送信するように動作可能な少なくとも１つのＲＦ送信機など、少なくとも１つのＲＦ送信機を含み得る。送信機モジュール２１２０は、場合によっては、認可無線周波数スペクトル帯域および無認可無線周波数スペクトル帯域に関する別個の送信機を含み得る。別個の送信機は、いくつかの例では、認可無線周波数スペクトル帯域を介して通信するための認可ＲＦスペクトル帯域ＬＴＥ／ＬＴＥ−Ａ送信機モジュール２１２２、および無認可無線周波数スペクトル帯域を介して通信するための無認可ＲＦスペクトル帯域ＬＴＥ／ＬＴＥ−Ａ送信機モジュール２１２４の形態をとり得る。認可ＲＦスペクトル帯域ＬＴＥ／ＬＴＥ−Ａ送信機モジュール２１２２および／または無認可ＲＦスペクトル帯域ＬＴＥ／ＬＴＥ−Ａ送信機モジュール２１２４を含む送信機モジュール２１２０は、図１および／または図２に関して説明されたワイヤレス通信システム１００および／または２００の１つまたは複数の通信リンクなど、ワイヤレス通信システムの１つまたは複数の通信リンクを介して、様々なタイプのデータおよび／または制御信号（すなわち、送信）を送信するために使用され得る。通信リンクは、認可無線周波数スペクトル帯域および／または無認可無線周波数スペクトル帯域を介して確立され得る。
【０２０５】
[0242]いくつかの例では、帯域幅スケーリングモジュール２１３０は、図９に関して説明された帯域幅スケーリングモジュール９３０の１つまたは複数の態様の一例であり得る。帯域幅スケーリングモジュール２１３０は、シーケンス生成モジュール２１３５を含み得る。いくつかの例では、シーケンス生成モジュール２１３５は、シーケンスを生成し得る。いくつかの例では、シーケンス生成モジュール２１３５は、シーケンス生成においていくつかのリソースブロック（ＲＢ）を使用し得る。ＲＢの数は、キャリアの帯域幅に少なくとも部分的に基づき得る。いくつかの例では、シーケンス生成モジュール２１３５は、帯域幅スケーリングモジュール２１３０によって識別された各利用可能なサブ−チャネル上でシーケンスを反復し得る。いくつかの例では、シーケンス生成モジュール２１３５は、無認可無線周波数スペクトル帯域またはサブバンドのサブ−チャネルのすべてに関するシーケンスを生成し、次いで、帯域幅スケーリングモジュール２１３０によって識別された利用可能なサブ−チャネルに少なくとも部分的に基づいて、シーケンスをパンクチャし得る。いくつかの例では、利用可能なサブ−チャネルは、少なくとも部分的にＣＣＡの結果によって決定され得る。いくつかの例では、シーケンスは、復調基準信号（ＤＭ−ＲＳ）、拡張共通基準信号（ｅＣＲＳ）、チャネル使用ビーコン信号（ＣＵＢＳ）、またはチャネル状態情報基準信号（ＣＳＩ−ＲＳ）のうちの少なくとも１つを含み得る。
【０２０６】
[0243]図２２は、本開示の様々な態様による、ワイヤレス通信において使用するための装置２２０５のブロック図２２００を示す。いくつかの例では、装置２２０５は、図１および／もしくは図２に関して説明された基地局１０５、基地局２０５、基地局２０５−ａ、ＵＥ１１５、ＵＥ２１５、ＵＥ２１５−ａ、ＵＥ２１５−ｂ、および／もしくはＵＥ２１５−ｃのうちの１つもしくは複数の態様の一例、ならびに／または、図９に関して説明された装置９０５の態様の一例であり得る。いくつかの例では、装置２２０５は、ＵＥ、ＬＴＥ／ＬＴＥ−Ａ  ｅＮＢ、および／またはＬＴＥ／ＬＴＥ−Ａ基地局の一部であるか、またはそれを含み得る。装置２２０５は、プロセッサでもあり得る。いくつかの例では、装置２２０５は、送信機または送信機装置と呼ばれることがある。装置２２０５は、受信機モジュール２２１０、帯域幅スケーリングモジュール２２３０、および／または送信機モジュール２２２０を含み得る。これらの構成要素の各々は互いに通信し得る。
【０２０７】
[0244]装置２２０５の構成要素は、ハードウェアにおいて適用可能な機能の一部または全部を実行するために適応された１つまたは複数のＡＳＩＣを使用して、個々にまたは集合的に実装され得る。代替的に、機能は、１つまたは複数の集積回路上で、１つまたは複数の他の処理ユニット（またはコア）によって実行され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中で具現化される命令によって実装され得る。
【０２０８】
[0245]いくつかの例では、受信機モジュール２２１０は、図９に関して説明された受信機モジュール９１０の１つまたは複数の態様の一例であり得る。いくつかの例では、受信機モジュール２２１０は、認可無線周波数スペクトル帯域（たとえば、無線周波数スペクトル帯域がユーザ（たとえば、ＬＴＥ／ＬＴＥ−Ａユーザ）に認可されているので、装置がそれのためにアクセスを求めて競合しない無線周波数スペクトル帯域）、ならびに／または無認可無線周波数スペクトル帯域（たとえば、無線周波数スペクトル帯域が少なくとも部分的に無認可使用（たとえば、無認可無線周波数スペクトル帯域内のＷｉ−Ｆｉ使用および／もしくはＬＴＥ／ＬＴＥ−Ａ使用）のために利用可能であるので、装置がそれのためにアクセスを求めて競合する必要があり得る無線周波数スペクトル帯域）を介して送信を受信するように動作可能な少なくとも１つのＲＦ受信機など、少なくとも１つのＲＦ受信機を含み得る。いくつかの例では、認可無線周波数スペクトル帯域および／または無認可無線周波数スペクトル帯域は、たとえば、図１〜図８に関して説明されたように、ＬＴＥ／ＬＴＥ−Ａ通信のために使用され得る。受信機モジュール２２１０は、場合によっては、認可無線周波数スペクトル帯域および無認可無線周波数スペクトル帯域に関する別個の受信機を含み得る。別個の受信機は、いくつかの例では、認可無線周波数スペクトル帯域を介して通信するための認可ＲＦスペクトル帯域ＬＴＥ／ＬＴＥ−Ａ受信機モジュール２２１２、および無認可無線周波数スペクトル帯域を介して通信するための無認可ＲＦスペクトル帯域ＬＴＥ／ＬＴＥ−Ａ受信機モジュール２２１４の形態をとり得る。受信機モジュール２２１０はまた、他の無線周波数スペクトル帯域を介して通信するための、および／または他の無線アクセス技術（たとえば、Ｗｉ−Ｆｉ）を介して通信するための受信機モジュールを含み得る。認可ＲＦスペクトル帯域ＬＴＥ／ＬＴＥ−Ａ受信機モジュール２２１２および／または無認可ＲＦスペクトル帯域ＬＴＥ／ＬＴＥ−Ａ受信機モジュール２２１４を含む受信機モジュール２２１０は、図１および／または図２に関して説明されたワイヤレス通信システム１００および／または２００の１つまたは複数の通信リンクなど、ワイヤレス通信システムの１つまたは複数の通信リンクを介して、様々なタイプのデータおよび／または制御信号（すなわち、送信）を受信するために使用され得る。通信リンクは、認可無線周波数スペクトル帯域および／または無認可無線周波数スペクトル帯域を介して確立され得る。
【０２０９】
[0246]いくつかの例では、送信機モジュール２２２０は、図９に関して説明された送信機モジュール９２０の１つまたは複数の態様の一例であり得る。いくつかの例では、送信機モジュール２２２０は、認可無線周波数スペクトル帯域および／または無認可無線周波数スペクトル帯域を介して送信するように動作可能な少なくとも１つのＲＦ送信機など、少なくとも１つのＲＦ送信機を含み得る。送信機モジュール２１２０は、場合によっては、認可無線周波数スペクトル帯域および無認可無線周波数スペクトル帯域に関する別個の送信機を含み得る。別個の送信機は、いくつかの例では、認可無線周波数スペクトル帯域を介して通信するための認可ＲＦスペクトル帯域ＬＴＥ／ＬＴＥ−Ａ送信機モジュール２２２２、および無認可無線周波数スペクトル帯域を介して通信するための無認可ＲＦスペクトル帯域ＬＴＥ／ＬＴＥ−Ａ送信機モジュール２２２４の形態をとり得る。認可ＲＦスペクトル帯域ＬＴＥ／ＬＴＥ−Ａ送信機モジュール２２２２および／または無認可ＲＦスペクトル帯域ＬＴＥ／ＬＴＥ−Ａ送信機モジュール２２２４を含む送信機モジュール２２２０は、図１および／または図２に関して説明されたワイヤレス通信システム１００および／または２００の１つまたは複数の通信リンクなど、ワイヤレス通信システムの１つまたは複数の通信リンクを介して、様々なタイプのデータおよび／または制御信号（すなわち、送信）を送信するために使用され得る。通信リンクは、認可無線周波数スペクトル帯域および／または無認可無線周波数スペクトル帯域を介して確立され得る。
【０２１０】
[0247]いくつかの例では、帯域幅スケーリングモジュール２２３０は、図９に関して説明された帯域幅スケーリングモジュール９３０の１つまたは複数の態様の一例であり得る。帯域幅スケーリングモジュール２２３０は、サブ−チャネルフィルタモジュール２２３５を含み得る。いくつかの例では、サブ−チャネルフィルタモジュール２２３５は、帯域幅スケーリングモジュール２２３０によって識別された利用可能なサブ−チャネルに対応する複数のフィルタのサブセットを選択し得る。いくつかの例では、複数のフィルタの選択されたサブセットは、キャリアの帯域幅に及び得る。いくつかの例では、帯域幅スケーリングモジュール２２３０によって識別された利用可能なサブ−チャネルは、非隣接であり得る。いくつかの例では、サブ−チャネルフィルタモジュール２２３５によって選択されたフィルタのサブセット内のフィルタのうちの少なくとも１つは、２つの隣接するサブ−チャネル間の少なくとも１つのガード  バンドに及び得る。
【０２１１】
[0248]図２３は、本開示の様々な態様による、ワイヤレス通信において使用するための基地局２３０５（たとえば、ｅＮＢの一部または全部を形成する基地局）のブロック図２３００を示す。いくつかの例では、基地局２３０５は、図１および／もしくは図２に関して説明された基地局１０５、２０５、および／もしくは２０５−ａのうちの１つもしくは複数の態様、ならびに／または、図９、図１０、図１１、図１２、図１３、図１４、図１５、図１６、図１７、図１８、図１９、図２０、図２１、および／もしくは図２２に関して説明されたような、基地局として構成されるときの装置９０５、１００５、１１０５、１２０５、１３０５、１４０５、１５０５、１６０５、１７０５、１８０５、１９０５、２００５、２１０５、および／もしくは２２０５のうちの１つもしくは複数の態様の一例であり得る。基地局２３０５は、図１〜図２２に関して説明された基地局および／または装置の特徴および機能のうちの少なくともいくつかを実装するかまたは容易にするために構成され得る。
【０２１２】
[0249]基地局２３０５は、基地局プロセッサモジュール２３１０、基地局メモリモジュール２３２０、（基地局トランシーバモジュール２３５０によって表される）少なくとも１つの基地局トランシーバモジュール、（基地局アンテナ２３５５によって表される）少なくとも１つの基地局アンテナ、および／または基地局帯域幅スケーリングモジュール２３３０を含み得る。基地局２３０５はまた、ネットワーク通信モジュール２３４０を含み得る。これらの構成要素の各々は、１つまたは複数のバス２３３５を介して直接または間接的に互いに通信し得る。
【０２１３】
[0250]基地局メモリモジュール２３２０は、ランダムアクセスメモリ（ＲＡＭ）および／または読取り専用メモリ（ＲＯＭ）を含み得る。基地局メモリモジュール２３２０は、実行されたとき、ワイヤレス通信に関する本明細書で説明される様々な機能（たとえば、キャリア内に複数のサブ−チャネルを含めることによって、キャリアの帯域幅をスケーリングすることに関係する機能など）を基地局プロセッサモジュール２３１０に実行させるために構成される命令を含む、コンピュータ可読、コンピュータ実行可能コード２３２５を記憶し得る。代替的に、コンピュータ実行可能コード２３２５は、基地局プロセッサモジュール２３１０によって直接的に実行可能ではないことがあるが、（たとえば、コンパイルされ実行されたとき）本明細書で説明される様々な機能を基地局２３０５に実行させるために構成され得る。
【０２１４】
[0251]基地局プロセッサモジュール２３１０は、インテリジェントハードウェアデバイス、たとえば、中央処理ユニット（ＣＰＵ）、マイクロコントローラ、ＡＳＩＣなどを含み得る。基地局プロセッサモジュール２３１０は、基地局トランシーバモジュール２３５０および／またはネットワーク通信モジュール２３４０を通して受信された情報を処理し得る。基地局プロセッサモジュール２３１０はまた、アンテナ２３５５を通した送信のためにトランシーバモジュール２３５０へ、および／または、図１に関して説明されたコアネットワーク１３０の１つまたは複数の態様の一例であり得るコアネットワーク２３４５への送信のために、ネットワーク通信モジュール２３４０へ送られるべき情報を処理し得る。基地局プロセッサモジュール２３１０は、単独でまたは基地局帯域幅スケーリングモジュール２３３０および基地局トランシーバモジュール２３５０とともに、認可無線周波数スペクトル帯域（たとえば、ＬＴＥ／ＬＴＥ−Ａ通信のために使用可能な認可無線周波数スペクトル帯域など、無線周波数スペクトル帯域が使用のためにユーザに認可されているので、装置がそれのためにアクセスを求めて競合しない無線周波数スペクトル帯域）、ならびに／または無認可無線周波数スペクトル帯域（たとえば、無線周波数スペクトル帯域が少なくとも部分的に無認可無線周波数スペクトル帯域内のＷｉ−Ｆｉ使用および／もしくはＬＴＥ／ＬＴＥ−Ａ使用などの無認可使用のために利用可能であるので、装置がそれのためにアクセスを求めて競合する必要があり得る無線周波数スペクトル帯域）を含む、ワイヤレス通信媒体を介して通信すること（または、それを介した通信を管理すること）の様々な態様を扱い得る。
【０２１５】
[0252]基地局トランシーバモジュール２３５０は、パケットを変調し、変調されたパケットを送信のために基地局アンテナ２３５５に与えるために、および、基地局アンテナ２３５５から受信されたパケットを復調するために構成されたモデムを含み得る。基地局トランシーバモジュール２３５０は、いくつかの例では、１つまたは複数の基地局送信機モジュール、および１つまたは複数の別個の基地局受信機モジュールとして実装され得る。基地局トランシーバモジュール２３５０は、認可無線周波数スペクトル帯域および／または無認可無線周波数スペクトル帯域における通信をサポートし得る。基地局トランシーバモジュール２３５０は、図１および／または図２に関して説明されたＵＥ１１５、２１５、２１５−ａ、２１５−ｂ、および／または２１５−ｃのうちの１つまたは複数など、１つまたは複数のＵＥまたは装置と、アンテナ２３５５を介して双方向に通信するために構成され得る。基地局２３０５は、たとえば、複数の基地局アンテナ２３５５（たとえば、アンテナアレイ）を含み得る。基地局２３０５は、ネットワーク通信モジュール２３４０を通してコアネットワーク２３４５と通信し得る。基地局２３０５はまた、ネットワーク通信モジュール２３４０および／または基地局アンテナ２３５５を使用して、他の基地局と通信し得る。
【０２１６】
[0253]基地局帯域幅スケーリングモジュール２３３０は、ワイヤレス通信に関する、図１〜図２２に関して説明された特徴および／または機能（たとえば、キャリア内に複数のサブ−チャネルを含めることによって、キャリアの帯域幅をスケーリングすることに関係する機能など）の一部または全部を実行および／または制御するために構成され得る。いくつかの例では、基地局帯域幅スケーリングモジュール２３３０は、スケーラブルな帯域幅、ならびに、認可無線周波数スペクトル帯域および／または無認可無線周波数スペクトル帯域を使用して補足ダウンリンクモード、キャリアアグリゲーションモード、および／またはスタンドアロンモードをサポートするために構成され得る。基地局トランシーバモジュール２３５０および／または基地局帯域幅スケーリングモジュール２３３０は、認可無線周波数スペクトル帯域におけるＬＴＥ／ＬＴＥ−Ａ通信を扱うために構成された基地局認可ＲＦスペクトル帯域モジュール２３６５と、無認可無線周波数スペクトル帯域におけるＬＴＥ／ＬＴＥ−Ａ通信を扱うために構成された基地局無認可ＲＦスペクトル帯域モジュール２３７０とを含み得る。基地局帯域幅スケーリングモジュール２３３０もしくはそれの一部は、プロセッサを含み得、ならびに／または、基地局帯域幅スケーリングモジュール２３３０の機能の一部もしくは全部は、基地局プロセッサモジュール２３１０によって、および／もしくは基地局プロセッサモジュール２３１０とともに実行され得る。いくつかの例では、基地局帯域幅スケーリングモジュール２３３０は、図９、図１０、図１１、図１２、図１３、図１４、図１５、図１６、図１７、図１８、図１９、図２０、図２１、および／または図２２に関して説明された帯域幅スケーリングモジュール９３０、１０３０、１１３０、１２３０、１３３０、１４３０、１５３０、１６３０、１７３０、１８３０、１９３０、２０３０、２１３０、および／または２２３０の一例であり得る。
【０２１７】
[0254]図２４は、本開示の様々な態様による、ワイヤレス通信において使用するためのＵＥ２４１５のブロック図２４００を示す。ＵＥ２４１５は、様々な構成を有し得、含まれ得るか、または、パーソナルコンピュータ（たとえば、ラップトップコンピュータ、ネットブックコンピュータ、タブレットコンピュータなど）、セルラー電話、ＰＤＡ、デジタルビデオレコーダ（ＤＶＲ）、インターネット機器、ゲームコンソール、電子リーダーなどの一部であり得る。ＵＥ２４１５は、いくつかの例では、モバイル動作を容易にするために、小型バッテリーなどの内部電源（図示されず）を有し得る。いくつかの例では、ＵＥ２４１５は、図１および／もしくは図２に関して説明されたＵＥ１１５、２１５、２１５−ａ、２１５−ｂ、および／もしくは２１５−ｃの１つもしくは複数の態様、ならびに／または、図９、図１０、図１１、図１２、図１３、図１４、図１５、図１６、図１７、図１８、図１９、図２０、図２１、および／もしくは図２２に関して説明された装置９０５、１００５、１１０５、１２０５、１３０５、１４０５、１５０５、１６０５、１７０５、１８０５、１９０５、２００５、２１０５、および／もしくは２２０５の１つもしくは複数の態様の一例であり得る。ＵＥ２４１５は、図１〜図２２に関して説明されたＵＥおよび／または装置の特徴および機能のうちの少なくともいくつかを実装するために構成され得る。
【０２１８】
[0255]ＵＥ２４１５は、ＵＥプロセッサモジュール２４１０、ＵＥメモリモジュール２４２０、（ＵＥトランシーバモジュール２４４０によって表される）少なくとも１つのＵＥトランシーバモジュール、（ＵＥアンテナ２４５５によって表される）少なくとも１つのＵＥアンテナ、および／またはＵＥ帯域幅スケーリングモジュール２４３０を含み得る。これらの構成要素の各々は、１つまたは複数のバス２４３５を介して直接または間接的に互いに通信し得る。
【０２１９】
[0256]ＵＥメモリモジュール２４２０は、ＲＡＭおよび／またはＲＯＭを含み得る。ＵＥメモリモジュール２４２０は、実行されたとき、ワイヤレス通信に関する本明細書で説明される様々な機能をＵＥプロセッサモジュール２４１０に実行させるために構成される命令を含む、コンピュータ可読、コンピュータ実行可能コード２４２５を記憶し得る。代替的に、コンピュータ実行可能コード２４２５は、ＵＥプロセッサモジュール２４１０によって直接的に実行可能ではないことがあるが、（たとえば、コンパイルされ実行されたとき）本明細書で説明される様々な機能をＵＥ２４１５に実行させるために構成され得る。
【０２２０】
[0257]ＵＥプロセッサモジュール２４１０は、インテリジェントハードウェアデバイス、たとえば、ＣＰＵ、マイクロコントローラ、ＡＳＩＣなどを含み得る。ＵＥプロセッサモジュール２４１０は、ＵＥトランシーバモジュール２４４０を通して受信された情報、および／またはＵＥアンテナ２４５５を通した送信のためにＵＥトランシーバモジュール２４４０に送られるべき情報を処理し得る。ＵＥプロセッサモジュール２４１０は、単独でまたはＵＥ帯域幅スケーリングモジュール２４３０およびＵＥトランシーバモジュール２４４０とともに、認可無線周波数スペクトル帯域（たとえば、ＬＴＥ／ＬＴＥ−Ａ通信のために使用可能な認可無線周波数スペクトル帯域など、無線周波数スペクトル帯域が使用のためにユーザに認可されているので、装置がそれのためにアクセスを求めて競合しない無線周波数スペクトル帯域）、および／または無認可無線周波数スペクトル帯域（たとえば、無線周波数スペクトル帯域がＷｉ−Ｆｉ使用などの無認可使用のために利用可能であるので、装置がそれのためにアクセスを求めて競合する必要があり得る無認可無線周波数スペクトル帯域、もしくは、無線周波数スペクトル帯域が競合ベースで２つ以上の事業者による使用のために利用可能であるので、装置がそれのためにアクセスを求めて競合する必要があり得る認可無線周波数スペクトル帯域など、共有無線周波数スペクトル帯域）を介して通信すること（または、それを介した通信を管理すること）の様々な態様を扱い得る。
【０２２１】
[0258]ＵＥトランシーバモジュール２４４０は、パケットを変調し、変調されたパケットを送信のためにＵＥアンテナ２４５５に与えるために、および、ＵＥアンテナ２４５５から受信されたパケットを復調するために構成されたモデムを含み得る。ＵＥトランシーバモジュール２４４０は、いくつかの例では、１つまたは複数のＵＥ送信機モジュール、および１つまたは複数の別個のＵＥ受信機モジュールとして実装され得る。ＵＥトランシーバモジュール２４４０は、認可無線周波数スペクトル帯域および／または無認可無線周波数スペクトル帯域における通信をサポートし得る。ＵＥトランシーバモジュール２４４０は、図１および／もしくは図２に関して説明された基地局１０５、２０５、および／もしくは２０５−ａのうちの１つもしくは複数、ならびに／または図９、図１０、図１１、図１２、図１３、図１４、図１５、図１６、図１７、図１８、図１９、図２０、図２１、および／もしくは図２２に関して説明された装置９０５、１００５、１１０５、１２０５、１３０５、１４０５、１５０５、１６０５、１７０５、１８０５、１９０５、２００５、２１０５、および／もしくは２２０５のうちの１つもしくは複数と、ＵＥアンテナ２４５５を介して双方向に通信するために構成され得る。ＵＥ２４１５は、単一のＵＥアンテナを含み得るが、ＵＥ２４１５が複数のＵＥアンテナ２４５５を含み得る例があり得る。
【０２２２】
[0259]ＵＥ帯域幅スケーリングモジュール２４３０は、ワイヤレス通信に関する、図１〜図２２に関して説明された特徴および／または機能（たとえば、キャリア内に複数のサブ−チャネルを含めることによって、キャリアの帯域幅をスケーリングすることに関係する機能など）の一部または全部を実行および／または制御するために構成され得る。たとえば、ＵＥ帯域幅スケーリングモジュール２４３０は、スケーラブルな帯域幅、ならびに、認可無線周波数スペクトル帯域および／または無認可無線周波数スペクトル帯域を使用して補足ダウンリンクモード、キャリアアグリゲーションモード、および／またはスタンドアロンモードをサポートするために構成され得る。ＵＥトランシーバモジュール２４４０および／またはＵＥ帯域幅スケーリングモジュール２４３０は、認可無線周波数スペクトル帯域におけるＬＴＥ／ＬＴＥ−Ａ通信を扱うために構成されたＵＥ認可ＲＦスペクトル帯域モジュール２４６５と、無認可無線周波数スペクトル帯域におけるＬＴＥ／ＬＴＥ−Ａ通信を扱うために構成されたＵＥ無認可ＲＦスペクトル帯域モジュール２４７０とを含み得る。ＵＥ帯域幅スケーリングモジュール２４３０もしくはそれの一部は、プロセッサを含み得、ならびに／または、ＵＥ帯域幅スケーリングモジュール２４３０の機能の一部もしくは全部は、ＵＥプロセッサモジュール２４１０によって、および／もしくはＵＥプロセッサモジュール２４１０とともに実行され得る。いくつかの例では、ＵＥ帯域幅スケーリングモジュール２４３０は、図９、図１０、図１１、図１２、図１３、図１４、図１５、図１６、図１７、図１８、図１９、図２０、図２１、および／または図２２に関して説明された帯域幅スケーリングモジュール９３０、１０３０、１１３０、１２３０、１３３０、１４３０、１５３０、１６３０、１７３０、１８３０、１９３０、２０３０、２１３０、および／または２２３０の一例であり得る。
【０２２３】
[0260]図２５は、本開示の様々な態様による、ワイヤレス通信に関する方法２５００の一例を示すフローチャートである。明快のために、方法２５００は、図１および／もしくは図２に関して説明された基地局１０５、基地局２０５、基地局２０５−ａ、ＵＥ１１５、ＵＥ２１５、ＵＥ２１５−ａ、ＵＥ２１５−ｂ、および／もしくはＵＥ２１５−ｃのうちの１つもしくは複数の態様、ならびに／または、図９、図１０、図１１、図１２、図１３、図１４、図１５、図１６、図１７、図１８、図１９、図２０、図２１、および／もしくは図２２に関して説明された装置９０５、１００５、１１０５、１２０５、１３０５、１４０５、１５０５、１６０５、１７０５、１８０５、１９０５、２００５、２１０５、および／もしくは２２０５のうちの１つもしくは複数の態様に関して、以下で説明される。いくつかの例では、基地局、ＵＥ、および／または装置は、以下で説明される機能を実行するように、基地局、ＵＥ、および／または装置の機能要素を制御するためのコードの１つまたは複数のセットを実行し得る。
【０２２４】
[0261]ブロック２５０５で、方法２５００は、無認可無線周波数スペクトル帯域内の複数のサブ−チャネルを識別することを含み得る。ブロック２５１０で、方法２５００は、無認可無線周波数スペクトル帯域を使用するキャリアを介して通信すること、キャリアが、複数のサブ−チャネルの少なくとも第１のサブセットを備え、第１のサブセットが、複数のサブ−チャネルのうちの少なくとも２つのサブ−チャネルを備える、を含み得る。方法２５００は一実装形態にすぎず、方法２５００の動作は、他の実装形態が可能であるように再構成されるか、または場合によっては修正され得ることに留意されたい。
【０２２５】
[0262]図２６は、本開示の様々な態様による、ワイヤレス通信に関する方法２６００の一例を示すフローチャートである。明快のために、方法２６００は、図１および／もしくは図２に関して説明された基地局１０５、基地局２０５、基地局２０５−ａ、ＵＥ１１５、ＵＥ２１５、ＵＥ２１５−ａ、ＵＥ２１５−ｂ、および／もしくはＵＥ２１５−ｃのうちの１つもしくは複数の態様、ならびに／または、図９、図１０、図１１、図１２、図１３、図１４、図１５、図１６、図１７、図１８、図１９、図２０、図２１、および／もしくは図２２に関して説明された装置９０５、１００５、１１０５、１２０５、１３０５、１４０５、１５０５、１６０５、１７０５、１８０５、１９０５、２００５、２１０５、および／もしくは２２０５のうちの１つもしくは複数の態様に関して、以下で説明される。いくつかの例では、基地局、ＵＥ、および／または装置は、以下で説明される機能を実行するように、基地局、ＵＥ、および／または装置の機能要素を制御するためのコードの１つまたは複数のセットを実行し得る。
【０２２６】
[0263]ブロック２６０５で、方法２６００は、無認可無線周波数スペクトル帯域内の複数のサブ−チャネルを識別することを含み得る。ブロック２６１０で、方法２６００は、楽観的ＣＣＡしきい値に少なくとも部分的に基づいて、複数のサブ−チャネル上で第１のクリア  チャネル  アセスメント（ＣＣＡ）を実行することを含み得る。ブロック２６１５で、方法２６００は、第１のＣＣＡに少なくとも部分的に基づいて、複数の潜在的サブ−チャネルを決定すること、複数の潜在的サブ−チャネルが、複数のサブ−チャネルの少なくとも第１のサブセットを備え、第１のサブセットが、複数のサブ−チャネルのうちの少なくとも２つのサブ−チャネルを備える、を含み得る。ブロック２６２０で、方法２６００は、再分配ＣＣＡしきい値に少なくとも部分的に基づいて、複数の潜在的サブ−チャネル上で第２のＣＣＡを実行することを含み得る。ブロック２６２５で、方法２６００は、第２のＣＣＡに少なくとも部分的に基づいて、複数のクリア  サブ−チャネルを決定することを含み得る。ブロック２６３０で、方法２６００は、無認可無線周波数スペクトル帯域を使用するキャリアを介して通信すること、キャリアが複数のクリア  サブ−チャネルを備える、を含み得る。方法２６００は一実装形態にすぎず、方法２６００の動作は、他の実装形態が可能であるように再構成されるか、または場合によっては修正され得ることに留意されたい。
【０２２７】
[0264]図２７は、本開示の様々な態様による、ワイヤレス通信に関する方法２７００の一例を示すフローチャートである。明快のために、方法２７００は、図１および／もしくは図２に関して説明された基地局１０５、基地局２０５、基地局２０５−ａ、ＵＥ１１５、ＵＥ２１５、ＵＥ２１５−ａ、ＵＥ２１５−ｂ、および／もしくはＵＥ２１５−ｃのうちの１つもしくは複数の態様、ならびに／または、図９、図１０、図１１、図１２、図１３、図１４、図１５、図１６、図１７、図１８、図１９、図２０、図２１、および／もしくは図２２に関して説明された装置９０５、１００５、１１０５、１２０５、１３０５、１４０５、１５０５、１６０５、１７０５、１８０５、１９０５、２００５、２１０５、および／もしくは２２０５のうちの１つもしくは複数の態様に関して、以下で説明される。いくつかの例では、基地局、ＵＥ、および／または装置は、以下で説明される機能を実行するように、基地局、ＵＥ、および／または装置の機能要素を制御するためのコードの１つまたは複数のセットを実行し得る。
【０２２８】
[0265]ブロック２７０５で、方法２７００は、無認可無線周波数スペクトル帯域内の複数のサブ−チャネルを識別することを含み得る。ブロック２７１０で、方法２７００は、無認可無線周波数スペクトル帯域を使用するキャリアを介して通信すること、キャリアが、複数のサブ−チャネルの少なくとも第１のサブセットを備え、第１のサブセットが、複数のサブ−チャネルのうちの少なくとも２つのサブ−チャネルを備え、第１のサブセットのリソースが、１つの論理グループとしてアドレス指定される、を含み得る。方法２７００は一実装形態にすぎず、方法２７００の動作は、他の実装形態が可能であるように再構成されるか、または場合によっては修正され得ることに留意されたい。
【０２２９】
[0266]図２８は、本開示の様々な態様による、ワイヤレス通信に関する方法２８００の一例を示すフローチャートである。明快のために、方法２８００は、図１および／もしくは図２に関して説明された基地局１０５、基地局２０５、基地局２０５−ａ、ＵＥ１１５、ＵＥ２１５、ＵＥ２１５−ａ、ＵＥ２１５−ｂ、および／もしくはＵＥ２１５−ｃのうちの１つもしくは複数の態様、ならびに／または、図９、図１０、図１１、図１２、図１３、図１４、図１５、図１６、図１７、図１８、図１９、図２０、図２１、および／もしくは図２２に関して説明された装置９０５、１００５、１１０５、１２０５、１３０５、１４０５、１５０５、１６０５、１７０５、１８０５、１９０５、２００５、２１０５、および／もしくは２２０５のうちの１つもしくは複数の態様に関して、以下で説明される。いくつかの例では、基地局、ＵＥ、および／または装置は、以下で説明される機能を実行するように、基地局、ＵＥ、および／または装置の機能要素を制御するためのコードの１つまたは複数のセットを実行し得る。
【０２３０】
[0267]ブロック２８０５で、方法２８００は、無認可無線周波数スペクトル帯域内の複数のサブ−チャネルを識別することを含み得る。ブロック２８１０で、方法２８００は、物理アップリンク制御チャネル（ＰＵＣＣＨ）を決定すること、ＰＵＣＣＨが、複数のサブ−チャネルの第１のサブセットに関するチャネル品質インジケータ（ＣＱＩ）を備え、第１のサブセットが、複数のサブ−チャネルのうちの少なくとも２つのサブ−チャネルを備える、を含み得る。ブロック２８１５で、方法２８００は、無認可無線周波数スペクトル帯域を使用するキャリアを介して通信すること、キャリアが、複数のサブ−チャネルの少なくとも第１のサブセットを備える、を含み得る。方法２８００は一実装形態にすぎず、方法２８００の動作は、他の実装形態が可能であるように再構成されるか、または場合によっては修正され得ることに留意されたい。
【０２３１】
[0268]図２９は、本開示の様々な態様による、ワイヤレス通信に関する方法２９００の一例を示すフローチャートである。明快のために、方法２９００は、図１および／もしくは図２に関して説明された基地局１０５、基地局２０５、基地局２０５−ａ、ＵＥ１１５、ＵＥ２１５、ＵＥ２１５−ａ、ＵＥ２１５−ｂ、および／もしくはＵＥ２１５−ｃのうちの１つもしくは複数の態様、ならびに／または、図９、図１０、図１１、図１２、図１３、図１４、図１５、図１６、図１７、図１８、図１９、図２０、図２１、および／もしくは図２２に関して説明された装置９０５、１００５、１１０５、１２０５、１３０５、１４０５、１５０５、１６０５、１７０５、１８０５、１９０５、２００５、２１０５、および／もしくは２２０５のうちの１つもしくは複数の態様に関して、以下で説明される。いくつかの例では、基地局、ＵＥ、および／または装置は、以下で説明される機能を実行するように、基地局、ＵＥ、および／または装置の機能要素を制御するためのコードの１つまたは複数のセットを実行し得る。
【０２３２】
[0269]ブロック２９０５で、方法２９００は、無認可無線周波数スペクトル帯域内の複数のサブ−チャネルを識別することを含み得る。ブロック２９１０で、方法２９００は、少なくとも１つの拡張物理ダウンリンク制御チャネル（ｅＰＤＣＣＨ）を決定すること、少なくとも１つのｅＰＤＣＣＨが、複数のサブ−チャネルの第１のサブセットをアドレス指定し、第１のサブセットが、複数のサブ−チャネルのうちの少なくとも２つのサブ−チャネルを備える、を含み得る。ブロック２９１５で、方法２９００は、無認可無線周波数スペクトル帯域を使用するキャリアを介して通信すること、キャリアが、複数のサブ−チャネルの少なくとも第１のサブセットを備える、を含み得る。方法２９００は一実装形態にすぎず、方法２９００の動作は、他の実装形態が可能であるように再構成されるか、または場合によっては修正され得ることに留意されたい。
【０２３３】
[0270]図３０は、本開示の様々な態様による、ワイヤレス通信に関する方法３０００の一例を示すフローチャートである。明快のために、方法３０００は、図１および／もしくは図２に関して説明された基地局１０５、基地局２０５、基地局２０５−ａ、ＵＥ１１５、ＵＥ２１５、ＵＥ２１５−ａ、ＵＥ２１５−ｂ、および／もしくはＵＥ２１５−ｃのうちの１つもしくは複数の態様、ならびに／または、図９、図１０、図１１、図１２、図１３、図１４、図１５、図１６、図１７、図１８、図１９、図２０、図２１、および／もしくは図２２に関して説明された装置９０５、１００５、１１０５、１２０５、１３０５、１４０５、１５０５、１６０５、１７０５、１８０５、１９０５、２００５、２１０５、および／もしくは２２０５のうちの１つもしくは複数の態様に関して、以下で説明される。いくつかの例では、基地局、ＵＥ、および／または装置は、以下で説明される機能を実行するように、基地局、ＵＥ、および／または装置の機能要素を制御するためのコードの１つまたは複数のセットを実行し得る。
【０２３４】
[0271]ブロック３００５で、方法３０００は、無認可無線周波数スペクトル帯域内の複数のサブ−チャネルを識別することを含み得る。ブロック３０１０で、方法３０００は、複数の拡張物理ダウンリンク制御チャネル（ｅＰＤＣＣＨ）を決定すること、複数のｅＰＤＣＣＨが、複数のサブ−チャネルの第１のサブセットをアドレス指定し、第１のサブセットが、複数のサブ−チャネルのうちの少なくとも２つのサブ−チャネルを備える、を含み得る。ブロック３０１５で、方法３０００は、無認可無線周波数スペクトル帯域を使用するキャリアを介して通信すること、キャリアが、複数のサブ−チャネルの少なくとも第１のサブセットを備える、を含み得る。方法３０００は一実装形態にすぎず、方法３０００の動作は、他の実装形態が可能であるように再構成されるか、または場合によっては修正され得ることに留意されたい。
【０２３５】
[0272]図３１は、本開示の様々な態様による、ワイヤレス通信に関する方法３１００の一例を示すフローチャートである。明快のために、方法３１００は、図１および／もしくは図２に関して説明された基地局１０５、基地局２０５、基地局２０５−ａ、ＵＥ１１５、ＵＥ２１５、ＵＥ２１５−ａ、ＵＥ２１５−ｂ、および／もしくはＵＥ２１５−ｃのうちの１つもしくは複数の態様、ならびに／または、図９、図１０、図１１、図１２、図１３、図１４、図１５、図１６、図１７、図１８、図１９、図２０、図２１、および／もしくは図２２に関して説明された装置９０５、１００５、１１０５、１２０５、１３０５、１４０５、１５０５、１６０５、１７０５、１８０５、１９０５、２００５、２１０５、および／もしくは２２０５のうちの１つもしくは複数の態様に関して、以下で説明される。いくつかの例では、基地局、ＵＥ、および／または装置は、以下で説明される機能を実行するように、基地局、ＵＥ、および／または装置の機能要素を制御するためのコードの１つまたは複数のセットを実行し得る。
【０２３６】
[0273]ブロック３１０５で、方法３１００は、無認可無線周波数スペクトル帯域内の複数のサブ−チャネルを識別することを含み得る。ブロック３１１０で、方法３１００は、キャリアマップを決定すること、キャリアマップが、キャリアと、複数のサブ−チャネルの第１のサブセットとを識別し、第１のサブセットが、複数のサブ−チャネルのうちの少なくとも２つのサブ−チャネルを備える、を含み得る。ブロック３１１５で、方法３１００は、ＵＥにキャリアマップを通信することを含み得る。ブロック３１２０で、方法３１００は、無認可無線周波数スペクトル帯域を使用するキャリアを介して通信すること、キャリアが、複数のサブ−チャネルの少なくとも第１のサブセットを備える、を含み得る。方法３１００は一実装形態にすぎず、方法３１００の動作は、他の実装形態が可能であるように再構成されるか、または場合によっては修正され得ることに留意されたい。
【０２３７】
[0274]図３２は、本開示の様々な態様による、ワイヤレス通信に関する方法３２００の一例を示すフローチャートである。明快のために、方法３２００は、図１および／もしくは図２に関して説明された基地局１０５、基地局２０５、基地局２０５−ａ、ＵＥ１１５、ＵＥ２１５、ＵＥ２１５−ａ、ＵＥ２１５−ｂ、および／もしくはＵＥ２１５−ｃのうちの１つもしくは複数の態様、ならびに／または、図９、図１０、図１１、図１２、図１３、図１４、図１５、図１６、図１７、図１８、図１９、図２０、図２１、および／もしくは図２２に関して説明された装置９０５、１００５、１１０５、１２０５、１３０５、１４０５、１５０５、１６０５、１７０５、１８０５、１９０５、２００５、２１０５、および／もしくは２２０５のうちの１つもしくは複数の態様に関して、以下で説明される。いくつかの例では、基地局、ＵＥ、および／または装置は、以下で説明される機能を実行するように、基地局、ＵＥ、および／または装置の機能要素を制御するためのコードの１つまたは複数のセットを実行し得る。
【０２３８】
[0275]ブロック３２０５で、方法３２００は、無認可無線周波数スペクトル帯域内の複数のサブ−チャネルを識別することを含み得る。ブロック３２１０で、方法３２００は、キャリアマップを決定すること、キャリアマップが、キャリアと、複数のサブ−チャネルの第１のサブセットとを識別し、第１のサブセットが、複数のサブ−チャネルのうちの少なくとも２つのサブ−チャネルを備え、キャリアマップが、少なくとも１つのＵＥのマスクを備え、少なくとも１つのＵＥのマスクが、ＵＥがダウンリンク（ＤＬ）データについて監視するための、複数のサブ−チャネルのうちの少なくとも１つのサブ−チャネルを識別する、を含み得る。ブロック３２１５で、方法３２００は、ＵＥにキャリアマップを通信することを含み得る。ブロック３２２０で、方法３２００は、クリア  チャネル  アセスメント（ＣＣＡ）結果を決定すること、ＣＣＡの結果が、通信のために利用可能な複数のサブ−チャネルのうちの少なくとも１つのサブ−チャネルを識別する、を含み得る。ブロック３２２５で、方法３２００は、ＵＥにＣＣＡの結果を通信することを含み得る。ブロック３２３０で、方法３２００は、少なくとも１つのＵＥのマスクとＣＣＡの結果とに少なくとも部分的に基づいて、複数のサブ−チャネルのうちの少なくとも１つの利用可能なサブ−チャネルを決定することを含み得る。ブロック３２３５で、方法３２００は、無認可無線周波数スペクトル帯域を使用するキャリアを介して通信すること、キャリアが、複数のサブ−チャネルの少なくとも第１のサブセットを備える、を含み得る。方法３２００は一実装形態にすぎず、方法３２００の動作は、他の実装形態が可能であるように再構成されるか、または場合によっては修正され得ることに留意されたい。
【０２３９】
[0276]図３３は、本開示の様々な態様による、ワイヤレス通信に関する方法３３００の一例を示すフローチャートである。明快のために、方法３３００は、図１および／もしくは図２に関して説明された基地局１０５、基地局２０５、基地局２０５−ａ、ＵＥ１１５、ＵＥ２１５、ＵＥ２１５−ａ、ＵＥ２１５−ｂ、および／もしくはＵＥ２１５−ｃのうちの１つもしくは複数の態様、ならびに／または、図９、図１０、図１１、図１２、図１３、図１４、図１５、図１６、図１７、図１８、図１９、図２０、図２１、および／もしくは図２２に関して説明された装置９０５、１００５、１１０５、１２０５、１３０５、１４０５、１５０５、１６０５、１７０５、１８０５、１９０５、２００５、２１０５、および／もしくは２２０５のうちの１つもしくは複数の態様に関して、以下で説明される。いくつかの例では、基地局、ＵＥ、および／または装置は、以下で説明される機能を実行するように、基地局、ＵＥ、および／または装置の機能要素を制御するためのコードの１つまたは複数のセットを実行し得る。
【０２４０】
[0277]ブロック３３０５で、方法３３００は、無認可無線周波数スペクトル帯域内の複数のサブ−チャネルを識別することを含み得る。ブロック３３１０で、方法３３００は、無認可無線周波数スペクトル帯域を使用するキャリアを介して通信すること、キャリアが、複数のサブ−チャネルの少なくとも第１のサブセットを備え、第１のサブセットが、複数のサブ−チャネルのうちの少なくとも２つのサブ−チャネルを備える、を含み得る。ブロック３３１５で、方法３３００は、キャリアを介して、クリア  チャネル  アセスメント免除送信（ＣＥＴ）を通信することを含み得る。方法３３００は一実装形態にすぎず、方法３３００の動作は、他の実装形態が可能であるように再構成されるか、または場合によっては修正され得ることに留意されたい。
【０２４１】
[0278]図３４は、本開示の様々な態様による、ワイヤレス通信に関する方法３４００の一例を示すフローチャートである。明快のために、方法３４００は、図１および／もしくは図２に関して説明された基地局１０５、基地局２０５、基地局２０５−ａ、ＵＥ１１５、ＵＥ２１５、ＵＥ２１５−ａ、ＵＥ２１５−ｂ、および／もしくはＵＥ２１５−ｃのうちの１つもしくは複数の態様、ならびに／または、図９、図１０、図１１、図１２、図１３、図１４、図１５、図１６、図１７、図１８、図１９、図２０、図２１、および／もしくは図２２に関して説明された装置９０５、１００５、１１０５、１２０５、１３０５、１４０５、１５０５、１６０５、１７０５、１８０５、１９０５、２００５、２１０５、および／もしくは２２０５のうちの１つもしくは複数の態様に関して、以下で説明される。いくつかの例では、基地局、ＵＥ、および／または装置は、以下で説明される機能を実行するように、基地局、ＵＥ、および／または装置の機能要素を制御するためのコードの１つまたは複数のセットを実行し得る。
【０２４２】
[0279]ブロック３４０５で、方法３４００は、無認可無線周波数スペクトル帯域内の複数のサブ−チャネルを識別することを含み得る。ブロック３４１０で、方法３４００は、無認可無線周波数スペクトル帯域を使用するキャリアを介して通信すること、キャリアが、複数のサブ−チャネルの少なくとも第１のサブセットを備え、第１のサブセットが、複数のサブ−チャネルのうちの少なくとも２つのサブ−チャネルを備える、を含み得る。ブロック３４１５で、方法３４００は、無認可無線周波数スペクトル帯域を使用する少なくとも１つの追加のキャリアを介して通信すること、少なくとも１つの追加のキャリアが、複数のサブ−チャネルの少なくとも第２のサブセットを備え、複数のサブ−チャネルの第１のサブセットと複数のサブ−チャネルの第２のサブセットとの各サブ−チャネルに関する送信電力が、無認可無線周波数スペクトル帯域に関する電力制約に少なくとも部分的に基づいて決定される、を含み得る。方法３４００は一実装形態にすぎず、方法３４００の動作は、他の実装形態が可能であるように再構成されるか、または場合によっては修正され得ることに留意されたい。
【０２４３】
[0280]図３５は、本開示の様々な態様による、ワイヤレス通信に関する方法３５００の一例を示すフローチャートである。明快のために、方法３５００は、図１および／もしくは図２に関して説明された基地局１０５、基地局２０５、基地局２０５−ａ、ＵＥ１１５、ＵＥ２１５、ＵＥ２１５−ａ、ＵＥ２１５−ｂ、および／もしくはＵＥ２１５−ｃのうちの１つもしくは複数の態様、ならびに／または、図９、図１０、図１１、図１２、図１３、図１４、図１５、図１６、図１７、図１８、図１９、図２０、図２１、および／もしくは図２２に関して説明された装置９０５、１００５、１１０５、１２０５、１３０５、１４０５、１５０５、１６０５、１７０５、１８０５、１９０５、２００５、２１０５、および／もしくは２２０５のうちの１つもしくは複数の態様に関して、以下で説明される。いくつかの例では、基地局、ＵＥ、および／または装置は、以下で説明される機能を実行するように、基地局、ＵＥ、および／または装置の機能要素を制御するためのコードの１つまたは複数のセットを実行し得る。
【０２４４】
[0281]ブロック３５０５で、方法３５００は、無認可無線周波数スペクトル帯域内の複数のサブ−チャネルを識別することを含み得る。ブロック３５１０で、方法３５００は、無認可無線周波数スペクトル帯域を使用するキャリアを介して通信すること、キャリアが、複数のサブ−チャネルの少なくとも第１のサブセットを備え、第１のサブセットが、複数のサブ−チャネルのうちの少なくとも２つのサブ−チャネルを備え、第１のサブセットの第１のサブ−チャネルが、第１の送信電力を割り振られ、第１のサブセットの少なくとも１つの第２のサブ−チャネルが、第２の送信電力を割り振られ、第１の送信電力が第２の送信電力とは異なる、を含み得る。方法３５００は一実装形態にすぎず、方法３５００の動作は、他の実装形態が可能であるように再構成されるか、または場合によっては修正され得ることに留意されたい。
【０２４５】
[0282]図３６は、本開示の様々な態様による、ワイヤレス通信に関する方法３６００の一例を示すフローチャートである。明快のために、方法３６００は、図１および／もしくは図２に関して説明された基地局１０５、基地局２０５、基地局２０５−ａ、ＵＥ１１５、ＵＥ２１５、ＵＥ２１５−ａ、ＵＥ２１５−ｂ、および／もしくはＵＥ２１５−ｃのうちの１つもしくは複数の態様、ならびに／または、図９、図１０、図１１、図１２、図１３、図１４、図１５、図１６、図１７、図１８、図１９、図２０、図２１、および／もしくは図２２に関して説明された装置９０５、１００５、１１０５、１２０５、１３０５、１４０５、１５０５、１６０５、１７０５、１８０５、１９０５、２００５、２１０５、および／もしくは２２０５のうちの１つもしくは複数の態様に関して、以下で説明される。いくつかの例では、基地局、ＵＥ、および／または装置は、以下で説明される機能を実行するように、基地局、ＵＥ、および／または装置の機能要素を制御するためのコードの１つまたは複数のセットを実行し得る。
【０２４６】
[0283]ブロック３６０５で、方法３６００は、無認可無線周波数スペクトル帯域内の複数のサブ−チャネルを識別することを含み得る。ブロック３６１０で、方法３６００は、シーケンスを生成することを含み得る。ブロック３６１５で、方法３６００は、無認可無線周波数スペクトル帯域を使用するキャリアを介して通信すること、キャリアが、複数のサブ−チャネルの少なくとも第１のサブセットを備え、第１のサブセットが、複数のサブ−チャネルのうちの少なくとも２つのサブ−チャネルを備える、を含み得る。方法３６００は一実装形態にすぎず、方法３６００の動作は、他の実装形態が可能であるように再構成されるか、または場合によっては修正され得ることに留意されたい。
【０２４７】
[0284]図３７は、本開示の様々な態様による、ワイヤレス通信に関する方法３７００の一例を示すフローチャートである。明快のために、方法３７００は、図１および／もしくは図２に関して説明された基地局１０５、基地局２０５、基地局２０５−ａ、ＵＥ１１５、ＵＥ２１５、ＵＥ２１５−ａ、ＵＥ２１５−ｂ、および／もしくはＵＥ２１５−ｃのうちの１つもしくは複数の態様、ならびに／または、図９、図１０、図１１、図１２、図１３、図１４、図１５、図１６、図１７、図１８、図１９、図２０、図２１、および／もしくは図２２に関して説明された装置９０５、１００５、１１０５、１２０５、１３０５、１４０５、１５０５、１６０５、１７０５、１８０５、１９０５、２００５、２１０５、および／もしくは２２０５のうちの１つもしくは複数の態様に関して、以下で説明される。いくつかの例では、基地局、ＵＥ、および／または装置は、以下で説明される機能を実行するように、基地局、ＵＥ、および／または装置の機能要素を制御するためのコードの１つまたは複数のセットを実行し得る。
【０２４８】
[0285]ブロック３７０５で、方法３７００は、無認可無線周波数スペクトル帯域内の複数のサブ−チャネルを識別することを含み得る。ブロック３７１０で、方法３７００は、複数のサブ−チャネルに関するシーケンスを生成することを含み得る。ブロック３７１５で、方法３７００は、複数のサブ−チャネルの第１のサブセット内のサブ−チャネルに少なくとも部分的に基づいて、シーケンスをパンクチャすること、第１のサブセットが、複数のサブ−チャネルのうちの少なくとも２つのサブ−チャネルを備える、を含み得る。ブロック３７２０で、方法３７００は、無認可無線周波数スペクトル帯域を使用するキャリアを介して通信すること、キャリアが、複数のサブ−チャネルの少なくとも第１のサブセットを備える、を含み得る。方法３７００は一実装形態にすぎず、方法３７００の動作は、他の実装形態が可能であるように再構成されるか、または場合によっては修正され得ることに留意されたい。
【０２４９】
[0286]図３８は、本開示の様々な態様による、ワイヤレス通信に関する方法３８００の一例を示すフローチャートである。明快のために、方法３８００は、図１および／もしくは図２に関して説明された基地局１０５、基地局２０５、基地局２０５−ａ、ＵＥ１１５、ＵＥ２１５、ＵＥ２１５−ａ、ＵＥ２１５−ｂ、および／もしくはＵＥ２１５−ｃのうちの１つもしくは複数の態様、ならびに／または、図９、図１０、図１１、図１２、図１３、図１４、図１５、図１６、図１７、図１８、図１９、図２０、図２１、および／もしくは図２２に関して説明された装置９０５、１００５、１１０５、１２０５、１３０５、１４０５、１５０５、１６０５、１７０５、１８０５、１９０５、２００５、２１０５、および／もしくは２２０５のうちの１つもしくは複数の態様に関して、以下で説明される。いくつかの例では、基地局、ＵＥ、および／または装置は、以下で説明される機能を実行するように、基地局、ＵＥ、および／または装置の機能要素を制御するためのコードの１つまたは複数のセットを実行し得る。
【０２５０】
[0287]ブロック３８０５で、方法３８００は、無認可無線周波数スペクトル帯域内の複数のサブ−チャネルを識別することを含み得る。ブロック３８１０で、方法３８００は、複数のサブ−チャネルの第１のサブセットに対応する複数のフィルタのサブセットを選択すること、第１のサブセットが、複数のサブ−チャネルのうちの少なくとも２つのサブ−チャネルを備える、を含み得る。ブロック３８１５で、方法３８００は、無認可無線周波数スペクトル帯域を使用するキャリアを介して通信すること、キャリアが、複数のサブ−チャネルの少なくとも第１のサブセットを備える、を含み得る。方法３８００は一実装形態にすぎず、方法３８００の動作は、他の実装形態が可能であるように再構成されるか、または場合によっては修正され得ることに留意されたい。
【０２５１】
[0288]添付の図面に関して上記に記載された発明を実施するための形態は、例について説明しており、実装され得るかまたは特許請求の範囲内に入る例のみを表すものではない。「例」および「例示的」という用語は、本明細書で使用されるとき、「例、事例、または例示として働く」ことを意味し、「好ましい」または「他の例よりも有利である」ことを意味するものではない。発明を実施するための形態は、説明される技法の理解をもたらすための具体的な詳細を含む。ただし、これらの技法は、これらの具体的な詳細なしに実施され得る。いくつかの事例では、説明された例の概念を不明瞭にすることを避けるために、よく知られている構造および装置がブロック図の形態で示されている。
【０２５２】
[0289]情報および信号は、様々な異なる技術および技法のいずれかを使用して表され得る。たとえば、上の説明全体にわたって言及され得るデータ、命令、コマンド、情報、信号、ビット、シンボル、およびチップは、電圧、電流、電磁波、磁場もしくは磁性粒子、光場もしくは光学粒子、またはそれらの任意の組合せによって表され得る。
【０２５３】
[0290]本明細書の開示に関して説明された様々な例示的なブロックおよび構成要素は、汎用プロセッサ、デジタル信号プロセッサ（ＤＳＰ）、ＡＳＩＣ、ＦＰＧＡまたは他のプログラマブル論理デバイス、個別ゲートまたはトランジスタ論理、個別ハードウェア構成要素、あるいは本明細書で説明された機能を実行するために設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、たとえばＤＳＰとマイクロプロセッサとの組合せ、複数のマイクロプロセッサ、ＤＳＰコアと連携する１つまたは複数のマイクロプロセッサ、あるいは任意の他のそのような構成としても実装され得る。
【０２５４】
[0291]本明細書で説明された機能は、ハードウェア、プロセッサによって実行されるソフトウェア、ファームウェア、またはそれらの任意の組合せで実装され得る。プロセッサによって実行されるソフトウェアで実装される場合、機能はコンピュータ可読媒体上に記憶されるか、またはコンピュータ可読媒体を介して１つまたは複数の命令もしくはコードとして送信され得る。他の例および実装形態が、本開示および添付の特許請求の範囲の範囲および趣旨内に入る。たとえば、ソフトウェアの性質により、上記で説明された機能は、プロセッサによって実行されるソフトウェア、ハードウェア、ファームウェア、ハードワイヤリング、またはこれらのうちのいずれかの組合せを使用して実装され得る。機能を実装する特徴はまた、異なる物理ロケーションにおいて機能の部分が実装されるように分散されることを含めて、様々な位置に物理的に配置され得る。特許請求の範囲を含めて、本明細書で使用される場合、２つ以上の項目の列挙中で使用されるとき、「および／または」という語は、列挙された項目のうちのいずれか１つが単独で採用され得ること、または列挙された項目のうちの２つ以上の任意の組合せが採用され得ることを意味する。たとえば、組成が、構成要素Ａ、Ｂ、および／またはＣを含んでいると記述されている場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【０２５５】
[0292]コンピュータ可読媒体は、ある場所から別の場所へのコンピュータプログラムの転送を容易にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、電気的消去可能プログラマブルＲＯＭ（ＥＥＰＲＯＭ（登録商標））、フラッシュメモリ、コンパクトディスクＲＯＭ（ＣＤ−ＲＯＭ）または他の光ディスクストレージ、磁気ディスクストレージまたは他の磁気ストレージデバイス、あるいは命令またはデータ構造の形態の所望されたプログラムコード手段を搬送または記憶するために使用され得、汎用もしくは専用コンピュータまたは汎用もしくは専用プロセッサによってアクセスされ得る、任意の他の媒体を備えることができる。さらに、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は媒体の定義に含まれる。本明細書で使用される場合、ディスク（disk）およびディスク（disc）は、ＣＤ、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれる。
【０２５６】
[0293]本開示についての以上の説明は、当業者が本開示を作成または使用することができるように提供されたものである。本開示への様々な修正は当業者には容易に明らかとなり、本明細書で定義される一般原理は、本開示の範囲から逸脱することなく他の変形形態に適用され得る。したがって、本開示は、本明細書で説明された例および設計に限定されるべきでなく、本明細書で開示された原理および新規の特徴に一致する最も広い範囲を与えられるべきである。
以下に、本願の出願当初の特許請求の範囲に記載された発明を付記する。
［Ｃ１］
ワイヤレス通信に関する方法であって、
無認可無線周波数スペクトル帯域内の複数のサブ−チャネルを識別することと、
前記無認可無線周波数スペクトル帯域を使用するキャリアを介して通信することと、前記キャリアは前記複数のサブ−チャネルの少なくとも第１のサブセットを備え、および前記第１のサブセットは前記複数のサブ−チャネルのうちの少なくとも２つのサブ−チャネルを備える、を備える方法。
［Ｃ２］
楽観的ＣＣＡしきい値に少なくとも部分的に基づいて、前記複数のサブ−チャネル上で第１のクリア  チャネル  アセスメント（ＣＣＡ）を実行することと、
前記第１のＣＣＡに少なくとも部分的に基づいて、複数の潜在的サブ−チャネルを決定することと、前記複数の潜在的サブ−チャネルが、前記複数のサブ−チャネルの少なくとも第２のサブセットを備える、をさらに備える、Ｃ１に記載の方法。
［Ｃ３］
再分配ＣＣＡしきい値に少なくとも部分的に基づいて、前記複数の潜在的サブ−チャネル上で第２のＣＣＡを実行することと、
前記第２のＣＣＡに少なくとも部分的に基づいて、複数のクリア  サブ−チャネルを決定することと、ここにおいて、前記キャリアが前記複数のクリア  サブ−チャネルを備える、をさらに備える、Ｃ２に記載の方法。
［Ｃ４］
前記楽観的ＣＣＡしきい値が、前記複数のサブ−チャネルを介した送信に関する電力制約に少なくとも部分的に基づく、Ｃ２に記載の方法。
［Ｃ５］
前記再分配ＣＣＡしきい値が、前記複数のサブ−チャネルの前記少なくとも第２のサブセットを介した送信に関する電力制約に少なくとも部分的に基づく、Ｃ３に記載の方法。
［Ｃ６］
前記第２のＣＣＡが、前記複数の潜在的サブ−チャネルに関するＣＣＡカウントダウン
スロットを備え、およびここにおいて、前記複数のクリア  サブ−チャネルを介した通信は、前記ＣＣＡカウントダウン  スロットが超えられるまで遅延される、Ｃ３に記載の方法。
［Ｃ７］
前記第２のＣＣＡは、前記複数の潜在的サブ−チャネルにわたるエネルギーの合計を測定する、単一のジョイントＣＣＡである、Ｃ３に記載の方法。
［Ｃ８］
前記複数のサブ−チャネルの前記第１のサブセットのリソースは、１つの論理グループとしてアドレス指定される、Ｃ１に記載の方法。
［Ｃ９］
前記複数のサブ−チャネルの前記第１のサブセットは、第１のサブ−チャネルおよび少なくとも１つの第２のサブ−チャネルを備え、前記第１のサブ−チャネルが、前記少なくとも１つの第２のサブ−チャネルに隣接していない、Ｃ８に記載の方法。
［Ｃ１０］
前記リソースが複数のリソースブロック（ＲＢ）を備える、Ｃ８に記載の方法。
［Ｃ１１］
前記複数のＲＢが、少なくとも１つの拡張物理ダウンリンク制御チャネル（ｅＰＤＣＣＨ）を使用して割り当てられ、前記少なくとも１つのｅＰＤＣＣＨが、前記複数のサブ−チャネルの前記第１のサブセットにわたってＲＢを割り当てる、Ｃ１０に記載の方法。    
［Ｃ１２］
前記複数のＲＢが、前記複数のサブ−チャネルの前記第１のサブセットにわたって連続している、Ｃ１０に記載の方法。
［Ｃ１３］
前記複数のサブ−チャネルの前記第１のサブセットは、第１のサブ−チャネルおよび少なくとも１つの第２のサブ−チャネルを備え、前記第１のサブ−チャネルは、前記少なくとも１つの第２のサブ−チャネルに隣接していない、Ｃ１２に記載の方法。
［Ｃ１４］
物理アップリンク制御チャネル（ＰＵＣＣＨ）を決定すること、前記ＰＵＣＣＨが前記複数のサブ−チャネルの前記第１のサブセットに関するチャネル品質インジケータ（ＣＱＩ）を備える、をさらに備える、Ｃ１に記載の方法。
［Ｃ１５］
少なくとも１つの拡張物理ダウンリンク制御チャネル（ｅＰＤＣＣＨ）を決定すること、前記少なくとも１つのｅＰＤＣＣＨが、前記複数のサブ−チャネルの前記第１のサブセットをアドレス指定する、をさらに備える、Ｃ１に記載の方法。
［Ｃ１６］
前記少なくとも１つのｅＰＤＣＣＨが、少なくとも２つのトランスポートブロック（ＴＢ）を備える、Ｃ１５に記載の方法。
［Ｃ１７］
前記少なくとも２つのＴＢのうちの各ＴＢが、前記複数のサブ−チャネルの前記第１のサブセットに広がる、Ｃ１６に記載の方法。
［Ｃ１８］
前記少なくとも２つのＴＢのうちの各ＴＢのサイズは、前記複数のサブ−チャネルの前記第１のサブセット内のサブ−チャネルの数に少なくとも部分的に基づく、Ｃ１６に記載の方法。
［Ｃ１９］
前記少なくとも１つのｅＰＤＣＣＨのペイロードサイズは、前記キャリアの帯域幅に少なくとも部分的に基づく、Ｃ１５に記載の方法。
［Ｃ２０］
変調およびコーディング方式（ＭＣＳ）は、前記複数のサブ−チャネルの前記第１のサブセットのうちの各サブ−チャネルに関して同じである、Ｃ１５に記載の方法。
［Ｃ２１］
前記ｅＰＤＣＣＨに関する肯定応答／否定応答（ＡＣＫ／ＮＡＣＫ）は、２ビットを備える、Ｃ１５に記載の方法。
［Ｃ２２］
リソースブロック（ＲＢ）割振りに関する前記ｅＰＤＣＣＨ内のビット数は、前記キャリアの帯域幅及びＲＢグループ（ＲＢＧ）のサイズに少なくとも部分的に基づき、ここにおいて、前記ＲＢＧサイズは、クリア  チャネル  アセスメント（ＣＣＡ）に少なくとも部分的に基づいて決定される、Ｃ１５に記載の方法。
［Ｃ２３］
複数の拡張物理ダウンリンク制御チャネル（ｅＰＤＣＣＨ）を決定すること、前記複数のｅＰＤＣＣＨは、前記複数のサブ−チャネルの前記第１のサブセットをアドレス指定する、をさらに備える、Ｃ１に記載の方法。
［Ｃ２４］
前記複数のｅＰＤＣＣＨ内の前記ｅＰＤＣＣＨの各々は、複数のリソースブロック（ＲＢ）のセグメントをアドレス指定するＰＤＣＣＨ識別情報（ＩＤ）を備える、Ｃ２３に記載の方法。
［Ｃ２５］
複数のＲＢの第１のセグメントは、第１のＰＤＣＣＨ  ＩＤによってアドレス指定され、複数のＲＢの第２のセグメントは、第２のＰＤＣＣＨ  ＩＤによってアドレス指定される、Ｃ２４に記載の方法。
［Ｃ２６］
前記複数のｅＰＤＣＣＨの各ｅＰＤＣＣＨは、ダウンリンク制御情報（ＤＣＩ）を備え、および前記ＤＣＩは、前記ＰＤＣＣＨ  ＩＤを備える、Ｃ２４に記載の方法。
［Ｃ２７］
前記複数のｅＰＤＣＣＨ中のｅＰＤＣＣＨの最大数は、前記キャリアの帯域幅に少なくとも部分的に基づく、Ｃ２３に記載の方法。
［Ｃ２８］
前記複数のｅＰＤＣＣＨ中のｅＰＤＣＣＨの前記最大数は、サブ−チャネルの帯域幅で除算された前記キャリアの前記帯域幅に少なくとも部分的に基づく、Ｃ２７に記載の方法。
［Ｃ２９］
前記複数のｅＰＤＣＣＨ中のｅＰＤＣＣＨの前記最大数は、無線リソース制御（ＲＲＣ）信号によってシグナリングされる、Ｃ２７に記載の方法。
［Ｃ３０］
前記複数のｅＰＤＣＣＨ中のｅＰＤＣＣＨの数は、ｅＰＤＣＣＨ負荷及びセル負荷とに少なくとも部分的に基づいて調整される、Ｃ２３に記載の方法。
［Ｃ３１］
前記複数のｅＰＤＣＣＨ中のｅＰＤＣＣＨの最大数は、媒体アクセス制御（ＭＡＣ）シグナリング、拡張システム情報ブロック（ｅＳＩＢ）、またはそれらの組合せのうちの少なくとも１つを使用して調整される、Ｃ２３に記載の方法。
［Ｃ３２］
複数のＲＢの前記グループのサイズは、ｅＰＤＣＣＨ負荷及びセル負荷に少なくとも部分的に基づいて調整される、Ｃ２４に記載の方法。
［Ｃ３３］
前記複数のｅＰＤＣＣＨのうちの各ｅＰＤＣＣＨは、ハイブリッド自動再要求（ＨＡＲＱ）プロセスに対応するデータを備える、Ｃ２３に記載の方法。
［Ｃ３４］
前記ＤＣＩのサイズは、前記キャリアの帯域幅およびリソースブロックグループ（ＲＢＧ）サイズとに少なくとも部分的に基づき、および前記ＲＢＧサイズは、クリア  チャネル  アセスメント（ＣＣＡ）に少なくとも部分的に基づく、Ｃ２６に記載の方法。
［Ｃ３５］
前記複数のｅＰＤＣＣＨのうちの各ｅＰＤＣＣＨは、許可識別情報（ＩＤ）およびキャリア  インジケータ  フィールド（ＣＩＦ）を備える、Ｃ２３に記載の方法。
［Ｃ３６］
前記複数のｅＰＤＣＣＨは、キャリア  インジケータ  フィールド（ＣＩＦ）の探索空間内に配置される、Ｃ２３に記載の方法。
［Ｃ３７］
前記探索空間は、許可識別情報（ＩＤ）および前記ＣＩＦに少なくとも部分的に基づく、Ｃ３６に記載の方法。
［Ｃ３８］
前記複数のｅＰＤＣＣＨは、複数のセル無線ネットワーク一時識別子（Ｃ−ＲＮＴＩ）によってスクランブルされる、Ｃ２３に記載の方法。
［Ｃ３９］
複数のアップリンク肯定応答（ＡＣＫ）は、数ｅＰＤＣＣＨ許可及び前記複数のｅＰＤＣＣＨ中の各ｅＰＤＣＣＨ中の複数のトランスポートブロック（ＴＢ）の数とに少なくとも部分的に基づく、Ｃ２３に記載の方法。
［Ｃ４０］
前記複数のアップリンクＡＣＫは、許可識別情報（ＩＤ）およびキャリア  インジケータ  フィールド（ＣＩＦ）に少なくとも部分的に基づいて多重化される、Ｃ３９に記載の方法。
［Ｃ４１］
複数の前記アップリンクＡＣＫは、ＴＢ識別情報（ＩＤ）、許可識別情報（ＩＤ）、およびキャリア  インジケータ  フィールド（ＣＩＦ）とに少なくとも部分的に基づいて多重化される、Ｃ３９に記載の方法。
［Ｃ４２］
キャリアマップを決定することと、前記キャリアマップは、前記キャリアおよび前記複数のサブ−チャネルの前記第１のサブセットを識別する、
ユーザ機器（ＵＥ）に前記キャリアマップを通信することとをさらに備える、Ｃ１に記載の方法。
［Ｃ４３］
前記キャリアマップは、無線リソース制御（ＲＲＣ）信号によって前記ＵＥに通信される、Ｃ４２に記載の方法。
［Ｃ４４］
前記キャリアマップは、前記複数のサブ−チャネルの少なくとも１つの追加のサブセットを識別する、Ｃ４２に記載の方法。
［Ｃ４５］
前記キャリアマップは、少なくとも１つのＵＥのマスクを備え、前記少なくとも１つのＵＥのマスクは、前記ＵＥがダウンリンク（ＤＬ）データに関して監視するための、前記複数のサブ−チャネルのうちの少なくとも１つのサブ−チャネルを識別する、Ｃ４２に記載の方法。
［Ｃ４６］
クリア  チャネル  アセスメント（ＣＣＡ）の結果を決定することと、および
前記ＵＥに前記ＣＣＡの結果を通信することとをさらに備える、Ｃ４５に記載の方法。
［Ｃ４７］
認可無線周波数スペクトル帯域を使用する前記キャリアを介して、前記ＣＣＡの結果をブロードキャストすることによって、前記ＣＣＡの結果は前記ＵＥに通信される、Ｃ４６に記載の方法。
［Ｃ４８］
前記ＣＣＡの結果は、前記無認可無線周波数スペクトル帯域を使用する前記キャリアを介して前記ＣＣＡの結果をブロードキャストすることによって、ＣＣＡの結果前記ＵＥに通信される、Ｃ４６に記載の方法。
［Ｃ４９］
前記ＣＣＡの結果は、修正された無線ネットワーク一時識別子（ＲＮＴＩ）を備えるダウンリンク制御情報（ＤＣＩ）中で前記ＵＥに通信される、Ｃ４６に記載の方法。
［Ｃ５０］
前記ＣＣＡの結果は、チャネル使用ビーコン信号（ＣＵＢＳ）で前記ＵＥに通信される、Ｃ４６に記載の方法。
［Ｃ５１］
前記ＣＣＡの結果は、通信のために利用可能な前記複数のサブ−チャネルのうちの少なくとも１つのサブ−チャネルを識別する、Ｃ４６に記載の方法。
［Ｃ５２］
前記少なくとも１つのＵＥのマスクと前記ＣＣＡの結果とに少なくとも部分的に基づいて、前記複数のサブ−チャネルのうちの少なくとも１つの利用可能なサブ−チャネルを決定することをさらに備える、Ｃ５１に記載の方法。
［Ｃ５３］
前記少なくとも１つの利用可能なサブ−チャネルは、前記少なくとも１つのＵＥのマスクと前記ＣＣＡの結果とを組み合わせることによって決定されるＣ５２に記載の方法。
［Ｃ５４］
１つのＵＥのマスクによって識別される前記複数のサブ−チャネルのうちの前記少なくとも１つのサブ−チャネルが、動的に変動される、Ｃ４５に記載の方法。    
［Ｃ５５］
前記少なくとも１つのＵＥのマスクの前記動的変動が、媒体アクセス制御（ＭＡＣ）シグナリングに少なくとも部分的に基づく、Ｃ５４に記載の方法。
［Ｃ５６］
前記少なくとも１つのＵＥのマスクの前記動的変動が、システムフレーム番号（ＳＦＮ）シグナリングに少なくとも部分的に基づく、Ｃ５４に記載の方法。
［Ｃ５７］
前記キャリアを介して、クリア  チャネル  アセスメント免除送信（ＣＥＴ）を通信することをさらに備える、Ｃ１に記載の方法。
［Ｃ５８］
前記ＣＥＴが、前記複数のサブ−チャネルの前記第１のサブセットのうちの各サブ−チャネル上で反復される、Ｃ５７に記載の方法。
［Ｃ５９］
前記ＣＥＴが、前記キャリアの帯域幅に広がる、Ｃ５７に記載の方法。
［Ｃ６０］
前記ＣＥＴが、前記複数のサブ−チャネルの前記第１のサブセットのうちの各サブ−チャネル上で同時に反復される、Ｃ５８に記載の方法。
［Ｃ６１］
前記ＣＥＴが、前記複数のサブ−チャネルの前記第１のサブセットのうちの各サブ−チャネル上で異なる時間に反復される、Ｃ５８に記載の方法。
［Ｃ６２］
前記無認可無線周波数スペクトル帯域を使用する少なくとも１つの追加のキャリアを介して通信すること、前記少なくとも１つの追加のキャリアは、前記複数のサブ−チャネルの少なくとも第２のサブセットを備える、をさらに備え、
ここにおいて、前記複数のサブ−チャネルの前記第２のサブセットと、前記複数のサブ−チャネルの前記第１のサブセットの各サブ−チャネルに関する送信電力が、前記無認可無線周波数スペクトル帯域に関する電力制約に少なくとも部分的に基づいて決定される、Ｃ１に記載の方法。
［Ｃ６３］
各サブ−チャネルに関する前記送信電力は、前記第２のサブセットのサブ−チャネルの数と前記複数のサブ−チャネルの前記第１のサブセットのサブ−チャネルの数とに少なくとも部分的に基づく、Ｃ６２に記載の方法。
［Ｃ６４］
前記複数のサブ−チャネルの前記第１のサブセットの第１のサブ−チャネルは第１の送信電力を割り振られ、および前記複数のサブ−チャネルの前記第１のサブセットの少なくとも１つの第２のサブ−チャネルは第２の送信電力を割り振られ、前記第１の送信電力は前記第２の送信電力とは異なる、Ｃ１に記載の方法。
［Ｃ６５］
前記第１の送信電力および前記第２の送信電力は、あらかじめ定義された複数の値である、Ｃ６４に記載の方法。
［Ｃ６６］
クリア  チャネル  アセスメント免除送信（ＣＥＴ）は、前記あらかじめ定義された複数の値を備える、Ｃ６５に記載の方法。
［Ｃ６７］
前記第１の送信電力および前記第２の送信電力は、前記第１のサブ−チャネルおよび前記少なくとも１つの第２のサブ−チャネルに関する所望されたカバレージエリアに少なくとも部分的に基づく、Ｃ６４に記載の方法。
［Ｃ６８］
前記第１の送信電力および前記第２の送信電力は、前記第１のサブ−チャネルおよび前記少なくとも１つの第２のサブ−チャネルに関する所望された容量に少なくとも部分的に基づく、Ｃ６４に記載の方法。
［Ｃ６９］
前記第１の送信電力および前記第２の送信電力は、前記複数のサブ−チャネルの前記第１のサブセット内のサブ−チャネルの数に少なくとも部分的に基づく、Ｃ６４に記載の方法。
［Ｃ７０］
前記第１のサブ−チャネル上で第１の基準信号を送信することと、
前記少なくとも１つの第２のサブ−チャネル上で第２の基準信号を送信することと、ここにおいて、前記第１の基準信号に関する送信電力は、前記第２の基準信号に関する送信電力と同じである、をさらに備える、Ｃ６４に記載の方法。
［Ｃ７１］
前記第１の基準信号および前記第２の基準信号は、拡張共通基準信号（ｅＣＲＳ’s）を備える、Ｃ７０に記載の方法。
［Ｃ７２］
前記第１の基準信号および前記第２の基準信号は、チャネル状態情報基準信号（ＣＳＩ−ＲＳ’s）を備える、Ｃ７０に記載の方法。
［Ｃ７３］
前記第１の基準信号および前記第２の基準信号に関する前記送信電力は固定値である、Ｃ７０に記載の方法。
［Ｃ７４］
前記複数のサブ−チャネルに関するシーケンスを生成することと、
前記複数のサブ−チャネルの前記第１のサブセット内の前記サブ−チャネルに少なくとも部分的に基づいて、前記シーケンスをパンクチャすることと、ここにおいて、前記シーケンスは、前記複数のサブ−チャネルの前記第１のサブセットのうちの各サブ−チャネル上で反復される、をさらに備える、Ｃ１に記載の方法。
［Ｃ７５］
いくつかのリソースブロック（ＲＢs）は、前記シーケンス生成において使用され、前記ＲＢの数が、前記キャリアの帯域幅に少なくとも部分的に基づく、Ｃ７４に記載の方法。    
［Ｃ７６］
前記複数のサブ−チャネルの前記第１のサブセット内の前記サブ−チャネルは、少なくとも部分的にクリア  チャネル  アセスメント（ＣＣＡ）の結果によって決定される、Ｃ７４に記載の方法。
［Ｃ７７］
前記シーケンスは、復調基準信号（ＤＭ−ＲＳ）、拡張共通基準信号（ｅＣＲＳ）、チャネル使用ビーコン信号（ＣＵＢＳ）、またはチャネル状態情報基準信号（ＣＳＩ−ＲＳ）のうちの少なくとも１つを備える、Ｃ７４に記載の方法。
［Ｃ７８］
前記複数のサブ−チャネルの前記第１のサブセットに対応する複数のフィルタのサブセットを選択すること、ここにおいて、前記複数のフィルタの前記選択されたサブセットは、前記キャリアの帯域幅に広がる、をさらに備える、Ｃ１に記載の方法。
［Ｃ７９］
前記複数のサブ−チャネルの前記第１のサブセットは、第１のサブ−チャネルと少なくとも１つの第２のサブ−チャネルとを備え、前記第１のサブ−チャネルは、前記少なくとも１つの第２のサブ−チャネルに隣接していない、Ｃ７８に記載の方法。
［Ｃ８０］
前記複数のフィルタの前記選択されたサブセット内の少なくとも１つのフィルタは、２つのサブ−チャネル間の少なくとも１つのガード  バンドに広がる、Ｃ７８に記載の方法。    
［Ｃ８１］
ワイヤレス通信に関する装置であって、
プロセッサと、
前記プロセッサと電子通信しているメモリと、
前記メモリに記憶された命令と、前記命令は、    無認可無線周波数スペクトル帯域内の複数のサブ−チャネルを識別することと、
前記無認可無線周波数スペクトル帯域を使用するキャリアを介して通信することと、前記キャリアは、前記複数のサブ−チャネルの少なくとも第１のサブセットを備え、および前記第１のサブセットは、前記複数のサブ−チャネルのうちの少なくとも２つのサブ−チャネルを備える、を行うために前記プロセッサによって実行可能である、を備える装置。
［Ｃ８２］
前記命令は、
楽観的ＣＣＡしきい値に少なくとも部分的に基づいて、前記複数のサブ−チャネル上で第１のクリア  チャネル  アセスメント（ＣＣＡ）を実行することと、
前記第１のＣＣＡに少なくとも部分的に基づいて、複数の潜在的サブ−チャネルを決定することと、前記複数の潜在的サブ−チャネルは、前記複数のサブ−チャネルの少なくとも第２のサブセットを備える、を行うために前記プロセッサによって実行可能である、Ｃ８１に記載の装置。
［Ｃ８３］
前記命令は、
再分配ＣＣＡしきい値に少なくとも部分的に基づいて、前記複数の潜在的サブ−チャネル上で第２のＣＣＡを実行することと、
前記第２のＣＣＡに少なくとも部分的に基づいて、複数のクリア  サブ−チャネルを決定することと、ここにおいて、前記キャリアは前記複数のクリア  サブ−チャネルを備える、を行うために前記プロセッサによって実行可能である、Ｃ８２に記載の装置。
［Ｃ８４］
前記複数のサブ−チャネルの前記第１のサブセットのリソースは、１つの論理グループとしてアドレス指定される、Ｃ８１に記載の装置。
［Ｃ８５］
前記複数のサブ−チャネルの前記第１のサブセットは、第１のサブ−チャネルと少なくとも１つの第２のサブ−チャネルとを備え、前記第１のサブ−チャネルは、前記少なくとも１つの第２のサブ−チャネルに隣接していない、Ｃ８４に記載の装置。
［Ｃ８６］
前記命令は、
物理アップリンク制御チャネル（ＰＵＣＣＨ）を決定すること、前記ＰＵＣＣＨは、前記複数のサブ−チャネルの前記第１のサブセットに関するチャネル品質インジケータ（ＣＱＩ）を備える、を行うために前記プロセッサによって実行可能である、Ｃ８１に記載の装置。
［Ｃ８７］
前記命令は、
少なくとも１つの拡張物理ダウンリンク制御チャネル（ｅＰＤＣＣＨ）を決定すること、前記少なくとも１つのｅＰＤＣＣＨは、前記複数のサブ−チャネルの前記第１のサブセットにアドレスする、を行うために前記プロセッサによって実行可能である、Ｃ８１に記載の装置。
［Ｃ８８］
前記命令は、
複数の拡張物理ダウンリンク制御チャネル（ｅＰＤＣＣＨ）を決定すること、前記複数のｅＰＤＣＣＨsは、前記複数のサブ−チャネルの前記第１のサブセットにアドレスする、を行うために前記プロセッサによって実行可能である、Ｃ８１に記載の装置。
［Ｃ８９］
前記複数のｅＰＤＣＣＨs内の前記ｅＰＤＣＣＨsの各々は、リソースブロック（ＲＢs）のセグメントにアドレスするＰＤＣＣＨ識別情報（ＩＤ）を備える、Ｃ８８に記載の装置。
［Ｃ９０］
前記命令は、
キャリアマップを決定することと、前記キャリアマップは、前記複数のサブ−チャネルの前記第１のサブセットと前記キャリアとを識別する、
ＵＥに前記キャリアマップを通信することとを行うために前記プロセッサによって実行可能である、Ｃ８１に記載の装置。
［Ｃ９１］
前記キャリアマップは、少なくとも１つのＵＥのマスクを備え、前記少なくとも１つのＵＥのマスクは、前記ＵＥがダウンリンク（ＤＬ）データに関して監視するための前記複数のサブ−チャネルのうちの少なくとも１つのサブ−チャネルを識別する、Ｃ９０に記載の装置。
［Ｃ９２］
前記命令は、
前記キャリアを介して、クリア  チャネル  アセスメント免除送信（ＣＥＴ）を通信することを行うために、前記プロセッサによって実行可能である、Ｃ８１に記載の装置。
［Ｃ９３］
前記ＣＥＴは、前記複数のサブ−チャネルの前記第１のサブセットのうちの各サブ−チャネル上で異なる時間に反復される、Ｃ９１に記載の装置。
［Ｃ９４］
前記命令は、
前記無認可無線周波数スペクトル帯域を使用する少なくとも１つの追加のキャリアを介して通信すること、前記少なくとも１つの追加のキャリアは、前記複数のサブ−チャネルの少なくとも第２のサブセットを備える、を行うために前記プロセッサによって実行可能であり、
ここにおいて、前記複数のサブ−チャネルの前記第１のサブセットと前記複数のサブ−チャネルの前記第２のサブセットとの各サブ−チャネルに関する送信電力が、前記無認可無線周波数スペクトル帯域に関する電力制約に少なくとも部分的に基づいて決定される、Ｃ８１に記載の装置。
［Ｃ９５］
前記複数のサブ−チャネルの前記第１のサブセットの第１のサブ−チャネルは、第１の送信電力を割り振られ、および前記複数のサブ−チャネルの前記第１のサブセットの少なくとも１つの第２のサブ−チャネルは、第２の送信電力を割り振られ、前記第１の送信電力は前記第２の送信電力とは異なる、Ｃ８１に記載の装置。
［Ｃ９６］
前記命令は、
前記第１のサブ−チャネル上で第１の基準信号を送信することと、
前記少なくとも１つの第２のサブ−チャネル上で第２の基準信号を送信することと、ここにおいて、前記第１の基準信号に関する送信電力は、前記第２の基準信号に関する送信電力と同じである、を行うために前記プロセッサによって実行可能である、Ｃ９５に記載の装置。
［Ｃ９７］
前記命令は、
前記複数のサブ−チャネルに関するシーケンスを生成することと、
前記複数のサブ−チャネルの前記第１のサブセット内の前記複数のサブ−チャネルに少なくとも部分的に基づいて、前記シーケンスをパンクチャすることと、ここにおいて、前記シーケンスは、前記複数のサブ−チャネルの前記第１のサブセットのうちの各サブ−チャネル上で反復される、を行うために前記プロセッサによって実行可能である、Ｃ８１に記載の装置。
［Ｃ９８］
前記シーケンスは、前記複数のサブ−チャネルの前記第１のサブセットのうちの各サブ−チャネル上で反復される、Ｃ９７に記載の装置。
［Ｃ９９］
前記命令は、
前記複数のサブ−チャネルの前記第１のサブセットに対応する複数のフィルタのサブセットを選択すること、ここにおいて、前記複数のフィルタの前記選択されたサブセット内の少なくとも１つのフィルタは、２つのサブ−チャネル間の少なくとも１つのガード  バンドに広がる、を行うために前記プロセッサによって実行可能である、Ｃ８１に記載の装置。
［Ｃ１００］
ワイヤレス通信に関する装置であって、
無認可無線周波数スペクトル帯域内の複数のサブ−チャネルを識別するための手段と、
前記無認可無線周波数スペクトル帯域を使用するキャリアを介して通信するための手段と、前記キャリアは、前記複数のサブ−チャネルの少なくとも第１のサブセットを備え、および前記第１のサブセットは、前記複数のサブ−チャネルのうちの少なくとも２つのサブ−チャネルを備える、を備える装置。
［Ｃ１０１］
楽観的ＣＣＡしきい値に少なくとも部分的に基づいて、前記複数のサブ−チャネル上で第１のクリア  チャネル  アセスメント（ＣＣＡ）を実行するための手段と、
前記第１のＣＣＡに少なくとも部分的に基づいて、複数の潜在的サブ−チャネルを決定するための手段と、前記複数の潜在的サブ−チャネルは、前記複数のサブ−チャネルの少なくとも第２のサブセットを備える、をさらに備える、Ｃ１００に記載の装置。
［Ｃ１０２］
再分配ＣＣＡしきい値に少なくとも部分的に基づいて、前記複数の潜在的サブ−チャネル上で第２のＣＣＡを実行するための手段と、
前記第２のＣＣＡに少なくとも部分的に基づいて、複数のクリア  サブ−チャネルを決定するための手段と、ここにおいて、前記キャリアが前記複数のクリア  サブ−チャネルを備える、をさらに備える、Ｃ１０１に記載の装置。
［Ｃ１０３］
前記複数のサブ−チャネルの前記第１のサブセットのリソースが、１つの論理グループとしてアドレス指定され、ここにおいて、前記複数のサブ−チャネルの前記第１のサブセットは、第１のサブ−チャネルと少なくとも１つの第２のサブ−チャネルとを備え、前記第１のサブ−チャネルは、前記少なくとも１つの第２のサブ−チャネルに隣接していない、Ｃ１００に記載の装置。
［Ｃ１０４］
物理アップリンク制御チャネル（ＰＵＣＣＨ）を決定するための手段、前記ＰＵＣＣＨは前記複数のサブ−チャネルの前記第１のサブセットに関するチャネル品質インジケータ（ＣＱＩ）を備えるをさらに備える、Ｃ１００に記載の装置。
［Ｃ１０５］
少なくとも１つの拡張物理ダウンリンク制御チャネル（ｅＰＤＣＣＨ）を決定するための手段、前記少なくとも１つのｅＰＤＣＣＨは前記複数のサブ−チャネルの前記第１のサブセットをアドレス指定する、をさらに備える、Ｃ１００に記載の装置。
［Ｃ１０６］
複数の拡張物理ダウンリンク制御チャネル（ｅＰＤＣＣＨ）を決定するための手段、前記複数のｅＰＤＣＣＨが、前記複数のサブ−チャネルの前記第１のサブセットをアドレス指定し、ここにおいて、前記複数のｅＰＤＣＣＨ内の前記ｅＰＤＣＣＨの各々はリソースブロック（ＲＢ）のセグメントをアドレス指定するＰＤＣＣＨ識別情報（ＩＤ）を備える、をさらに備える、Ｃ１００に記載の装置。
［Ｃ１０７］
キャリアマップを決定するための手段、前記キャリアマップは前記キャリアと前記複数のサブ−チャネルの前記第１のサブセットとを識別する、ここにおいて、前記キャリアマップは少なくとも１つのユーザ機器（ＵＥ）マスクを備え、前記少なくとも１つのＵＥのマスクは前記ＵＥがダウンリンク（ＤＬ）データに関して監視するための、前記複数のサブ−チャネルのうちの少なくとも１つのサブ−チャネルを識別する、
ＵＥに前記キャリアマップを通信するための手段、をさらに備える、Ｃ１００に記載の装置。
［Ｃ１０８］
前記キャリアを介して、クリア  チャネル  アセスメント免除送信（ＣＥＴ）を通信するための手段、ここにおいて、前記ＣＥＴは前記複数のサブ−チャネルの前記第１のサブセットのうちの各サブ−チャネル上で異なる時間に反復される、をさらに備える、Ｃ１００に記載の装置。
［Ｃ１０９］
前記無認可無線周波数スペクトル帯域を使用する少なくとも１つの追加のキャリアを介して通信するための手段、前記少なくとも１つの追加のキャリアは前記複数のサブ−チャネルの少なくとも第２のサブセットを備える、およびここにおいて、前記複数のサブ−チャネルの前記第１のサブセットと前記複数のサブ−チャネルの前記第２のサブセットとの各サブ−チャネルに関する送信電力は前記無認可無線周波数スペクトル帯域に関する電力制約に少なくとも部分的に基づいて決定される、Ｃ１００に記載の装置。
［Ｃ１１０］
前記複数のサブ−チャネルの前記第１のサブセットの第１のサブ−チャネルは第１の送信電力を割り振られ、および前記複数のサブ−チャネルの前記第１のサブセットの少なくとも１つの第２のサブ−チャネルは第２の送信電力を割り振られ、前記第１の送信電力は前記第２の送信電力とは異なる、Ｃ１００に記載の装置。
［Ｃ１１１］
ワイヤレス通信に関するコンピュータ実行可能コードを記憶する非一時的コンピュータ可読媒体であって、前記コードは、
無認可無線周波数スペクトル帯域内の複数のサブ−チャネルを識別すること、
前記無認可無線周波数スペクトル帯域を使用するキャリアを介して通信すること、前記キャリアは前記複数のサブ−チャネルの少なくとも第１のサブセットを備え、および前記第１のサブセットは前記複数のサブ−チャネルのうちの少なくとも２つのサブ−チャネルを備える、を行うためにプロセッサによって実行可能である。
［Ｃ１１２］
Ｃ１１１の非一時的コンピュータ可読媒体であって、前記コードは、
楽観的ＣＣＡしきい値に少なくとも部分的に基づいて前記複数のサブ−チャネル上で第１のクリア  チャネル  アセスメント（ＣＣＡ）を実行すること、
前記第１のＣＣＡに少なくとも部分的に基づいて、複数の潜在的サブ−チャネルを決定すること、前記複数の潜在的サブ−チャネルは前記複数のサブ−チャネルの少なくとも第２のサブセットを備える、
再分配ＣＣＡしきい値に少なくとも部分的に基づいて、前記複数の潜在的サブ−チャネル上で第２のＣＣＡを実行すること、
前記第２のＣＣＡに少なくとも部分的に基づいて、複数のクリア  サブ−チャネルを決定することと、ここにおいて、前記キャリアは前記複数のクリア  サブ−チャネルを備える、を行うために前記プロセッサによって実行可能である、上記非一時的コンピュータ可読媒体。
［Ｃ１１３］
Ｃ１１１の非一時的コンピュータ読み出し可能な媒体であって、前記コードは、
物理アップリンク制御チャネル（ＰＵＣＣＨ）を決定すること、前記ＰＵＣＣＨは前記複数のサブ−チャネルの前記第１のサブセットに関するチャネル品質インジケータ（ＣＱＩ）を備える、を行うために前記プロセッサによって実行可能である、上記非一時的コンピュータ可読媒体。
［Ｃ１１４］
Ｃ１１１の非一時的コンピュータ読み出し可能な媒体であって、前記コードは、
少なくとも１つの拡張物理ダウンリンク制御チャネル（ｅＰＤＣＣＨ）を決定すること、前記少なくとも１つのｅＰＤＣＣＨは前記複数のサブ−チャネルの前記第１のサブセットをアドレス指定する、を行うために前記プロセッサによって実行可能である、上記非一時的コンピュータ可読媒体。
［Ｃ１１５］
Ｃ１１１の非一時的コンピュータ読み出し可能な媒体であって、
前記コードは、
複数の拡張物理ダウンリンク制御チャネル（ｅＰＤＣＣＨ）を決定すること、前記複数のｅＰＤＣＣＨは前記複数のサブ−チャネルの前記第１のサブセットをアドレス指定し、および前記複数のｅＰＤＣＣＨ内の前記ｅＰＤＣＣＨの各々はリソースブロック（ＲＢ）のセグメントをアドレス指定するＰＤＣＣＨ識別情報（ＩＤ）を備える、を行うために前記プロセッサによって実行可能である、上記非一時的コンピュータ可読媒体。
［Ｃ１１６］
Ｃ１１１の非一時的コンピュータ読み出し可能な媒体であって、前記コードは、
キャリアマップを決定すること、前記キャリアマップは、前記キャリアと、前記複数のサブ−チャネルの前記第１のサブセットとを識別する、Ｃ１１１の非一時的コンピュータ読み出し可能な媒体であって、を行うために前記プロセッサによって実行可能である、上記非一時的コンピュータ可読媒体。
［Ｃ１１７］
Ｃ１１１の非一時的コンピュータ読み出し可能な媒体であって、
前記コードは、
前記キャリアを介して、クリア  チャネル  アセスメント免除送信（ＣＥＴ）を通信すること、ここにおいて、前記ＣＥＴは前記複数のサブ−チャネルの前記第１のサブセットのうちの各サブ−チャネル上で異なる時間に反復される、を行うために前記プロセッサによって実行可能である、上記非一時的コンピュータ可読媒体。
［Ｃ１１８］
Ｃ１１１の非一時的コンピュータ読み出し可能な媒体であって、
前記コードは、
前記無認可無線周波数スペクトル帯域を使用する少なくとも１つの追加のキャリアを介して通信すること、前記少なくとも１つの追加のキャリアは前記複数のサブ−チャネルの少なくとも第２のサブセットを備える、
ここにおいて、前記複数のサブ−チャネルの前記第１のサブセットと前記複数のサブ−チャネルの前記第２のサブセットとの各サブ−チャネルに関する送信電力は前記無認可無線周波数スペクトル帯域に関する電力制約に少なくとも部分的に基づいて決定される、上記非一時的コンピュータ可読媒体。
［Ｃ１１９］
Ｃ１１１の非一時的コンピュータ読み出し可能な媒体であって、
前記複数のサブ−チャネルの前記第１のサブセットの第１のサブ−チャネルは第１の送信電力を割り振られ、および前記複数のサブ−チャネルの前記第１のサブセットの少なくとも１つの第２のサブ−チャネルが第２の送信電力を割り振られ、前記第１の送信電力は前記第２の送信電力とは異なる、上記非一時的コンピュータ可読媒体。
【図１】
0006657172.tif 000003
【図２】
0006657172.tif 000004
【図３Ａ】
0006657172.tif 000005
【図３Ｂ】
0006657172.tif 000006
【図４】
0006657172.tif 000007
【図５】
0006657172.tif 000008
【図６】
0006657172.tif 000009
【図７】
0006657172.tif 000010
【図８】
0006657172.tif 000011
【図９】
0006657172.tif 000012
【図１０】
0006657172.tif 000013
【図１１】
0006657172.tif 000014
【図１２】
0006657172.tif 000015
【図１３】
0006657172.tif 000016
【図１４】
0006657172.tif 000017
【図１５】
0006657172.tif 000018
【図１６】
0006657172.tif 000019
【図１７】
0006657172.tif 000020
【図１８】
0006657172.tif 000021
【図１９】
0006657172.tif 000022
【図２０】
0006657172.tif 000023
【図２１】
0006657172.tif 000024
【図２２】
0006657172.tif 000025
【図２３】
0006657172.tif 000026
【図２４】
0006657172.tif 000027
【図２５】
0006657172.tif 000028
【図２６】
0006657172.tif 000029
【図２７】
0006657172.tif 000030
【図２８】
0006657172.tif 000031
【図２９】
0006657172.tif 000032
【図３０】
0006657172.tif 000033
【図３１】
0006657172.tif 000034
【図３２】
0006657172.tif 000035
【図３３】
0006657172.tif 000036
【図３４】
0006657172.tif 000037
【図３５】
0006657172.tif 000038
【図３６】
0006657172.tif 000039
【図３７】
0006657172.tif 000040
【図３８】
0006657172.tif 000041